(57)【要約】  本発明は、絶対許可を送信するための方法及びユーザ機器を提供し、方法は、ユーザ機器により、ネットワーク側デバイスによって送信される従来型拡張絶対許可チャネルＥ−ＡＧＣＨ、及び新たに追加された許可検出Ｅ−ＡＧＣＨを受信するステップと、ユーザ機器により、従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器のデータ送信を制御するステップとを含む。本発明の実施形態によって提供される技術的解決策を使用することにより、ユーザ機器のデータ送信の継続性を確保することができ、送信効率が改善される。
2017507577.tif 000002
【特許請求の範囲】
【請求項１】
絶対許可を送信するための方法であって、
ユーザ機器により、ネットワーク側デバイスによって送信される従来型拡張絶対許可チャネルＥ−ＡＧＣＨ及び新たに追加された許可検出Ｅ−ＡＧＣＨを受信するステップと、
前記ユーザ機器により、前記従来型Ｅ−ＡＧＣＨ及び前記許可検出Ｅ−ＡＧＣＨのうちの少なくとも１つのチャネル上で搬送される絶対許可ＡＧ情報を検出し、検出結果に従って前記ユーザ機器のデータ送信を制御するステップとを含む方法。
【請求項２】
前記ユーザ機器により、前記従来型Ｅ−ＡＧＣＨ及び前記許可検出Ｅ−ＡＧＣＨのうちの少なくとも１つのチャネル上で搬送される絶対許可ＡＧ情報を検出し、検出結果に従って前記ユーザ機器の現在のデータ送信を制御する前記ステップは、
前記ユーザ機器が、前記従来型Ｅ−ＡＧＣＨ及び前記許可検出Ｅ−ＡＧＣＨのうちの前記少なくとも１つのチャネルが前記ユーザ機器の第１のＡＧ情報を搬送することを検出する場合、
前記ユーザ機器により、前記ユーザ機器の前記第１のＡＧ情報に従って前記データ送信を制御するステップを含む請求項１に記載の方法。
【請求項３】
前記ユーザ機器が、前記従来型Ｅ−ＡＧＣＨ及び前記許可検出Ｅ−ＡＧＣＨのうちの前記少なくとも１つのチャネルが前記ユーザ機器の第１のＡＧ情報を搬送することを検出する場合、前記ユーザ機器により、前記ユーザ機器の前記第１のＡＧ情報に従って前記データ送信を制御するステップは、
前記ユーザ機器が、前記従来型Ｅ−ＡＧＣＨが前記ユーザ機器の前記第１のＡＧ情報を搬送することを検出する場合、前記ユーザ機器により、前記ユーザ機器の前記第１のＡＧ情報に従って前記データ送信を制御するステップと、
前記ユーザ機器が、前記従来型Ｅ−ＡＧＣＨが前記ユーザ機器の前記第１のＡＧ情報を搬送しないことを検出し、前記許可検出Ｅ−ＡＧＣＨが前記ユーザ機器の前記第１のＡＧ情報を搬送することを検出する場合、前記ユーザ機器により、前記第１のＡＧ情報に従って前記データ送信を制御するステップとを含む請求項２に記載の方法。
【請求項４】
前記ユーザ機器により、前記従来型Ｅ−ＡＧＣＨ及び前記許可検出Ｅ−ＡＧＣＨのうちの少なくとも１つのチャネル上で搬送される絶対許可ＡＧ情報を検出し、検出結果に従って前記ユーザ機器の現在のデータ送信を制御する前記ステップは、
前記ユーザ機器が、前記従来型Ｅ−ＡＧＣＨが前記ユーザ機器の前記第１のＡＧ情報を搬送しないことを検出し、前記許可検出Ｅ−ＡＧＣＨが前記ユーザ機器以外の別のユーザ機器の第２のＡＧ情報を搬送することを検出する場合、
前記ユーザ機器により、前記データ送信の実行をスキップするステップを含む請求項１に記載の方法。
【請求項５】
前記ユーザ機器により、前記従来型Ｅ−ＡＧＣＨ及び前記許可検出Ｅ−ＡＧＣＨのうちの少なくとも１つのチャネル上で搬送される絶対許可ＡＧ情報を検出する前記ステップは、
前記従来型Ｅ−ＡＧＣＨ及び前記許可検出Ｅ−ＡＧＣＨの優先度の降順に従って、前記従来型Ｅ−ＡＧＣＨ上で搬送されるＡＧ情報を最初に検出し、次いで前記許可検出Ｅ−ＡＧＣＨ上で搬送されるＡＧ情報を検出するステップを含む請求項１から４のいずれか一項に記載の方法。
【請求項６】
ネットワーク側デバイスによって送信される従来型拡張絶対許可チャネルＥ−ＡＧＣＨ及び新たに追加された許可検出Ｅ−ＡＧＣＨを受信するように構成された受信モジュールと、
前記従来型Ｅ−ＡＧＣＨ及び前記許可検出Ｅ−ＡＧＣＨのうちの少なくとも１つのチャネル上で搬送される絶対許可ＡＧ情報を検出し、検出結果に従って前記ユーザ機器のデータ送信を制御するように構成された検出モジュールとを含むユーザ機器。
【請求項７】
前記検出モジュールは、特に、
前記従来型Ｅ−ＡＧＣＨ及び前記許可検出Ｅ−ＡＧＣＨのうちの前記少なくとも１つのチャネルが前記ユーザ機器の第１のＡＧ情報を搬送することが検出される場合、
前記ユーザ機器の前記第１のＡＧ情報に従って前記データ送信を制御するように構成される請求項６に記載のユーザ機器。
【請求項８】
前記検出モジュールは、特に、
前記従来型Ｅ−ＡＧＣＨが前記ユーザ機器の前記第１のＡＧ情報を搬送することが検出される場合、前記ユーザ機器の前記第１のＡＧ情報に従って前記データ送信を制御するように構成され、
前記従来型Ｅ−ＡＧＣＨが前記ユーザ機器の前記第１のＡＧ情報を搬送しないことが検出され、前記許可検出Ｅ−ＡＧＣＨが前記ユーザ機器の前記第１のＡＧ情報を搬送することが検出される場合、前記第１のＡＧ情報に従って前記データ送信を制御するように構成される請求項７に記載のユーザ機器。
【請求項９】
前記検出モジュールは、特に、
前記従来型Ｅ−ＡＧＣＨが前記ユーザ機器の前記第１のＡＧ情報を搬送しないことが検出され、前記許可検出Ｅ−ＡＧＣＨが前記ユーザ機器以外の別のユーザ機器の第２のＡＧ情報を搬送することが検出される場合、
前記データ送信の実行をスキップするように構成される請求項６に記載のユーザ機器。
【請求項１０】
前記検出モジュールは、特に、
前記従来型Ｅ−ＡＧＣＨ及び前記許可検出Ｅ−ＡＧＣＨの優先度の降順に従って、前記従来型Ｅ−ＡＧＣＨ上で搬送されるＡＧ情報を最初に検出し、次いで前記許可検出Ｅ−ＡＧＣＨ上で搬送されるＡＧ情報を検出するように構成される請求項６から９のいずれか一項に記載のユーザ機器。
【請求項１１】
絶対許可を送信するための方法であって、
ユーザ機器により、ネットワーク側デバイスによって送信された複数の新たに追加されたＥ−ＡＧＣＨを受信するステップと、
前記ユーザ機器により、前記複数の新たに追加されたＥ−ＡＧＣＨのうちの１つのチャネル上で搬送される絶対許可ＡＧ情報を検出し、検出結果に従って前記ユーザ機器のデータ送信を制御するステップとを含む方法。
【請求項１２】
前記ユーザ機器により、前記複数の新たに追加されたＥ−ＡＧＣＨのうちの１つのチャネル上で搬送される絶対許可ＡＧ情報を検出し、検出結果に従って前記ユーザ機器の現在のデータ送信を制御する前記ステップは、
前記ユーザ機器が、前記複数の新たに追加されたＥ−ＡＧＣＨのうちの１つのチャネルが前記ユーザ機器の第１のＡＧ情報を搬送することを検出する場合、前記ユーザ機器により、前記第１のＡＧ情報に従って前記データ送信を制御するステップと、
前記ユーザ機器が、前記複数の新たに追加されたＥ−ＡＧＣＨのいずれも前記ユーザ機器の前記第１のＡＧ情報を搬送しないこと、及び前記複数の新たに追加されたＥ−ＡＧＣＨのうちの１つのチャネルが前記ユーザ機器以外の別のユーザ機器の第２のＡＧ情報を搬送することを検出する場合、前記ユーザ機器により、前記データ送信の実行をスキップするステップとを含む請求項１１に記載の方法。
【請求項１３】
ネットワーク側デバイスによって送信された複数の新たに追加されたＥ−ＡＧＣＨを受信するように構成された受信モジュールと、
前記複数の新たに追加されたＥ−ＡＧＣＨのうちの１つのチャネル上で搬送される絶対許可ＡＧ情報を検出し、検出結果に従って前記ユーザ機器のデータ送信を制御するように構成された検出モジュールとを含むユーザ機器。
【請求項１４】
前記検出モジュールは、特に、
前記複数の新たに追加されたＥ−ＡＧＣＨのうちの１つのチャネルが前記ユーザ機器の第１のＡＧ情報を搬送することが検出される場合、前記第１のＡＧ情報に従って前記データ送信を制御するように構成され、
前記複数の新たに追加されたＥ−ＡＧＣＨのいずれも前記ユーザ機器の前記第１のＡＧ情報を搬送しないこと、及び前記複数の新たに追加されたＥ−ＡＧＣＨのうちの１つのチャネルが前記ユーザ機器以外の別のユーザ機器の第２のＡＧ情報を搬送することが検出される場合、前記ユーザ機器を制御して前記データ送信の実行をスキップするように構成される請求項１３に記載のユーザ機器。
【請求項１５】
絶対許可を送信するための方法であって、
ユーザ機器により、ネットワーク側デバイスによって送信される新たに追加された拡張絶対許可チャネルＥ−ＡＧＣＨ及び第１のチャネルを受信するステップと、
前記ユーザ機器により、前記新たに追加されたＥ−ＡＧＣＨ上で搬送される絶対許可ＡＧ情報、及び前記第１のチャネル上で搬送される許可情報を検出し、検出結果に従って前記ユーザ機器のデータ送信を制御するステップとを含む方法。
【請求項１６】
前記ユーザ機器により、前記新たに追加されたＥ−ＡＧＣＨ上で搬送されるＡＧ情報、及び前記第１のチャネル上で搬送される許可情報を検出し、検出結果に従って前記ユーザ機器の現在のデータ送信を制御する前記ステップは、
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御するステップを含む請求項１５に記載の方法。
【請求項１７】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送することを検出する場合、前記ユーザ機器により、前記許可情報及び現在のサービング許可に従って更新されたサービング許可を取得し、前記更新されたサービング許可に従って前記データ送信を制御するステップと、
前記ユーザ機器が、前記第１のチャネルが前記許可情報を搬送しないことを検出する場合、前記ユーザ機器により、前記データ送信を停止するステップとを備え、
前記許可情報は前記現在のサービング許可を増大又は低減するよう指示する請求項１６に記載の方法。
【請求項１８】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送することを検出する場合、前記ユーザ機器により、前記許可情報に従って前記データ送信を制御するステップであって、前記許可情報は、前記ユーザ機器の現在のサービング許可に従って前記データ送信の実行を継続するよう指示するステップ、又は
前記ユーザ機器が、前記第１のチャネルが前記許可情報を搬送しないことを検出する場合、前記ユーザ機器により、前記データ送信を停止するステップを含む請求項１６に記載の方法。
【請求項１９】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送することを検出する場合、前記ユーザ機器により、前記データ送信を停止するステップであって、前記許可情報は前記データ送信を停止するよう指示するステップ、又は
前記ユーザ機器が、前記第１のチャネルが前記許可情報を搬送しないことを検出する場合、前記ユーザ機器により、現在のサービング許可に従って前記データ送信の実行を継続するステップを含む請求項１６に記載の方法。
【請求項２０】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送し、前記許可情報が第１の許可指示であることを検出する場合、前記ユーザ機器により、現在のサービング許可に従って前記データ送信の実行を継続するステップと、
前記ユーザ機器が、前記第１のチャネルが前記許可情報を搬送し、前記許可情報が第２の許可指示であることを検出する場合、前記ユーザ機器により、前記データ送信を停止するステップとを備え、
前記第１の許可指示は、前記現在のサービング許可に従って前記データ送信の実行を継続するよう前記ユーザ機器に指示し、前記第２の許可指示は、前記データ送信の実行を停止するよう前記ユーザ機器に指示する請求項１６に記載の方法。
【請求項２１】
絶対許可を送信するための方法であって、
前記ユーザ機器により、ネットワーク側デバイスによって送信される新たに追加された拡張絶対許可チャネル（Ｅ−ＡＧＣＨ）及び高速共有制御チャネル（ＨＳ−ＳＣＣＨ）を受信するステップと、
前記ユーザ機器により、前記新たに追加されたＥ−ＡＧＣＨ上で搬送される絶対許可ＡＧ情報、及びＨＳ−ＳＣＣＨ上で搬送されるＨＳ−ＳＣＣＨ命令情報を検出し、検出結果に従って前記ユーザ機器のデータ送信を制御するステップとを含む方法。
【請求項２２】
前記ユーザ機器により、前記新たに追加されたＥ−ＡＧＣＨ上で搬送されるＡＧ情報、及び前記第１のチャネル上で搬送される許可情報を検出し、検出結果に従って前記ユーザ機器の現在のデータ送信を制御する前記ステップは、
前記ユーザ機器が、前記新たに追加されたＥ−ＡＧＣＨが前記ユーザ機器以外の別のユーザ機器の第２のＡＧ情報を搬送することを検出する場合、及び前記ユーザ機器が、前記ＨＳ−ＳＣＣＨ上で搬送されるＨＳ−ＳＣＣＨ命令情報が前記送信を継続するよう前記ユーザ機器に指示することを検出する場合、前記ユーザ機器により、現在のサービング許可に従って前記データ送信の実行を継続するステップを含む請求項２１に記載の方法。
【請求項２３】
ネットワーク側デバイスによって送信される新たに追加された拡張絶対許可チャネルＥ−ＡＧＣＨ及び第１のチャネルを受信するように構成された受信機と、
前記新たに追加されたＥ−ＡＧＣＨ上で搬送される絶対許可ＡＧ情報、及び前記第１のチャネル上で搬送される許可情報を検出し、検出結果に従って前記ユーザ機器のデータ送信を制御するように構成されたプロセッサとを含むユーザ機器。
【請求項２４】
前記プロセッサは、特に、
前記新たに追加されたＥ−ＡＧＣＨが前記ユーザ機器以外の別のユーザ機器の第２のＡＧ情報を搬送することが検出される場合、前記第１のチャネル上で搬送される前記許可情報の検出結果に従って前記データ送信を制御するように構成される請求項２３に記載のユーザ機器。
【請求項２５】
前記プロセッサが、前記新たに追加されたＥ−ＡＧＣＨが前記ユーザ機器以外の別のユーザ機器の前記第２のＡＧ情報を搬送することを検出する場合、前記プロセッサは、特に、
前記第１のチャネルが前記許可情報を搬送することが検出される場合、前記許可情報及び現在のサービング許可に従って更新されたサービング許可を取得し、前記更新されたサービング許可に従って前記データ送信を制御するように構成されるか、又は
前記第１のチャネルが前記許可情報を搬送しないことが検出される場合、前記データ送信を停止するように構成され、
前記許可情報は前記現在のサービング許可を増大又は低減するよう指示する請求項２４に記載のユーザ機器。
【請求項２６】
前記プロセッサが、前記新たに追加されたＥ−ＡＧＣＨが前記ユーザ機器以外の前記別のユーザ機器の前記第２のＡＧ情報を搬送することを検出する場合、前記プロセッサは、特に、
前記第１のチャネルが前記許可情報を搬送することが検出される場合、前記許可情報に従って前記データ送信を制御するように構成されるか、又は
前記第１のチャネルが前記許可情報を搬送しないことが検出される場合、前記データ送信を停止するように構成され、
前記許可情報は前記ユーザ機器の現在のサービング許可に従って前記送信の実行を継続するよう指示する請求項２４に記載のユーザ機器。
【請求項２７】
前記プロセッサが、前記新たに追加されたＥ−ＡＧＣＨが前記ユーザ機器以外の前記別のユーザ機器の前記第２のＡＧ情報を搬送することを検出する場合、前記プロセッサは、特に、
前記第１のチャネルが前記許可情報を搬送することが検出される場合、前記データ送信を停止するように構成され、前記許可情報は前記データ送信を停止するよう指示し、
前記第１のチャネルが前記許可情報を搬送しないことが検出される場合、現在のサービング許可に従って前記データ送信の実行を継続するように構成される請求項２４に記載のユーザ機器。
【請求項２８】
前記プロセッサが、前記新たに追加されたＥ−ＡＧＣＨが前記ユーザ機器以外の前記別のユーザ機器の前記第２のＡＧ情報を搬送することを検出する場合、前記プロセッサは、特に、
前記第１のチャネルが前記許可情報を搬送し、前記許可情報が第１の許可指示であることを検出する場合、現在のサービング許可に従って前記データ送信の実行を継続するように構成され、
前記第１のチャネルが前記許可情報を搬送し、前記許可情報が第２の許可指示であることを検出する場合、前記データ送信を停止するように構成され、
前記第１の許可指示は、前記現在のサービング許可に従って前記データ送信の実行を継続するよう指示するために使用され、前記第２の許可指示は、前記データ送信の実行を停止するよう指示するために使用される請求項２４に記載のユーザ機器。
【請求項２９】
絶対許可を送信するための方法であって、
ユーザ機器により、ネットワーク側デバイスによって送信されたＥ−ＡＧＣＨチャネルの構成情報を受信するステップであり、前記構成情報は前記Ｅ−ＡＧＣＨチャネルのチャネル化コード情報及び属性情報を備え、前記属性情報は前記Ｅ−ＡＧＣＨチャネルが従来型Ｅ−ＡＧＣＨ又は新たに追加されたＥ−ＡＧＣＨのいずれであるかを表すステップと、
前記ユーザ機器により、前記チャネル化コード情報に従って、前記Ｅ−ＡＧＣＨチャネル上で搬送される絶対許可（ＡＧ）情報を検出し、検出結果及び前記属性情報に従って前記ユーザ機器のデータ送信を制御するステップとを含む方法。
【請求項３０】
検出結果及び前記属性情報に従って前記ユーザ機器のデータ送信を制御する前記ステップは、
前記属性情報が、前記Ｅ−ＡＧＣＨチャネルが従来型Ｅ−ＡＧＣＨチャネルであることを示し、前記ユーザ機器が前記Ｅ−ＡＧＣＨチャネル上で前記ＡＧ情報を検出する場合、前記ＡＧ情報を使用することによって現在のサービング許可を更新し、更新されたサービング許可に従って前記データ送信を実行するステップと、
前記属性情報が、前記Ｅ−ＡＧＣＨチャネルが従来型Ｅ−ＡＧＣＨチャネルであることを示し、前記ユーザ機器が前記Ｅ−ＡＧＣＨチャネル上で前記ＡＧ情報を検出しない場合、前記現在のサービング許可に従って前記データ送信の実行を継続するステップとを含む請求項２９に記載の方法。
【請求項３１】
検出結果及び前記属性情報に従って前記ユーザ機器のデータ送信を制御する前記ステップは、
前記属性情報が、前記Ｅ−ＡＧＣＨチャネルが新たに追加されたＥ−ＡＧＣＨチャネルであることを示し、前記ユーザ機器が前記Ｅ−ＡＧＣＨチャネル上で前記ユーザ機器の前記ＡＧ情報を検出する場合、前記ＡＧ情報を使用することによって現在のサービング許可を更新し、更新されたサービング許可に従って前記データ送信を実行するステップと、
前記属性情報が、前記Ｅ−ＡＧＣＨチャネルが新たに追加されたＥ−ＡＧＣＨチャネルであることを示し、前記ユーザ機器が前記Ｅ−ＡＧＣＨチャネル上で前記ユーザ機器以外の別のユーザ機器のＡＧ情報を検出する場合、前記データ送信を停止するステップと、
前記属性情報が、前記Ｅ−ＡＧＣＨチャネルが新たに追加されたＥ−ＡＧＣＨチャネルであることを示し、前記ユーザ機器が前記Ｅ−ＡＧＣＨチャネル上で前記ＡＧ情報を検出しない場合、前記現在のサービング許可に従って前記データ送信の実行を継続するステップとを含む請求項２９に記載の方法。
【請求項３２】
前記ユーザ機器により、前記ネットワーク側デバイスによって送信される指示命令を受信し、前記指示命令に従って前記Ｅ−ＡＧＣＨチャネルの前記属性情報を変更するステップであって、前記指示命令は前記属性情報を変更するよう前記ユーザ機器に指示するために使用されるステップをさらに含む請求項２９から３１のいずれか一項に記載の方法。
【請求項３３】
前記ユーザ機器により、前記Ｅ−ＡＧＣＨチャネル以外のチャネルを通じて前記ネットワーク側デバイスによって送信されるデータ送信停止命令を受信し、前記データ送信停止命令に従って前記データ送信を停止するステップをさらに含む請求項２９から３２のいずれか一項に記載の方法。
【発明の詳細な説明】
【技術分野】
【０００１】
本出願は、参照によりその全体を本明細書に援用する、２０１４年１月２９日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＡＮＤ  ＵＳＥＲ  ＥＱＵＩＰＭＥＮＴ」と題する中国特許出願第ＣＮ２０１４１００４３９２３．５号、２０１４年４月１日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＡＮＤ  ＵＳＥＲ  ＥＱＵＩＰＭＥＮＴ」と題する中国特許出願第ＣＮ２０１４１０１３０００１．８号、２０１４年５月８日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＡＮＤ  ＵＳＥＲ  ＥＱＵＩＰＭＥＮＴ」と題する中国特許出願第ＣＮ２０１４１０１９３７９９．０号、及び２０１４年５月１６日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＡＮＤ  ＵＳＥＲ  ＥＱＵＩＰＭＥＮＴ」と題する中国特許出願第ＣＮ２０１４１０２０８８０７．４号の優先権を主張するものである。
【０００２】
本発明は、通信技術の分野に関し、特に、絶対許可を送信するための方法及びユーザ機器に関する。
【背景技術】
【０００３】
従来の広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，略してＷＣＤＭＡ）システムにおいて、ネットワーク側デバイスは、ユーザのアップリンク送信電力をスケジュールする目的を達成するためにスケジューリング許可（Ｓｃｈｅｄｕｌｉｎｇ  Ｇｒａｎｔ，略してＳＧ）を配信し、スケジューリング許可の物理的な意味は、拡張専用物理データチャネル（Ｅｎｈａｎｃｅｄ−Ｄｅｄｉｃａｔｅｄ  Ｐｈｙｓｉｃａｌ  Ｄａｔａ  Ｃｈａｎｎｅｌ，略してＥ−ＤＰＤＣＨ）対専用物理制御チャネル（Ｄｅｄｉｃａｔｅｄ  Ｐｈｙｓｉｃａｌ  Ｃｏｎｔｒｏｌ  Ｃｈａｎｎｅｌ，略してＤＰＣＣＨ）の送信電力オフセットである。スケジューリング許可は、絶対許可（Ａｂｓｏｌｕｔｅ  Ｇｒａｎｔ，略してＡＧ）及び相対許可（Ｒｅｌａｔｉｖｅ  Ｇｒａｎｔ，略してＲＧ）という２つのタイプに分類されてもよく、拡張絶対許可チャネル（Ｅｎｈａｎｃｅｄ−Ａｂｓｏｌｕｔｅ  Ｇｒａｎｔ  Ｃｈａｎｎｅｌ，略してＥ−ＡＧＣＨ）はＲＧを搬送するために使用され、拡張相対許可チャネル（Ｅｎｈａｎｃｅｄ−Ｒｅｌａｔｉｖｅ  Ｇｒａｎｔ  Ｃｈａｎｎｅｌ，略してＥ−ＲＧＣＨ）はＲＧを搬送するために使用される。
【０００４】
従来技術において、ネットワーク側デバイスは、ある時点において、ユーザ機器（Ｕｓｅｒ  Ｅｑｕｉｐｍｅｎｔ，略してＵＥ）のＡＧを従来型Ｅ−ＡＧＣＨ又は新しいＥ−ＡＧＣＨ上で配信することができ、各ＵＥは前述の２つのチャネル上で同時にリッスンし、従来型Ｅ−ＡＧＣＨ又は新しいＥ−ＡＧＣＨ上でＵＥ自身に属するＡＧを検出すると、ＵＥは、チャネル上のＡＧに従ってネットワーク側デバイスにデータを送信し、新しいＥ−ＡＧＣＨ上で別のＵＥのＡＧを検出すると、ＵＥは、現在実行されているデータ送信を停止する。
【０００５】
しかし、従来技術において、ネットワーク側デバイスは、新しいＥ−ＡＧＣＨを通じてＡＧをＵＥ１に送信した後すべてのＵＥの送信を停止し、次いで、次の時点においてＡＧを別のＵＥ２に送信することによってデータ送信を開始するが、これはＵＥ２のデータ送信中断を生じることがある。
【発明の概要】
【課題を解決するための手段】
【０００６】
本発明は、絶対許可を送信するための方法及びユーザ機器を提供し、これらは、ネットワーク側デバイスが、ＡＧを新しいＥ−ＡＧＣＨを通じてＵＥ１に送信した後すべてのＵＥの送信を停止し、次いで、次の時点においてＡＧを別のＵＥ２に送信することによってデータ送信を開始するので、ＵＥ２のデータ送信中断が生じる可能性があるという従来技術における問題を解決するために使用される。
【０００７】
本発明の第１の態様は、絶対許可を送信するための方法であって、
ユーザ機器により、ネットワーク側デバイスによって送信される従来型拡張絶対許可チャネルＥ−ＡＧＣＨ、及び新たに追加された許可検出Ｅ−ＡＧＣＨを受信するステップと、
ユーザ機器により、従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器のデータ送信を制御するステップとを含む方法を提供する。
【０００８】
第１の可能な実施方法において、第１の態様によれば、ユーザ機器により、従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器の現在のデータ送信を制御するステップは、
ユーザ機器が、従来型Ｅ−ＡＧＣＨ及び許可検出Ｅ−ＡＧＣＨのうちの少なくとも１つのチャネルがユーザ機器の第１のＡＧ情報を搬送することを検出する場合、
ユーザ機器により、ユーザ機器の第１のＡＧ情報に従ってデータ送信を制御するステップを含む。
【０００９】
第２の可能な実施方法において、第１の可能な実施方法によれば、ユーザ機器が、従来型Ｅ−ＡＧＣＨ及び許可検出Ｅ−ＡＧＣＨのうちの少なくとも１つのチャネルがユーザ機器の第１のＡＧ情報を搬送することを検出する場合、ユーザ機器により、ユーザ機器の第１のＡＧ情報に従ってデータ送信を制御するステップは、
ユーザ機器が、従来型Ｅ−ＡＧＣＨがユーザ機器の第１のＡＧ情報を搬送することを検出する場合、ユーザ機器により、ユーザ機器の第１のＡＧ情報に従ってデータ送信を制御するステップと、
ユーザ機器が、従来型Ｅ−ＡＧＣＨがユーザ機器の第１のＡＧ情報を搬送しないことを検出し、許可検出Ｅ−ＡＧＣＨがユーザ機器の第１のＡＧ情報を搬送することを検出する場合、ユーザ機器により、第１のＡＧ情報に従ってデータ送信を制御するステップとを含む。
【００１０】
第３の可能な実施方法において、第１の態様によれば、ユーザ機器により、従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器の現在のデータ送信を制御するステップは、
ユーザ機器が、従来型Ｅ−ＡＧＣＨがユーザ機器の第１のＡＧ情報を搬送しないことを検出し、許可検出Ｅ−ＡＧＣＨがそのユーザ機器以外の別のユーザ機器の第２のＡＧ情報を搬送することを検出する場合、
ユーザ機器により、データ送信の実行をスキップするステップを含む。
【００１１】
本発明の第２の態様は、
ネットワーク側デバイスによって送信される従来型拡張絶対許可チャネルＥ−ＡＧＣＨ、及び新たに追加された許可検出Ｅ−ＡＧＣＨを受信するように構成された受信モジュールと、
従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器のデータ送信を制御するように構成された検出モジュールとを含むユーザ機器を提供する。
【００１２】
第１の可能な実施方法において、第２の態様によれば、検出モジュールは、特に、
従来型Ｅ−ＡＧＣＨ及び許可検出Ｅ−ＡＧＣＨのうちの少なくとも１つのチャネルがユーザ機器の第１のＡＧ情報を搬送することが検出される場合、
ユーザ機器の第１のＡＧ情報に従ってデータ送信を制御するように構成される。
【００１３】
第２の可能な実施方法において、第１の可能な実施方法によれば、検出モジュールは、特に、
従来型Ｅ−ＡＧＣＨがユーザ機器の第１のＡＧ情報を搬送することが検出される場合、ユーザ機器の第１のＡＧ情報に従ってデータ送信を制御するように構成され、及び
従来型Ｅ−ＡＧＣＨがユーザ機器の第１のＡＧ情報を搬送しないことが検出され、許可検出Ｅ−ＡＧＣＨがユーザ機器の第１のＡＧ情報を搬送することが検出される場合、第１のＡＧ情報に従ってデータ送信を制御するように構成される。
【００１４】
第３の可能な実施方法において、第２の態様によれば、検出モジュールは、特に、
従来型Ｅ−ＡＧＣＨがユーザ機器の第１のＡＧ情報を搬送しないことが検出され、許可検出Ｅ−ＡＧＣＨがそのユーザ機器以外の別のユーザ機器の第２のＡＧ情報を搬送することが検出される場合、
データ送信の実行をスキップするように構成される。
【００１５】
本発明の実施形態における絶対許可を送信するための方法及びユーザ機器によれば、ユーザ機器は、ネットワーク側デバイスによって送信される第１の拡張絶対許可チャネルＥ−ＡＧＣＨを受信し、ネットワーク側デバイスによって送信される許可検出Ｅ−ＡＧＣＨを受信し、ユーザ機器が、従来型Ｅ−ＡＧＣＨ及び許可検出Ｅ−ＡＧＣＨのうちの少なくとも１つのチャネルがユーザ機器の絶対許可ＡＧを搬送することを決定する場合、ユーザ機器は、ＡＧに従ってデータ送信操作を実行する。本発明の実施形態によって提供される技術的解決策を使用することにより、ユーザ機器のデータ送信の継続性を確保することができ、送信効率が改善される。
【図面の簡単な説明】
【００１６】
本発明の実施形態又は従来技術における技術的解決策をさらに明確に説明するため、後段において、実施形態又は従来技術を説明するために必要な添付の図面を簡単に紹介する。明らかに、以下の説明における添付の図面は、本発明の一部の実施形態を示すものであり、当業者であれば、創造的な取り組みを伴うことなく、これらの添付の図面からその他の図面をさらに導き出すことができるであろう。
【図１】本発明の実施形態による絶対許可を送信するための方法を示す流れ図である。
【図２】本発明の実施形態によるネットワーク側デバイスとユーザ機器との間の対話プロセスを示す図である。
【図３Ａ】従来技術における４つのユーザ機器のスケジューリングを示す概略図である。
【図３Ｂ】本発明の実施形態による４つのユーザ機器のスケジューリングを示す概略図である。
【図４】本発明の実施形態によるユーザ機器を示す概略構造図である。
【図５】本発明の実施形態によるもう１つのユーザ機器を示す概略構造図である。
【図６】本発明の実施形態による絶対許可を送信するためのもう１つの方法を示す流れ図である。
【図７】本発明の実施形態によるさらにもう１つのユーザ機器を示す概略構造図である。
【図８】本発明の実施形態によるさらにもう１つのユーザ機器を示す概略構造図である。
【図９】本発明の実施形態による絶対許可を送信するためのさらにもう１つの方法を示す流れ図である。
【図１０】本発明の実施形態によるさらになおもう１つのユーザ機器を示す概略構造図である。
【図１１】本発明の実施形態による絶対許可を送信するためのさらにもう１つの方法を示す流れ図である。
【図１２】本発明の実施形態による絶対許可を送信するためのさらになおもう１つの方法を示す流れ図である。
【図１３】本発明の実施形態による絶対許可を送信するためのさらなる方法を示す流れ図である。
【発明を実施するための形態】
【００１７】
本発明の実施形態の目的、技術的解決策、及び利点をさらに明確なものにするため、後段では、本発明の実施形態の添付の図面を参照して、本発明の実施形態における技術的解決策を明確及び完全に説明する。明らかに、説明される実施形態は、本発明の実施形態の一部分に過ぎず、実施形態の全体を示すものではない。創造的な取り組みを伴うことなく、本発明の実施形態に基づいて当業者によって得られるすべてのその他の実施形態は、本発明の保護適用範囲に含まれるものとする。
【００１８】
本明細書において説明される技術は、さまざまな通信システム、たとえば、現行の２Ｇ及び３Ｇ通信システム、及び次世代通信システムに適用されてもよく、例をあげると、汎欧州デジタル移動電話方式（ＧＳＭ，Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多元接続（ＣＤＭＡ，Ｃｏｄｅ  Ｄｉｖｉｓｉｏｎ  Ｍｕｌｔｉｐｌｅ  Ａｃｃｅｓｓ）システム、時分割多元接続（ＴＤＭＡ，Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ，Ｗｉｄｅｂａｎｄ  Ｃｏｄｅ  Ｄｉｖｉｓｉｏｎ  Ｍｕｌｔｉｐｌｅ  Ａｃｃｅｓｓ）システム、周波数分割多元接続（ＦＤＭＡ，Ｆｒｅｑｕｅｎｃｙ  Ｄｉｖｉｓｉｏｎ  Ｍｕｌｔｉｐｌｅ  Ａｄｄｒｅｓｓｉｎｇ）システム、直交周波数分割多元接続（ＯＦＤＭＡ，Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、シングルキャリアＦＤＭＡ（ＳＣ−ＦＤＭＡ）システム、汎用パケット無線サービス（ＧＰＲＳ，Ｇｅｎｅｒａｌ  Ｐａｃｋｅｔ  Ｒａｄｉｏ  Ｓｅｒｖｉｃｅ）システム、ロングタームエボリューション（ＬＴＥ，Ｌｏｎｇ  Ｔｅｒｍ  Ｅｖｏｌｕｔｉｏｎ）システム、及びその他の通信システムがある。
【００１９】
本願に含まれるユーザ機器は、無線端末又は有線端末であってもよい。無線端末は、ユーザ、無線接続機能を備えるハンドヘルドデバイス、又は無線モデムに接続されている別の処理デバイスに、音声及び／又はデータ接続を提供するデバイスを示すことができる。無線端末は、無線アクセスネットワーク（たとえば、ＲＡＮ，Ｒａｄｉｏ  Ａｃｃｅｓｓ  Ｎｅｔｗｏｒｋ）を通じて１つ又は複数のコアネットワークと通信することができる。無線端末は、たとえば、携帯電話（「セルラー」電話とも称される）、又はモバイル端末を備えるコンピュータのような、モバイル端末であってもよく、たとえば、音声及び／又はデータを無線アクセスネットワークと交換する、ポータブル、ポケットサイズ、ハンドヘルド、コンピュータ内蔵又は車載のモバイル装置であってもよい。たとえば、無線端末は、パーソナル通信サービス（ＰＣＳ，Ｐｅｒｓｏｎａｌ  Ｃｏｍｍｕｎｉｃａｔｉｏｎ  Ｓｅｒｖｉｃｅ）電話、コードレス電話セット、セッション開始プロトコル（ＳＩＰ）電話、ワイヤレスローカルループ（ＷＬＬ，Ｗｉｒｅｌｅｓｓ  Ｌｏｃａｌ  Ｌｏｏｐ）ステーション、又は携帯情報端末（ＰＤＡ）のようなデバイスであってもよい。無線端末はまたシステムとして、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイル端末（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ）と称されてもよい。
【００２０】
本願に含まれるネットワーク側デバイスは、基地局、無線ネットワークコントローラ（Ｒａｄｉｏ  Ｎｅｔｗｏｒｋ  Ｃｏｎｔｒｏｌｌｅｒ，  ＲＮＣ）などであってもよいか、又は無線アクセスネットワーク側の前述のさまざまなデバイス内の機能モジュールであってもよい。
【００２１】
基地局（たとえば、アクセスポイント）は、アクセスネットワーク上のエアインターフェイスの１つ又は複数のセクタを通じて無線端末と通信するデバイスであってもよい。基地局は、受信したエアフレームとＩＰパケットとの間の相互変換を実行するように構成されてもよく、無線端末とアクセスネットワークの別の部分との間のルータとしての役割を果たし、ここでアクセスネットワークの別の部分はインターネットプロトコル（ＩＰ）ネットワークを含むことができる。基地局は、エアインターフェイス上の属性管理をさらに調整することができる。たとえば、基地局は、ＧＳＭ又はＣＤＭＡの基地局（ＢＴＳ，Ｂａｓｅ  Ｔｒａｎｓｃｅｉｖｅｒ  Ｓｔａｔｉｏｎ）であってもよいか、又はＷＣＤＭＡの基地局（ＮｏｄｅＢ）であってもよいか、又はＬＴＥの進化型基地局（ＮｏｄｅＢ、ｅＮＢ，又はｅ−ＮｏｄｅＢ、ｅｖｏｌｕｔｉｏｎａｌ  Ｎｏｄｅ  Ｂ）であってもよく、本願において限定されることはない。
【００２２】
基地局コントローラは、ＧＳＭ又はＣＤＭＡの基地局コントローラ（ＢＳＣ，ｂａｓｅ  ｓｔａｔｉｏｎ  ｃｏｎｔｒｏｌｌｅｒ）であってもよいか、ＷＣＤＭＡの無線ネットワークコントローラ（ＲＮＣ，Ｒａｄｉｏ  Ｎｅｔｗｏｒｋ  Ｃｏｎｔｒｏｌｌｅｒ）であってもよく、本願において限定されることはない。
【００２３】
図１は、本発明の実施形態による絶対許可を送信するための方法を示す流れ図である。この実施形態において、ユーザ機器は、ネットワーク側デバイスによって送信された２つのチャネル、つまり従来型Ｅ−ＡＧＣＨ及び許可検出Ｅ−ＡＧＣＨを受信し、従来型Ｅ−ＡＧＣＨ及び許可検出Ｅ−ＡＧＣＨのうちの少なくとも１つのチャネルがユーザ機器のＡＧを搬送することを決定する場合、ユーザ機器は、ＡＧに従ってデータ送信操作を実行する。図１に示されるように、絶対許可を送信するための方法は、以下のステップを含む。
【００２４】
ステップＳ１００：  ユーザ機器は、ネットワーク側デバイスによって送信される従来型拡張絶対許可チャネルＥ−ＡＧＣＨ、及び新たに追加された許可検出Ｅ−ＡＧＣＨを受信する。
【００２５】
ステップＳ１０１：  ユーザ機器は、従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器のデータ送信を制御する。
【００２６】
特に、ＵＥは、ネットワーク側デバイスによって送信された従来型拡張絶対許可チャネルＥ−ＡＧＣＨを最初に受信することができるが、ここで従来型拡張絶対許可チャネルＥ−ＡＧＣＨは、後段において略して従来型Ｅ−ＡＧＣＨと称される、及びネットワーク側デバイスによって送信された新たに追加された許可検出Ｅ−ＡＧＣＨを受信することができるが、ここで新たに追加された許可検出Ｅ−ＡＧＣＨは、後段において略して許可検出Ｅ−ＡＧＣＨと称される。本明細書において従来型Ｅ−ＡＧＣＨは背景技術における従来型Ｅ−ＡＧＣＨであり、許可検出Ｅ−ＡＧＣＨは背景技術において新しいＥ−ＡＧＣＨであることに留意されたい。前述の従来型Ｅ−ＡＧＣＨ及び許可検出Ｅ−ＡＧＣＨは、ＡＧ情報をＵＥに送信するためにネットワーク側デバイスによって使用されるチャネルであり、同じ時間−周波数リソースを占有することも、又は異なる時間−周波数リソースを占有することもあり、それについては本明細書において限定されることはない。
【００２７】
さらに、前述の２つのチャネル、つまり従来型Ｅ−ＡＧＣＨ及び許可検出Ｅ−ＡＧＣＨを受信した後、ＵＥは、従来型Ｅ−ＡＧＣＨ及び許可検出Ｅ−ＡＧＣＨのうちの少なくとも１つのチャネル上で搬送される絶対許可ＡＧ情報を検出し、検出結果に従ってＵＥのデータ送信を制御することができる。
【００２８】
オプションとして、ＵＥが、従来型Ｅ−ＡＧＣＨが第１のＡＧ情報を搬送することを検出する場合、ただし前述の第１のＡＧ情報はＵＥ自身のＡＧ情報を表す場合、ＵＥは従来型Ｅ−ＡＧＣＨの第１のＡＧ情報に従ってデータ送信を制御し、ＵＥが、従来型Ｅ−ＡＧＣＨ上で第１のＡＧ情報を検出せず、許可検出Ｅ−ＡＧＣＨが第１のＡＧ情報を搬送することを検出する場合、ＵＥは、許可検出Ｅ−ＡＧＣＨ上の第１のＡＧ情報に従ってデータ送信を制御し、ＵＥが、従来型Ｅ−ＡＧＣＨ及び許可検出Ｅ−ＡＧＣＨが共にＵＥ自身のＡＧ情報を搬送することを検出する場合、ＵＥは、２つのＥ−ＡＧＣＨ上で搬送される第１のＡＧ情報に従って別個にデータ送信を制御することができるか、又は従来型Ｅ−ＡＧＣＨ上で搬送される第１のＡＧ情報に従ってのみデータ送信を制御することができ、ＵＥがデータ送信を実行している場合、ＵＥはまた、ＵＥによって現在実行されているデータ送信が開始されるＥ−ＡＧＣＨ上で搬送される第１のＡＧ情報に従ってデータ送信を制御することができる。
【００２９】
この実施形態において、ＵＥは、ネットワーク側デバイスによって送信される従来型拡張絶対許可チャネルＥ−ＡＧＣＨ及び新たに追加された許可検出Ｅ−ＡＧＣＨを受信し、従来型Ｅ−ＡＧＣＨ及び許可検出Ｅ−ＡＧＣＨのうちの少なくとも１つのチャネル上で搬送される絶対許可ＡＧ情報を検出し、検出結果に従ってＵＥのデータ送信を制御する。したがって、データ送信の継続性を確保することができ、送信効率が改善される。
【００３０】
図２は、本発明の実施形態によるネットワーク側デバイスとユーザ機器との間の対話プロセスを示す図である。この実施形態において、ネットワーク側デバイスは、従来型Ｅ−ＡＧＣＨ及び許可検出Ｅ−ＡＧＣＨのうちの少なくとも１つのチャネルを通じてＡＧ情報をユーザ機器に送信し、ユーザ機器は前述の２つのＥ−ＡＧＣＨ上で同時にリッスンして、前述の２つのＥ−ＡＧＣＨを検出し、検出結果に従ってユーザ機器のデータ送信を制御する。図２に示されているように、対話プロセスは、以下のステップを含む。
【００３１】
ステップＳ２００：  ネットワーク側デバイスは、従来型Ｅ−ＡＧＣＨ及び許可検出Ｅ−ＡＧＣＨのうちの少なくとも１つのチャネルを通じてＡＧ情報をＵＥに送信する。
【００３２】
前述のステップは、ネットワーク側デバイスによって実行される。実際には、ネットワーク側デバイスは、基地局又はリレーのような、ＵＥと通信することができるデバイスであってもよい。
【００３３】
特に、ＵＥをスケジュールする場合、ネットワーク側デバイスは、スケジューリング許可値をＵＥに配信して、ＵＥのアップリンク送信電力をスケジューリングする目的を達成することができる。この実施形態において、任意のＵＥについて、ネットワーク側デバイスは、従来型Ｅ−ＡＧＣＨ及び許可検出Ｅ−ＡＧＣＨのうちの少なくとも１つのチャネルを通じてＡＧ情報をＵＥに配信することができる。つまり、ネットワーク側デバイスは、従来型Ｅ−ＡＧＣＨを通じてＡＧ情報をＵＥに配信することができるか、許可検出Ｅ−ＡＧＣＨを通じてＡＧ情報をＵＥに配信することができるか、又は従来型Ｅ−ＡＧＣＨ及び許可検出Ｅ−ＡＧＣＨを通じてＡＧ情報をＵＥに配信することができる。
【００３４】
さらに、任意のＵＥについて、前述のＡＧ情報はＵＥ自身のＡＧ情報であってもよいか、又はそのＵＥ以外の別のＵＥのＡＧ情報であってもよい。
【００３５】
実際に、前述の２つのＥ−ＡＧＣＨは、ＡＧ情報をＵＥに送信するためにネットワーク側デバイスによって使用されるチャネルであり、同じ時間−周波数リソースを占有することも、又は異なる時間−周波数リソースを占有することもあり、それについては本明細書において限定されることはないことに留意されたい。オプションとして、ＷＣＤＭＡシステムにおいて、ネットワーク側デバイスは、アップリンクの高ライズオーバーサーマル（Ｒｉｓｅ  Ｏｖｅｒ  Ｔｈｅｒｍａｌ，略してＲｏＴ）専用のセカンダリキャリアを使用して前述の第１のＥ−ＡＧＣＨ及び第２のＥ−ＡＧＣＨを送信することができる。
【００３６】
ステップＳ２０１：  ＵＥは、ネットワーク側デバイスによって送信される従来型拡張絶対許可チャネルＥ−ＡＧＣＨ及び新たに追加された許可検出Ｅ−ＡＧＣＨを受信する。
【００３７】
ステップの説明はステップＳ１００と同じであり、本明細書において詳細について再度説明されることはない。
【００３８】
ステップＳ２０２：  ＵＥは、従来型Ｅ−ＡＧＣＨ及び許可検出Ｅ−ＡＧＣＨのうちの少なくとも１つのチャネル上で搬送されるＡＧ情報を検出する。
【００３９】
特に、ネットワーク側デバイスが、従来型Ｅ−ＡＧＣＨ及び許可検出Ｅ−ＡＧＣＨのうちの少なくとも１つのチャネルを通じてＡＧ情報をＵＥに送信するので、前述の２つのＥ−ＡＧＣＨを受信した後、ＵＥは、前述の２つのＥ−ＡＧＣＨ上でＡＧ情報を検出することができる。
【００４０】
さらに、各ＵＥは、ＵＥのＡＧを検出するために専用の識別（Ｉｄｅｎｔｉｔｙ，略してＩＤ）を有するので、ＵＥは、前述の２つのＥ−ＡＧＣＨをデコードして、２つのＥ−ＡＧＣＨ上でＵＥに属するＡＧ情報があるかどうかを検出することができる。特に、検出中に、ＵＥは、従来型Ｅ−ＡＧＣＨ及び許可検出Ｅ−ＡＧＣＨを個別に検出することができる。
【００４１】
従来型Ｅ−ＡＧＣＨについて、ＵＥは、従来型Ｅ−ＡＧＣＨ上でＵＥに属するＡＧ情報があるかどうかを検出する必要があるだけである。ＵＥがデコーディングに失敗する場合、それは従来型Ｅ−ＡＧＣＨがＵＥの第１のＡＧ情報を搬送しないことを示し、ＵＥがデコーディングに成功する場合、それは従来型Ｅ−ＡＧＣＨがＵＥの第１のＡＧ情報を搬送することを示す。従来型Ｅ−ＡＧＣＨがユーザ機器の第１のＡＧ情報を搬送しないことをＵＥが検出するということは、従来型Ｅ−ＡＧＣＨがＡＧ情報を搬送しないか、又は従来型Ｅ−ＡＧＣＨがＡＧ情報を搬送するが、ＡＧ情報は前述の第１のＡＧ情報ではなく、そのＵＥ以外の別のＵＥの第２のＡＧ情報である、という２つの状況を含むことに留意されたい。
【００４２】
許可検出Ｅ−ＡＧＣＨについて、ＵＥは、許可検出Ｅ−ＡＧＣＨ上にＡＧ情報があるかどうかを最初に検出することができ、ＡＧ情報がある場合、ＵＥは、ＡＧ情報がＵＥ自身の第１のＡＧ情報であるかどうかをさらに検出する。
【００４３】
特に、ＵＥは、たとえば、許可検出Ｅ−ＡＧＣＨの信号対雑音比を検出するなど、許可検出Ｅ−ＡＧＣＨ上で情報の検出を最初に実行することができる。信号対雑音比が事前設定のしきい値よりも高い場合、許可検出Ｅ−ＡＧＣＨがＡＧ情報を搬送すると見なされ、信号対雑音比が前述の事前設定のしきい値よりも低い場合、許可検出Ｅ−ＡＧＣＨがＡＧ情報を搬送しないと見なされる。許可検出Ｅ−ＡＧＣＨがＡＧ情報を搬送することをＵＥが検出する場合、ＵＥは許可検出Ｅ−ＡＧＣＨをデコードする。ＵＥがデコーディングに失敗する場合、それは許可検出Ｅ−ＡＧＣＨがＵＥの第１のＡＧ情報を搬送しないことを示す。この場合、許可検出Ｅ−ＡＧＣＨがＡＧ情報を搬送するので、ＵＥはこの場合、許可検出Ｅ−ＡＧＣＨがそのＵＥ以外の別のＵＥの第２のＡＧ情報を搬送することを決定することができる。ＵＥがデコーディングに成功する場合、それは許可検出Ｅ−ＡＧＣＨがＵＥの第１のＡＧ情報を搬送することを示す。
【００４４】
許可検出Ｅ−ＡＧＣＨについて、ＵＥはまた、許可検出Ｅ−ＡＧＣＨ上のＡＧ情報がＵＥの第１のＡＧ情報であるかどうかを最初に検出することができ、第１のＡＧ情報ではない場合、ＵＥは、ＡＧ情報がそのＵＥ以外の別のＵＥの第２のＡＧ情報であるかどうかをさらに検出する。
【００４５】
特に、ＵＥは、許可検出Ｅ−ＡＧＣＨを最初にデコードすることができ、ＵＥがデコーディングに成功する場合、それは許可検出Ｅ−ＡＧＣＨがＵＥの第１のＡＧ情報を搬送することを示し、ＵＥがデコーディングに失敗する場合、それは許可検出Ｅ−ＡＧＣＨがＵＥの第１のＡＧ情報を搬送しないことを示す。この場合、ＵＥは、ＡＧ情報がそのＵＥ以外の別のＵＥの第２のＡＧ情報であるかどうかをさらに検出することができる。たとえば、ＵＥは、たとえば許可検出Ｅ−ＡＧＣＨの信号対雑音比を検出するなど、許可検出Ｅ−ＡＧＣＨで情報の検出をさらに実行することができる。信号対雑音比が事前設定のしきい値よりも高い場合、それは許可検出Ｅ−ＡＧＣＨ上のＡＧ情報がそのＵＥ以外の別のＵＥの第２のＡＧ情報であることを示し、信号対雑音比が前述の事前設定のしきい値よりも低い場合、それは許可検出Ｅ−ＡＧＣＨがＡＧ情報を搬送しないことを示す。
【００４６】
言うまでもなく、ＵＥが前述の２つのＥ−ＡＧＣＨチャネルを検出する順序は、本明細書において限定されることはない。オプションとして、実際には、ＵＥは、従来型Ｅ−ＡＧＣＨ及び許可検出Ｅ−ＡＧＣＨの優先度の降順に従って、従来型Ｅ−ＡＧＣＨ上で搬送されるＡＧ情報を最初に検出し、次いで許可検出Ｅ−ＡＧＣＨ上で搬送されるＡＧ情報を検出することができ、検出結果が、従来型Ｅ−ＡＧＣＨがＵＥに属する第１のＡＧ情報を搬送することである場合、ＵＥは、第１のＡＧ情報のＡＧ索引値に従ってデータ送信を直接制御し、検出結果が、従来型Ｅ−ＡＧＣＨがＵＥに属する第１のＡＧ情報を搬送しないことである場合、ＵＥは、許可検出Ｅ−ＡＧＣＨ上で検出結果に従ってデータ送信を制御する。
【００４７】
オプションとして、ＵＥはまた、２つのＥ−ＡＧＣＨ上のＡＧ情報を別個に検出して、検出結果に従ってＵＥのデータ送信操作を決定し、実行シーケンスは本明細書において限定されることはない。ＵＥが、２つのＥ−ＡＧＣＨの両方でＵＥのＡＧ情報を検出するか、又は第１のＥ−ＡＧＣＨ上でＵＥのＡＧ情報を検出して、第２のＥ−ＡＧＣＨ上で別のＵＥのＡＧ情報を検出するか、又は第１のＥ−ＡＧＣＨ上でＵＥのＡＧ情報を検出して、第２のＥ−ＡＧＣＨ上でＡＧ情報を検出しない場合、ＵＥは、第２のＥ−ＡＧＣＨでの検出結果には注意を払うことなく第１のＥ−ＡＧＣＨ上のＡＧ情報に従ってデータ送信操作を実行する。
【００４８】
ステップＳ２０３：  ＵＥは、検出結果に従ってＵＥのデータ送信を制御する。
【００４９】
特に、従来型Ｅ−ＡＧＣＨ及び許可検出Ｅ−ＡＧＣＨを検出した後、ＵＥは、検出結果に従ってＵＥのデータ送信を制御することができる。
【００５０】
後段では、ステップＳ２０２において前述の２つのＥ−ＡＧＣＨ上でＵＥによって実行された検出のさまざまな結果に従って、ＵＥのデータ送信を、ＵＥによって制御するプロセスを詳細に説明する。
【００５１】
（１）  ＵＥが、従来型Ｅ−ＡＧＣＨ及び許可検出Ｅ−ＡＧＣＨのうちの少なくとも１つのチャネルがＵＥの第１のＡＧ情報を搬送することを検出する場合、ＵＥは、前述の第１のＡＧ情報に従ってデータ送信を制御する。
【００５２】
特に、ＵＥが、従来型Ｅ−ＡＧＣＨがＵＥの第１のＡＧ情報を搬送することを検出する場合、ＵＥは、前述の第１のＡＧ情報に従ってデータ送信を制御し、ＵＥが、従来型Ｅ−ＡＧＣＨが前述の第１のＡＧ情報を搬送しないことを検出し、許可検出Ｅ−ＡＧＣＨが前述の第１のＡＧ情報を搬送することを検出する場合、ＵＥは、前述の第１のＡＧ情報に従ってデータ送信を制御し、ＵＥが、従来型Ｅ−ＡＧＣＨがＵＥの第１のＡＧ情報を搬送することを検出し、許可検出Ｅ−ＡＧＣＨもまたＵＥの第１のＡＧ情報を搬送することを検出する場合、オプションとして、ＵＥは、許可検出Ｅ−ＡＧＣＨでの検出結果に注意を払うことなく従来型Ｅ−ＡＧＣＨ上で搬送される第１のＡＧ情報に従ってデータ送信を制御することができる。
【００５３】
たとえば、第１のＡＧ情報に従ってデータ送信を制御するということは次のような意味があり、第１のＡＧ情報のＡＧ値索引が０又は１である場合、これはデータ送信を停止することを示す、つまり、ＵＥがデータ送信を現在実行している場合、データ送信は停止され、ＵＥがデータ送信を実行していない場合、データ送信は引き続き実行されないことを示し、第１のＡＧ情報のＡＧ値索引が２から３１の間の任意の整数である場合、これは異なる送信電力オフセットを指示し、ＵＥがデータ送信を実行している場合、ＵＥは前述の第１のＡＧ情報に従って現在のデータ送信の送信電力オフセットを調整し、ＵＥがデータ送信を実行していない場合、ＵＥは前述のＡＧに対応する送信電力オフセットに従ってデータ送信を開始する。
【００５４】
（２）  ＵＥが、従来型Ｅ−ＡＧＣＨがＵＥの第１のＡＧ情報を搬送しないこと、及び許可検出Ｅ−ＡＧＣＨがそのＵＥ以外の別のＵＥの第２のＡＧ情報を搬送することを検出する場合、ＵＥはデータ送信を実行しない。
【００５５】
特に、ＵＥの許可検出Ｅ−ＡＧＣＨがそのＵＥ以外の別のＵＥの第２のＡＧ情報を搬送し、従来型Ｅ−ＡＧＣＨがＡＧ情報を搬送しない場合、ＵＥはデータ送信を実行せず、ＵＥの許可検出Ｅ−ＡＧＣＨがそのＵＥ以外の別のＵＥの第２のＡＧ情報を搬送し、従来型Ｅ−ＡＧＣＨがそのＵＥ以外の別のＵＥの第２のＡＧ情報を搬送する場合、ＵＥはデータ送信を実行しない。
【００５６】
ＵＥがデータ送信を実行しないということは、ＵＥがデータ送信を現在実行している場合、データ送信は停止され、ＵＥがデータ送信を実行していない場合、データ送信は引き続き実行されないことを意味することに留意されたい。ネットワーク側デバイスとユーザ機器との間の前述の対話プロセスについては、例を使用して以下で説明される。図３Ａは、従来技術における４つのユーザ機器のスケジューリングを示す概略図であり、図３Ｂは、本発明の実施形態による４つのユーザ機器のスケジューリングを示す概略図である。図３Ａ及び図３Ｂにおいて、図面内の横軸上の１から１２は、異なるタイムスロットを表し、ネットワーク側デバイスは、４つのＵＥ、すなわちＵＥ１、ＵＥ２、ＵＥ３、及びＵＥ４をスケジュールする必要があり、従来型Ｅ−ＡＧＣＨから受信したＡＧ情報に対応するデータ送信は、斜線縞の四角形を使用することにより表され、許可検出Ｅ−ＡＧＣＨから受信したＡＧ情報に対応するデータ送信は、格子縞の四角形を使用することにより表され、Ｅ−ＤＰＣＨ上の空白四角形は、ＵＥがデータを送信しないことを表し、Ｅ−ＡＧＣＨ上の空白四角形は、ネットワーク側デバイスがＡＧ情報を送信しないことを表す。斜線縞の四角形は、ＵＥのデータ送信が、従来型Ｅ−ＡＧＣＨから受信されたＵＥのＡＧ情報によって開始されることを表すのみであって、そのＥ−ＤＰＤＣＨからＤＰＣＣＨへの送信電力オフセットが不変のままであることを表すわけではないことに留意されたい。同様に、格子縞の四角形は、ＵＥのデータ送信が、許可検出Ｅ−ＡＧＣＨから受信されたＵＥのＡＧ情報によって開始されることを表すのみであって、そのＥ−ＤＰＤＣＨからＤＰＣＣＨへの送信電力オフセットが不変のままであることを表すわけではないことに留意されたい。当初は、４つのＵＥはすべて、従来型Ｅ−ＡＧＣＨから受信されたそれぞれのＡＧ情報に従ってデータ送信を開始する。つまり、第１のタイムスロット及び第２のタイムスロットにおいて、前述の４つのすべてのＵＥのデータ送信は、斜線縞の四角形を使用することによって表される。
【００５７】
図３Ａに示されるように、第２のタイムスロットにおいて、ネットワーク側デバイスは、許可検出Ｅ−ＡＧＣＨを通じてＵＥ４のＡＧ情報を送信する。背景技術における説明によれば、第３のタイムスロットにおいて、ＵＥ１、ＵＥ２、及びＵＥ３は、許可検出Ｅ−ＡＧＣＨ、つまり新しいＥ−ＡＧＣＨから別のＵＥのＡＧ情報を受信し、ＵＥ１、ひいてはＵＥ２、及びＵＥ３は各自のデータ送信を停止することが理解される。したがって、第３のタイムスロットにおいて、ＵＥ４のみが、第２のタイムスロットでＵＥ４によって受信されたＡＧ情報に従ってデータ送信を実行する。この事例において、ネットワーク側デバイスがＵＥ２をスケジュールする必要がある場合、ネットワーク側デバイスは、従来型Ｅ−ＡＧＣＨを通じて第３のタイムスロットにおいてＵＥ２のＡＧ情報を配信することによってのみ、ＵＥ２のデータ送信を再開することができる。しかし、ＵＥ２については、第３のタイムスロットにおいてＵＥ２はデータ送信を実行しない。したがって、データ送信中断の問題が発生する。
【００５８】
ネットワーク側デバイスは、後続の第３から第７のタイムスロットにおいてＡＧ情報を送信しないので、ＵＥは各自の現在のデータ送信操作を変更しないままである。
【００５９】
第８のタイムスロットにおいて、ネットワーク側デバイスは、許可検出Ｅ−ＡＧＣＨを通じてＵＥ１のＡＧ情報を送信し続け、ＵＥ１のデータ送信は次のタイムスロットにおいて再開されてもよい。同時に、ＵＥ２及びＵＥ４は許可検出Ｅ−ＡＧＣＨから別のＵＥのＡＧ情報を受信し、したがってＵＥ２及びＵＥ４は、各自のデータ送信を停止する。加えて、この事例において、ネットワーク側デバイスがＵＥ３をスケジュールする必要がさらにある場合、ＵＥ３のＡＧ情報は、従来型Ｅ−ＡＧＣＨを通じて第９のタイムスロットにおいてのみ配信されうる。しかし、ＵＥ３については、第９のタイムスロットにおいてＵＥ３はデータ送信を実行しない。つまり、１つのＵＥのみが、このタイムスロットにおいてデータ送信を実行する。要するに、ネットワーク側デバイスが第３のタイムスロット及び第９のタイムスロットにおいてＵＥの切替えを実行する場合、つまりＵＥ２及びＥＵ４が第３のタイムスロットにおいてスケジュールされ、ＵＥ１及びＵＥ３が第９のタイムスロットにおいてスケジュールされる場合、ＵＥのデータ送信は中断される。
【００６０】
これとは相対的に、図３Ｂに示されるように、第２のタイムスロットにおいて、ネットワーク側デバイスは、従来型Ｅ−ＡＧＣＨを通じてＵＥ２のＡＧを送信し、許可検出Ｅ−ＡＧＣＨを通じてＵＥ４のＡＧ情報を送信する。次いで、この場合４つのＵＥが前述の２つのＡＧ情報を受信すると、ＵＥは個別に異なるデータ送信操作を有する。ＵＥ１及びＵＥ３について、２つのチャネル上のＡＧ情報はＵＥ１又はＵＥ３に属していないので、ＵＥ１及びＵＥ３が共に次のタイムスロットにおいてデータ送信を停止することがステップＳ２０３の（２）の説明から理解される。ＵＥ２について、この場合ＵＥ２が自身のＡＧ情報を従来型Ｅ−ＡＧＣＨから受信し、許可検出Ｅ−ＡＧＣＨ上のＡＧ情報がＵＥ２に属していない、したがって、ＵＥ２は、従来型Ｅ−ＡＧＣＨ上のＡＧ情報に従ってデータ送信を実行する、つまり、次のタイムスロットにおいて、第２のタイムスロットで実行されたデータ送信を続行することが、ステップＳ２０３の（１）の説明から理解される。しかし、データ送信中のＵＥ２の送信電力オフセットは、第２のタイムスロットにおいてＵＥ２によって受信されたＡＧに対応する送信電力オフセットである。ＵＥ４については、ＵＥ４が自身のＡＧ情報を許可検出Ｅ−ＡＧＣＨから受信し、したがって、ＵＥ４が、第２のタイムスロットにおいてＵＥ４によって受信されたＡＧ情報に従って、次のタイムスロットにおいてデータ送信を実行することが、ステップＳ２０３の（１）の説明から理解される。
【００６１】
ネットワーク側デバイスは、後続の第３から第７のタイムスロットにおいてＡＧ情報を送信しないので、ＵＥは各自の現行のデータ送信操作を変更しないままである。
【００６２】
第８のタイムスロットにおいて、ネットワーク側デバイスは、従来型Ｅ−ＡＧＣＨを通じてＵＥ３のＡＧを送信し、許可検出Ｅ−ＡＧＣＨを通じてＵＥ１のＡＧ情報を送信する。次いで、この場合４つのＵＥが前述の２つのＡＧ情報を受信すると、ＵＥは個別に異なるデータ送信操作を有する。ＵＥ１について、ＵＥ１は自身のＡＧ情報を許可検出Ｅ−ＡＧＣＨから受信するのみで、第３のタイムスロットにおいてデータ送信を停止するので、ＵＥ１は、ＡＧ情報に従って次のタイムスロットにおいてデータ送信を再開する。ＵＥ２及びＵＥ４については、この場合２つのチャネル上のＡＧ情報はＵＥ２又はＵＥ４に属していないので、ＵＥ２が次のタイムスロットにおいてデータ送信を停止することが前述の説明から理解される。ＵＥ３については、ＵＥ３が自身のＡＧ情報を従来型Ｅ−ＡＧＣＨから受信し、許可検出Ｅ−ＡＧＣＨ上のＡＧ情報がＵＥ３に属しておらず、ＵＥ３が第３のタイムスロットにおいてデータ送信を停止し、したがって、ＵＥ３は、従来型Ｅ−ＡＧＣＨ上のＡＧ情報に従ってデータ送信を実行する、つまり、ＡＧ情報に従って次のタイムスロットにおいてデータ送信を再開する。
【００６３】
前述の例における４つのＵＥは、ネットワーク内の任意のＵＥであってもよく、本明細書において限定されないことに留意されたい。加えて、例において説明される解決策では、ネットワーク側デバイスは第３のタイムスロットにおいてＵＥ２及びＵＥ４をスケジュールすることができるか、又は第９のタイムスロットにおいてＵＥ２及びＵＥ４をＵＥ３及びＵＥ１に切替えることができる。実際には、ネットワーク側デバイスは、実際の状況に応じて、前述の２つのＥ−ＡＧＣＨ上のＵＥのＡＧ情報を送信するよう選択して、ＵＥを柔軟にスケジュールするという目的を達成することができる。
【００６４】
ネットワーク側デバイスが、従来型Ｅ−ＡＧＣＨ及び許可検出Ｅ−ＡＧＣＨを通じて第２のタイムスロットにおいて、ＵＥ２のＡＧ情報をＵＥ２に、及びＵＥ４のＡＧ情報をＵＥ４にそれぞれ送信し、さまざまなＥ−ＡＧＣＨの間の優先度ルールは、ＵＥ２及びＵＥ４が、データ中断を生じることなく共に各自のＡＧ情報に従ってデータ送信を実行することができるように、あらかじめ定義されることが前述の例から分かる。つまり、ＵＥ２及びＵＥ４のデータ送信中には、アイドル状態のタイムスロットはない。同様に、ネットワーク側デバイスは、第８のタイムスロットにおいて、従来型Ｅ−ＡＧＣＨ及び許可検出Ｅ−ＡＧＣＨを通じて、ＵＥ３のＡＧ情報をＵＥ３に、ＵＥ１のＡＧ情報をＵＥ１にそれぞれ送信して、ユーザ機器がＵＥ２及びＵＥ４からＵＥ３及びＵＥ１に切替えられる場合に、ＵＥ３及びＵＥ１が共にデータ中断を生じることなく各自のＡＧ情報に従ってデータ送信を確実に実行することができるようにし、それによりユーザ機器のデータ送信の継続性を確保して、送信効率を改善する。
【００６５】
図４は、本発明の実施形態によるユーザ機器を示す概略構造図である。図４に示されるように、ユーザ機器１は、受信モジュール１０及び検出モジュール１１を含む。
【００６６】
特に、受信モジュール１０は、ネットワーク側デバイスによって送信される従来型拡張絶対許可チャネルＥ−ＡＧＣＨ、及び新たに追加された許可検出Ｅ−ＡＧＣＨを受信するように構成され、検出モジュール１１は、従来型Ｅ−ＡＧＣＨ及び許可検出Ｅ−ＡＧＣＨのうちの少なくとも１つのチャネル上で搬送される絶対許可ＡＧ情報を検出して、検出結果に従ってユーザ機器のデータ送信を制御するように構成される。
【００６７】
さらに、検出モジュール１１は、特に、従来型Ｅ−ＡＧＣＨ及び許可検出Ｅ−ＡＧＣＨのうちの少なくとも１つのチャネルがユーザ機器の第１のＡＧ情報を搬送することが検出される場合、ユーザ機器の第１のＡＧ情報に従ってデータ送信を制御するように構成される。
【００６８】
さらに、検出モジュール１１は、特に、従来型Ｅ−ＡＧＣＨがユーザ機器の第１のＡＧ情報を搬送することが検出される場合、ユーザ機器の第１のＡＧ情報に従ってデータ送信を制御するように構成され、及び従来型Ｅ−ＡＧＣＨがユーザ機器の第１のＡＧ情報を搬送せず、許可検出Ｅ−ＡＧＣＨがユーザ機器の第１のＡＧ情報を搬送することが検出される場合、第１のＡＧ情報に従ってデータ送信を制御するように構成される。
【００６９】
さらに、検出モジュール１１は、特に、従来型Ｅ−ＡＧＣＨがユーザ機器の第１のＡＧ情報を搬送せず、許可検出Ｅ−ＡＧＣＨがそのユーザ機器以外の別のユーザ機器の第２のＡＧ情報を搬送することが検出される場合、データ送信の実行をスキップするように構成される。
【００７０】
さらに、検出モジュール１１は、特に、従来型Ｅ−ＡＧＣＨ及び許可検出Ｅ−ＡＧＣＨの優先度の降順に従って、従来型Ｅ−ＡＧＣＨ上で搬送されるＡＧ情報を最初に検出し、次いで許可検出Ｅ−ＡＧＣＨ上で搬送されるＡＧ情報を検出するように構成される。
【００７１】
この実施形態において、ユーザ機器１は、ネットワーク側デバイスによって送信される従来型拡張絶対許可チャネルＥ−ＡＧＣＨ、及び新たに追加された許可検出Ｅ−ＡＧＣＨを受信し、従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器１のデータ送信を制御する。したがって、データ送信の継続性を確保することができ、送信効率が改善される。
【００７２】
図５は、本発明の実施形態によるもう１つのユーザ機器を示す概略構造図である。図５に示されるように、ユーザ機器２は、メモリ２０及びプロセッサ２１を含む。
【００７３】
特に、メモリ２０は、命令を格納するように構成され、プロセッサ２１は、メモリ２０に格納されている命令を実行して、図１に対応する実施形態による絶対許可を送信するための方法を実行するように構成される。
【００７４】
この実施形態において、ユーザ機器２は、ネットワーク側デバイスによって送信される従来型拡張絶対許可チャネルＥ−ＡＧＣＨ、及び新たに追加された許可検出Ｅ−ＡＧＣＨを受信し、従来型Ｅ−ＡＧＣＨ及び許可検出Ｅ−ＡＧＣＨのうちの少なくとも１つのチャネル上で搬送される絶対許可ＡＧ情報を検出し、検出結果に従ってユーザ機器２のデータ送信を制御する。したがって、データ送信の継続性を確保することができ、送信効率が改善される。
【００７５】
図６は、本発明の実施形態による絶対許可を送信するためのもう１つの方法を示す流れ図である。この実施形態において、ユーザ機器は、ネットワーク側デバイスによって送信された複数の新たに追加されたＥ−ＡＧＣＨチャネルを受信し、複数の新たに追加されたＥ−ＡＧＣＨのうちの少なくとも１つのチャネルがユーザ機器のＡＧを搬送することを決定し、ＡＧに従ってデータ送信操作を実行する。図６に示されるように、絶対許可を送信するための前述の方法は、以下のステップを含む。
【００７６】
ステップＳ３００：  ユーザ機器は、ネットワーク側デバイスによって送信された複数の新たに追加されたＥ−ＡＧＣＨを受信する。
【００７７】
ステップＳ３０１：  ユーザ機器は、複数の新たに追加されたＥ−ＡＧＣＨのうちの１つのチャネル上で搬送される絶対許可ＡＧ情報を検出し、検出結果に従ってユーザ機器のデータ送信を制御する。
【００７８】
本明細書において新たに追加されたＥ−ＡＧＣＨは背景技術における新しいＥ−ＡＧＣＨであり、これはまた新たに追加された許可検出Ｅ−ＡＧＣＨとなりうることに留意されたい。新たに追加されたＥ−ＡＧＣＨと従来型Ｅ−ＡＧＣＨとの相違点は、従来型Ｅ−ＡＧＣＨの場合、ＵＥが従来型Ｅ−ＡＧＣＨ上のＵＥに属するＡＧを検出すると、ＵＥは、チャネル上のＡＧに従ってＵＥのデータ送信を制御するが、一方、新たに追加されたＥ−ＡＧＣＨの場合、ＵＥは、新たに追加されたＥ−ＡＧＣＨ上のＵＥに属するＡＧを検出して、検出されたＡＧに従ってＵＥのデータ送信を制御することができるだけではなく、新たに追加されたＥ−ＡＧＣＨ上の別のＵＥのＡＧを検出して、別のユーザのＡＧを検出すると、現在実行されているデータ送信を停止できることにある。前述の複数の新たに追加されたＥ−ＡＧＣＨは、ＡＧ情報をＵＥに送信するためにネットワーク側デバイスによって使用されるチャネルであり、同じ時間−周波数リソースを占有することも、又は異なる時間−周波数リソースを占有することもあり、それについては本明細書において限定されることはない。
【００７９】
さらに、前述の複数の新たに追加されたＥ−ＡＧＣＨを受信した後、ＵＥは、複数の新たに追加されたＥ−ＡＧＣＨのうちの１つのチャネル上で搬送される絶対許可ＡＧ情報を検出することができ、検出結果に従ってＵＥのデータ送信を制御する。
【００８０】
オプションとして、ＵＥが、複数の新たに追加されたＥ−ＡＧＣＨのうちの１つのチャネルが第１のＡＧ情報を搬送することを検出する場合、ただし第１のＡＧ情報はＵＥのＡＧ情報を表す場合、ＵＥは第１のＡＧ情報に従ってデータ送信を制御し、ユーザ機器が、複数の新たに追加されたＥ−ＡＧＣＨのいずれもユーザ機器の第１のＡＧ情報を搬送せず、複数の新たに追加された許可検出Ｅ−ＡＧＣＨのうちの１つのチャネルがそのユーザ機器以外の別のユーザ機器の第２のＡＧ情報を搬送することを検出する場合、ユーザ機器はデータ送信を実行しない。ＵＥがデータ送信を実行しないということは、ＵＥがデータ送信を現在実行している場合、データ送信は停止され、ＵＥがデータ送信を実行していない場合、データ送信は引き続き実行されないことを参照することに留意されたい。
【００８１】
この実施形態において、ＵＥは、ネットワーク側デバイスによって送信された複数の新たに追加されたＥ−ＡＧＣＨを受信し、複数の新たに追加されたＥ−ＡＧＣＨのうちの少なくとも１つのチャネル上で搬送される絶対許可ＡＧ情報を検出して、検出結果に従ってＵＥのデータ送信を制御する。したがって、データ送信の継続性を確保することができ、送信効率が改善される。
【００８２】
図７は、本発明の実施形態によるさらにもう１つのユーザ機器を示す概略構造図である。図７に示されるように、ユーザ機器３は、受信モジュール３０及び検出モジュール３１を含む。
【００８３】
受信モジュール３０は、ネットワーク側デバイスによって送信された複数の新たに追加されたＥ−ＡＧＣＨを受信するように構成される。
【００８４】
検出モジュール３１は、複数の新たに追加されたＥ−ＡＧＣＨのうちの１つのチャネル上で搬送される絶対許可ＡＧ情報を検出し、検出結果に従ってユーザ機器のデータ送信を制御するように構成される。
【００８５】
さらに、検出モジュール３１は、特に、複数の新たに追加されたＥ−ＡＧＣＨのうちの１つのチャネルがユーザ機器の第１のＡＧ情報を搬送することが検出される場合、第１のＡＧ情報に従ってユーザ機器のデータ送信を制御するように構成されるか、又は、複数の新たに追加されたＥ−ＡＧＣＨのいずれもユーザ機器の第１のＡＧ情報を搬送しないこと、及び複数の新たに追加されたＥ−ＡＧＣＨのうちの１つのチャネルがそのユーザ機器以外の別のユーザ機器の第２のＡＧ情報を搬送することが検出される場合、ユーザ機器を制御してデータ送信の実行をスキップするように構成される。
【００８６】
この実施形態において、ユーザ機器３は、ネットワーク側デバイスによって送信された複数の新たに追加されたＥ−ＡＧＣＨを受信し、複数の新たに追加されたＥ−ＡＧＣＨのうちの少なくとも１つのチャネル上で搬送される絶対許可ＡＧ情報を検出して、検出結果に従ってユーザ機器３のデータ送信を制御する。したがって、データ送信の継続性を確保することができ、送信効率が改善される。
【００８７】
図８は、本発明の実施形態によるさらにもう１つのユーザ機器を示す概略構造図である。図８に示されるように、ユーザ機器４は、メモリ４０及びプロセッサ４１を含む。
【００８８】
特に、メモリ４０は、命令を格納するように構成され、プロセッサ４１は、メモリ４０に格納されている命令を実行して、図６に対応する実施形態による絶対許可を送信するための方法、つまりステップＳ３００、Ｓ３０１などを実行するように構成される。
【００８９】
この実施形態において、ユーザ機器４は、ネットワーク側デバイスによって送信された複数の新たに追加されたＥ−ＡＧＣＨを受信し、複数の新たに追加されたＥ−ＡＧＣＨのうちの１つのチャネル上で搬送される絶対許可ＡＧ情報を検出し、検出結果に従ってユーザ機器４のデータ送信を制御する。したがって、データ送信の継続性を確保することができ、送信効率が改善される。
【００９０】
図９は、本発明の実施形態による絶対許可を送信するためのさらにもう１つの方法を示し、方法は以下のステップを含む。
【００９１】
ステップＳ４００：  ユーザ機器は、ネットワーク側デバイスによって送信される新たに追加された拡張絶対許可チャネルＥ−ＡＧＣＨ及び第１のチャネルを受信する。
【００９２】
ステップＳ４０１：  ユーザ機器は、新たに追加されたＥ−ＡＧＣＨ上で搬送される絶対許可ＡＧ情報、及び第１のチャネル上で搬送される許可情報を検出し、検出結果に従ってユーザ機器のデータ送信を制御する。
【００９３】
特に、本明細書において新たに追加されたＥ−ＡＧＣＨは背景技術における新しいＥ−ＡＧＣＨであることに留意されたい。新たに追加されたＥ−ＡＧＣＨ上で別のＵＥのＡＧを検出すると、ＵＥは、現在実行されているデータ送信を停止する。加えて、従来技術において、データ送信を制御する場合、ユーザ機器はサービング許可（Ｓｅｒｖｉｎｇ  Ｇｒａｎｔ，ＳＧ）を保持し、次いでサービング許可に従ってデータ送信を制御する。サービング許可は一般に、ユーザ機器がスケジュールされたデータを送信することができる電力上限値を計算するために使用される。ネットワーク側デバイスがＡＧ値をユーザ機器に通知する場合、ユーザ機器は、ユーザ機器によって保持されているサービング許可をＡＧ値で更新し、次いでデータ送信を制御する。ステップＳ４０１の検出結果は、以下の複数の状況を含むことができる。
【００９４】
Ｓ４０１Ａ：  ユーザ機器が、新たに追加されたＥ−ＡＧＣＨがユーザ機器の第１のＡＧ情報を搬送することを検出する場合、ユーザ機器は、第１のＡＧ情報に従ってデータ送信を制御する。
【００９５】
Ｓ４０１Ｂ：  ユーザ機器が、新たに追加されたＥ−ＡＧＣＨがそのユーザ機器以外の別のユーザ機器の第２のＡＧ情報を搬送することを検出する場合、ユーザ機器は、第１のチャネル上で搬送される許可情報の検出結果に従ってデータ送信を制御する。
【００９６】
Ｓ４０１Ｃ：  ユーザ機器が、新たに追加されたＥ−ＡＧＣＨがいかなる情報も搬送しないことを検出する場合、ユーザ機器は、第１のチャネル上で搬送される許可情報の検出結果に従ってデータ送信を制御する。
【００９７】
可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出する場合、ユーザ機器は、許可情報及び現在のサービング許可に従って更新されたサービング許可を取得し、更新されたサービング許可に従ってデータ送信を制御する、及び
ユーザ機器が、新たに追加されたＥ−ＡＧＣＨがそのユーザ機器以外の別のユーザ機器の第２のＡＧ情報を搬送することを検出し、第１のチャネルが許可情報を搬送しないことを検出する場合、ユーザ機器は、データ送信を停止する、ただし
許可情報は、現在のサービング許可を増大又は低減して、更新されたサービング許可を取得するよう指示する。Ｅ−ＤＣＨ相対許可チャネル（Ｅ−ＲＧＣＨ，Ｅ−ＤＣＨ  Ｒｅｌａｔｉｖｅ  Ｇｒａｎｔ  Ｃｈａｎｎｅｌ）チャネルは、本明細書において第１のチャネルとして再使用されうることに留意されたい。たとえば、Ｅ−ＲＧＣＨチャネルによって搬送される許可情報は、２つの指示情報、つまり「＋１」又は「−１」であってもよく、ここで＋１はユーザ機器によって現在保持されているサービング許可を増大するよう指示し、−１はユーザ機器によって現在保持されているサービング許可を低減するよう指示する。当業者であれば、増大又は低減の大きさはプロトコルで規定されてもよいことを理解されたい。Ｅ−ＲＧＣＨチャネルがチャネル化コード及びシグニチャシーケンス（ｓｉｇｎａｔｕｒｅ）を使用することによって表されてもよく、異なるＥ−ＲＧＣＨチャネルが異なるチャネル化コードを使用することによって区別されてもよいか、又は異なるシグニチャシーケンスを使用することによって区別されてもよいか、又は異なるチャネル化コード及び異なるシグニチャシーケンスを同時に使用することによって区別されてもよいことを理解されたい。従来型Ｅ−ＲＧＣＨチャネルは、ＳＧの値を調整するために使用されてもよい。この実施方法において、従来型Ｅ−ＲＧＣＨチャネルが第１のチャネルとして再使用される場合、従来型Ｅ−ＲＧＣＨチャネルは、相対許可に従って現在のＳＧを増大又は低減して、新しいＳＧ値を取得するようユーザ機器に指示することができる。加えて、新しいＥ−ＲＧＣＨチャネルは、第１のチャネルとしてさらに使用されてもよい、つまりネットワークは各ユーザ機器に２つのＥ−ＲＧＣＨチャネルを割り振り、その１つは従来型Ｅ−ＲＧＣＨであって、ＳＧの値を調整するために使用され、もう１つは新しいＥ−ＲＧＣＨであって、特に、ユーザ機器が、新たに追加されたＥ−ＡＧＣＨがそのユーザ機器以外の別のユーザ機器の第２のＡＧ情報を搬送することを検出する場合、ユーザ機器にデータ送信を停止しないよう、及びデータ送信が実行されるときに使用される許可の値を制御しないよう指示するために使用される。
【００９８】
もう１つの可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出する場合、ユーザ機器は、許可情報に従ってデータ送信を制御する、ただし許可情報はユーザ機器の現在のサービング許可に従って送信の実行を継続するよう指示する、及び
ユーザ機器が、新たに追加されたＥ−ＡＧＣＨがそのユーザ機器以外の別のユーザ機器の第２のＡＧ情報を搬送することを検出し、第１のチャネルが許可情報を搬送しないことを検出する場合、ユーザ機器はデータ送信を停止する。
【００９９】
この事例において、第１のチャネルが従来型Ｅ−ＲＧＣＨチャネルである場合、ユーザ機器が、新たに追加されたＥ−ＡＧＣＨがそのユーザ機器以外の別のユーザ機器の第２のＡＧ情報を搬送することを検出すると、Ｅ−ＲＧＣＨは、ユーザ機器の現在のサービング許可に従って送信の実行を継続するよう指示するために使用され、ユーザ機器が、新たに追加されたＥ−ＡＧＣＨがいかなる情報も搬送しないことを検出すると、Ｅ−ＲＧＣＨチャネルは元の定義を保持し、ＳＧの値を調整するために使用される。第１のチャネルが新しいＥ−ＲＧＣＨである場合、つまりネットワークは各ユーザ機器に２つのＥ−ＲＧＣＨチャネルを割り振り、その１つは従来型Ｅ−ＲＧＣＨであって、ＳＧの値を調整するために使用され、もう１つは新しいＥ−ＲＧＣＨであって、特に、ユーザ機器が、新たに追加されたＥ−ＡＧＣＨがそのユーザ機器以外の別のユーザ機器の第２のＡＧ情報を搬送することを検出すると、ユーザ機器の現在のサービング許可に従って送信の実行を継続するようユーザ機器に指示するために使用され、ユーザ機器が、新たに追加されたＥ−ＡＧＣＨがいかなる情報も搬送しないことを検出すると、新しいＥ−ＲＧＣＨチャネルは無効であり、たとえユーザが新しいＥ−ＲＧＣＨチャネルを受信してもユーザは新しいＥ−ＲＧＣＨチャネル上で搬送された情報に注意を払わないこともある。
【０１００】
さらに、ネットワーク側が、そのユーザ機器以外の別のユーザ機器の第２のＡＧ情報を搬送するＥ−ＡＧＣＨを配信する場合、情報、すなわち「＋１」又は「−１」は固定された方式でＥ−ＲＧＣＨにマップされてもよく、ユーザ機器は、ネットワーク側上位レイヤシグナリングを使用することなどによりプロトコル事前定義又は配信の方法で、あらかじめ、情報がマップされているかどうかについて通知され、ユーザ機器がＥ−ＲＧＣＨ上の許可情報を検出する確率を高められるようになっている。本明細書においてＥ−ＲＧＣＨは、従来型Ｅ−ＲＧＣＨ又は新しいＥ−ＲＧＣＨを含む。
【０１０１】
さらにもう１つの可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出する場合、ユーザ機器は、データ送信を停止する、ただし許可情報はデータ送信を停止するよう指示する、
ユーザ機器が、新たに追加されたＥ−ＡＧＣＨがそのユーザ機器以外の別のユーザ機器の第２のＡＧ情報を搬送することを検出し、第１のチャネルが許可情報を搬送しないことを検出する場合、ユーザ機器は、現在のサービング許可に従ってデータ送信の実行を継続する。
【０１０２】
この事例において、第１のチャネルが従来型Ｅ−ＲＧＣＨチャネルである場合、ユーザ機器が、新たに追加されたＥ−ＡＧＣＨがそのユーザ機器以外の別のユーザ機器の第２のＡＧ情報を搬送することを検出すると、Ｅ−ＲＧＣＨは、データ送信を停止するようユーザ機器に指示するために使用され、ユーザ機器が、新たに追加されたＥ−ＡＧＣＨがいかなる情報も搬送しないことを検出すると、Ｅ−ＲＧＣＨチャネルは元の定義を保持し、ＳＧの値を調整するために使用される。第１のチャネルが新しいＥ−ＲＧＣＨである場合、つまりネットワークは各ユーザ機器に２つのＥ−ＲＧＣＨチャネルを割り振り、その１つは従来型Ｅ−ＲＧＣＨであって、ＳＧの値を調整するために使用され、もう１つは新しいＥ−ＲＧＣＨチャネルであって、特に、ユーザ機器が、新たに追加されたＥ−ＡＧＣＨがそのユーザ機器以外の別のユーザ機器の第２のＡＧ情報を搬送することを検出すると、データ送信を停止するようユーザ機器に指示するために使用され、ユーザ機器が、新たに追加されたＥ−ＡＧＣＨがいかなる情報も搬送しないことを検出すると、新しいＥ−ＲＧＣＨチャネルは無効であり、たとえユーザが新しいＥ−ＲＧＣＨチャネルを受信してもユーザは新しいＥ−ＲＧＣＨチャネル上で搬送された情報に注意を払わないこともある。
【０１０３】
さらに、ネットワーク側が、そのユーザ機器以外の別のユーザ機器の第２のＡＧ情報を搬送するＥ−ＡＧＣＨを配信する場合、情報、すなわち「＋１」又は「−１」は固定された方式でＥ−ＲＧＣＨにマップされてもよく、ユーザ機器は、ネットワーク側上位レイヤシグナリングを使用することなどによりプロトコル事前定義又は配信の方法で、あらかじめ、情報がマップされているかどうかについて通知され、ユーザ機器がＥ−ＲＧＣＨ上の許可情報を検出する確率を高められるようになっている。本明細書においてＥ−ＲＧＣＨは、従来型Ｅ−ＲＧＣＨ又は新しいＥ−ＲＧＣＨを含む。
【０１０４】
さらにもう１つの可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出し、許可情報は第１の許可指示である場合、ユーザ機器は、現在のサービング許可に従って送信の実行を継続する、及び
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出し、許可情報は第２の許可指示である場合、ユーザ機器は、データ送信を停止する、ただし
第１の許可指示は、現在のサービング許可に従ってデータ送信の実行を継続するようユーザ機器に指示し、第２の許可指示は、データ送信の実行を停止するようユーザ機器に指示する。
【０１０５】
この事例において、第１のチャネルが従来型Ｅ−ＲＧＣＨチャネルである場合、ユーザ機器が、新たに追加されたＥ−ＡＧＣＨがそのユーザ機器以外の別のユーザ機器の第２のＡＧ情報を搬送することを検出すると、Ｅ−ＲＧＣＨは、データ送信を継続又は停止するようユーザ機器に指示するために使用され、ユーザ機器が、新たに追加されたＥ−ＡＧＣＨがいかなる情報も搬送しないことを検出すると、Ｅ−ＲＧＣＨチャネルは元の定義を保持し、ＳＧの値を調整するために使用される。第１のチャネルが新しいＥ−ＲＧＣＨである場合、つまりネットワークは各ユーザ機器に２つのＥ−ＲＧＣＨチャネルを割り振り、その１つは従来型Ｅ−ＲＧＣＨであって、ＳＧの値を調整するために使用され、もう１つは新しいＥ−ＲＧＣＨであって、特に、ユーザ機器が、新たに追加されたＥ−ＡＧＣＨがそのユーザ機器以外の別のユーザ機器の第２のＡＧ情報を搬送することを検出すると、データ送信を継続又は停止するようユーザ機器に指示するために使用され、ユーザ機器が、新たに追加されたＥ−ＡＧＣＨがいかなる情報も搬送しないことを検出すると、新しいＥ−ＲＧＣＨチャネルは無効であり、たとえユーザが新しいＥ−ＲＧＣＨチャネルを受信してもユーザは新しいＥ−ＲＧＣＨチャネル上で搬送された情報に注意を払わないこともある。
【０１０６】
特に、第１のチャネルがＥ−ＲＧＣＨチャネルである場合、Ｅ−ＲＧＣＨチャネルによって送信された許可情報は、第１の許可指示及び第２の許可指示に分割されてもよく、ユーザ機器は、ネットワーク側上位レイヤシグナリングを使用することよりプロトコル事前定義又は配信の方法で、あらかじめ第１の許可指示及び第２の許可指示について通知され、ユーザ機器がＥ−ＲＧＣＨ上で許可情報を検出する確率を高められるようになっている。例示的には、第１の許可指示が「＋１」である場合、これに相応して第２の許可指示は「−１」であるか、又は第１の許可指示が「−１」である場合、これに相応して第２の許可指示は「＋１」である。本明細書においてＥ−ＲＧＣＨは、従来型Ｅ−ＲＧＣＨ又は新しいＥ−ＲＧＣＨを含む。
【０１０７】
この実施形態における方法を使用することにより、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１０８】
図１０は、本発明の実施形態によるさらになおもう１つのユーザ機器５を示す図であり、ユーザ機器５は、
ネットワーク側デバイスによって送信される新たに追加された拡張絶対許可チャネルＥ−ＡＧＣＨ及び第１のチャネルを受信するように構成された受信機５０と、
新たに追加されたＥ−ＡＧＣＨ上で搬送される絶対許可ＡＧ情報、及び第１のチャネル上で搬送される許可情報を検出し、検出結果に従ってユーザ機器のデータ送信を制御するように構成されたプロセッサ５１とを含む。
【０１０９】
この実施形態において、プロセッサ５１は、特に、
新たに追加されたＥ−ＡＧＣＨがユーザ機器の第１のＡＧ情報を搬送することが検出される場合、第１のＡＧ情報に従ってデータ送信を制御するように構成され、
新たに追加されたＥ−ＡＧＣＨがそのユーザ機器以外の別のユーザ機器の第２のＡＧ情報を搬送することが検出される場合、第１のチャネル上で搬送される許可情報の検出結果に従ってデータ送信を制御するように構成され、及び
新たに追加されたＥ−ＡＧＣＨがいかなる情報も搬送しないことが検出される場合、第１のチャネル上で搬送される許可情報の検出結果に従ってデータ送信を制御するように構成される。
【０１１０】
実施方法において、プロセッサ５１が、新たに追加されたＥ−ＡＧＣＨがそのユーザ機器以外の別のユーザ機器の第２のＡＧ情報を搬送することを検出する場合、プロセッサ５１は、特に、
第１のチャネルが許可情報を搬送することが検出される場合、許可情報及び現在のサービング許可に従って更新されたサービング許可を取得し、更新されたサービング許可に従ってデータ送信を制御するように構成されるか、又は
第１のチャネルが許可情報を搬送しないことが検出される場合、データ送信を停止するように構成されてもよく、ただし
許可情報は、現在のサービング許可を増大又は低減するよう指示する。たとえば、Ｅ−ＲＧＣＨが第１のチャネルとして再使用される場合、Ｅ−ＲＧＣＨチャネルによって搬送される許可情報は、２つの部分の指示情報、つまり「＋１」又は「−１」であってもよく、ここで＋１はユーザ機器によって現在保持されているサービング許可を増大するよう指示し、−１はユーザ機器によって現在保持されているサービング許可を低減するよう指示する。
【０１１１】
もう１つの実施方法において、プロセッサ５１が、新たに追加されたＥ−ＡＧＣＨがそのユーザ機器以外の別のユーザ機器の第２のＡＧ情報を搬送することを検出する場合、プロセッサ５１は、特に、
第１のチャネルが許可情報を搬送することが検出される場合、許可情報に従ってデータ送信を制御するように構成されるか、又は
第１のチャネルが許可情報を搬送しないことが検出される場合、データ送信を停止するように構成されてもよく、ただし
許可情報は、ユーザ機器の現在のサービング許可に従って送信の実行を継続するよう指示する。
【０１１２】
さらにもう１つの実施方法において、プロセッサ５１が、新たに追加されたＥ−ＡＧＣＨがそのユーザ機器以外の別のユーザ機器の第２のＡＧ情報を搬送することを検出する場合、プロセッサ５１は、特に、
第１のチャネルが許可情報を搬送することが検出される場合、データ送信を停止するように構成され、ただし許可情報はデータ送信を停止するよう指示する、
第１のチャネルが許可情報を搬送しないことが検出される場合、現在のサービング許可に従ってデータ送信の実行を継続するように構成され、
第１のチャネルが許可情報を搬送することが検出される場合、許可情報が第１の許可指示である場合、現在のサービング許可に従ってデータ送信を実行するように構成され、及び
第１のチャネルが許可情報を搬送することが検出される場合、許可情報が第２の許可指示である場合、データ送信を停止するように構成されてもよく、ただし
第１の許可指示は、現在のサービング許可に従ってデータ送信の実行を継続するよう指示するために使用され、第２の許可指示は、データ送信の実行を停止するよう指示するために使用される。
【０１１３】
この実施形態により提供されるユーザ機器によれば、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１１４】
図１１は、本発明の実施形態による絶対許可を送信するためのさらにもう１つの方法を示し、方法は以下のステップを含む。
【０１１５】
ステップＳ５００：  ユーザ機器は、ネットワーク側デバイスによって送信される新たに追加された拡張絶対許可チャネルＥ−ＡＧＣＨ及びダウンリンク高速共有制御チャネル（Ｈｉｇｈ  Ｓｐｅｅｄ−Ｓｈａｒｅｄ  Ｃｏｎｔｒｏｌ  Ｃｈａｎｎｅｌ，ＨＳ−ＳＣＣＨ）を受信する。
【０１１６】
ステップＳ５０１：  ユーザ機器は、新たに追加されたＥ−ＡＧＣＨ上で搬送される絶対許可ＡＧ情報、及びＨＳ−ＳＣＣＨ上で搬送されるＨＳ−ＳＣＣＨ命令（Ｏｒｄｅｒ）情報を検出し、検出結果に従ってユーザ機器のデータ送信を制御する。
【０１１７】
実施方法において、ステップＳ５０１は、特に以下の事項を含むことができる。
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨ上で搬送されるＨＳ−ＳＣＣＨ命令情報が送信を継続するようユーザ機器に指示することを検出する場合、ユーザ機器により、現在のサービング許可に従ってデータ送信の実行を継続すること、並びに
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨがＨＳ−ＳＣＣＨ命令情報を搬送しないことを検出する場合、ユーザ機器により、データ送信を停止すること。
【０１１８】
もう１つの実施方法において、Ｓ５０１は、特に以下の事項を含むことができる。
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨ上で搬送されるＨＳ−ＳＣＣＨ命令情報がデータ送信を停止するようユーザ機器に指示することを検出する場合、ユーザ機器により、データ送信を停止すること、並びに
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨがＨＳ−ＳＣＣＨ命令情報を搬送しないことを検出する場合、ユーザ機器により、現在のサービング許可に従ってデータ送信の実行を継続すること。この実施方法と以前の実施方法との相違点は、ＨＳ−ＳＣＣＨ命令情報が送信を継続するよう指示するか、又は送信を停止するよう指示するかにあることが理解されよう。
【０１１９】
この実施形態において、ユーザ機器が、特に、受信機及びプロセッサを含むことができ、その各々がステップＳ５００及びＳ５０１の機能を実行することに留意されたい。図１０においてユーザ機器の部分が参照されてもよく、詳細については、本明細書において再度説明されない。
【０１２０】
この実施形態における方法を使用することにより、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１２１】
図１２は、本発明の実施形態による絶対許可を送信するためのさらになおもう１つの方法を示し、方法は以下のステップを含む。
【０１２２】
ステップＳ６００：  ユーザ機器は、ネットワーク側デバイスによって送信されたＥ−ＡＧＣＨチャネルの構成情報を受信し、構成情報は、Ｅ−ＡＧＣＨチャネルのチャネル化コード情報及び属性情報を含み、属性情報は、Ｅ−ＡＧＣＨチャネルが従来型Ｅ−ＡＧＣＨ又は新たに追加されたＥ−ＡＧＣＨのいずれであるかを表す。
【０１２３】
ステップＳ６０１：  ユーザ機器は、チャネル化コード情報に従って、Ｅ−ＡＧＣＨチャネル上で搬送される絶対許可（ＡＧ）情報を検出し、検出結果及び属性情報に従ってユーザ機器のデータ送信を制御する。
【０１２４】
ステップＳ６０１において、検出結果及び属性情報に従ってユーザ機器のデータ送信を制御することは、特に以下の事項を含むことができる。
属性情報が、Ｅ−ＡＧＣＨチャネルが従来型Ｅ−ＡＧＣＨチャネルであることを示し、ユーザ機器がＥ−ＡＧＣＨチャネル上でＡＧ情報を検出する場合、ＡＧ情報を使用することによって現在のサービング許可を更新し、更新されたサービング許可に従ってデータ送信を実行すること、
属性情報が、Ｅ−ＡＧＣＨチャネルが従来型Ｅ−ＡＧＣＨチャネルであることを示し、ユーザ機器がＥ−ＡＧＣＨチャネル上でＡＧ情報を検出しない場合、現在のサービング許可に従ってデータ送信の実行を継続すること、及びデータ送信が現在実行されていない場合、データ送信なしの状態を不変のままにすること、
属性情報が、Ｅ−ＡＧＣＨチャネルが新たに追加されたＥ−ＡＧＣＨチャネルであることを示し、ユーザ機器がＥ−ＡＧＣＨチャネル上でユーザ機器のＡＧ情報を検出する場合、ＡＧ情報を使用することによって現在のサービング許可を更新し、更新されたサービング許可に従ってデータ送信を実行すること、
属性情報が、Ｅ−ＡＧＣＨチャネルが新たに追加されたＥ−ＡＧＣＨチャネルであることを示し、ユーザ機器がＥ−ＡＧＣＨチャネル上でそのユーザ機器以外の別のユーザ機器のＡＧ情報を検出する場合、データ送信を停止すること、及びデータ送信が現在実行されていない場合、データ送信なしの状態を不変のままにすること、並びに
属性情報が、Ｅ−ＡＧＣＨチャネルが新たに追加されたＥ−ＡＧＣＨチャネルであることを示し、ユーザ機器がＥ−ＡＧＣＨチャネル上でＡＧ情報を検出しない場合、現在のサービング許可に従ってデータ送信の実行を継続すること、及びデータ送信が現在実行されていない場合、データ送信なしの状態を不変のままにすること。
【０１２５】
さらに、方法は次のステップをさらに含むことができる。ステップＳ６０２：  ユーザ機器は、ネットワーク側デバイスによって送信される指示命令を受信し、指示命令に従ってＥ−ＡＧＣＨチャネルの属性情報を変更し、指示命令は、属性情報を変更するようユーザ機器に指示するために使用される。
【０１２６】
具体的な実施態様において、属性情報は２つの方法で変更されてもよい。
【０１２７】
１．  指示命令は、変更されたＥ−ＡＧＣＨチャネルの属性情報が従来型Ｅ−ＡＧＣＨチャネル又は新たに追加されたＥ−ＡＧＣＨチャネルのいずれであるかを明示的に指示し、指示命令を受信した後、ユーザ機器は、指示命令に従ってＥ−ＡＧＣＨチャネルの元の属性情報を変更する。
【０１２８】
２．  指示命令は、Ｅ−ＡＧＣＨチャネルの元の属性情報が変更される必要があることを示す、つまり、変更されていないＥ−ＡＧＣＨチャネルが従来型Ｅ−ＡＧＣＨチャネルである場合、従来型Ｅ−ＡＧＣＨチャネルは新たに追加されたＥ−ＡＧＣＨチャネルに変更される、及び／又は、変更されていないＥ−ＡＧＣＨチャネルが新たに追加されたＥ−ＡＧＣＨチャネルである場合、新たに追加されたＥ−ＡＧＣＨチャネルは従来型Ｅ−ＡＧＣＨチャネルに変更される、
【０１２９】
この実施形態のもう１つの実施方法において、図１３に示されるように、方法は次のステップをさらに含むことができる。ステップＳ６０３：  ユーザ機器は、Ｅ−ＡＧＣＨチャネル以外のチャネルを通じてネットワーク側デバイスによって送信されるデータ送信停止命令を受信し、データ送信停止命令の指示に従ってデータ送信を停止する。
【０１３０】
具体的な実施態様において、Ｅ−ＡＧＣＨチャネル以外のチャネルは、Ｅ−ＲＧＣＨ又はＨＳ−ＳＣＣＨであってもよい。
【０１３１】
チャネルがＥ−ＲＧＣＨである場合、これは従来型Ｅ−ＲＧＣＨ又は新しいＥ−ＲＧＣＨを含むことができ、Ｅ−ＲＧＣＨ上で搬送される情報は「＋１」又は「−１」であってもよい。ユーザ機器は、ユーザ機器がデータ送信停止命令を転送するための対応するＥ−ＲＧＣＨを受信する限り、データ送信を停止する。加えて、ネットワーク側はまた、情報、すなわち「＋１」又は「−１」を固定された方式でＥ−ＲＧＣＨにマップすることもでき、ユーザ機器は、ネットワーク側上位レイヤシグナリングを使用することなどによりプロトコル事前定義又は配信の方法で、あらかじめ、情報がマップされているかどうかについて通知され、ユーザ機器がＥ−ＲＧＣＨ上でデータ送信停止命令を検出する確率を高められるようになっている。
【０１３２】
チャネルがＨＳ−ＳＣＣＨである場合、データ送信停止命令は、ＨＳ−ＳＣＣＨ命令の方法で配信されてもよい。
【０１３３】
前述の実施方法において、ステップＳ６０２及びステップＳ６０３は必要ではなく、ステップＳ６０２及びステップＳ６０３は、別々にステップＳ６００及びＳ６０１と組み合わされてもよいか、又はステップＳ６００、ステップＳ６０１、ステップＳ６０２、及びステップＳ６０３のすべてが実施方法に含まれてもよく、この実施形態において限定されないことに留意されたい。
【０１３４】
この実施形態において、ユーザ機器が、特に、ステップＳ６００、Ｓ６０２、及び／又はＳ６０３の対応する機能を実行する受信機と、Ｓ６０１の機能を実行するプロセッサとを含むことができることに留意されたい。図１０においてユーザ機器の部分が参照されてもよく、詳細については、本明細書において再度説明されない。当業者であれば、受信機が複数の機能又はＳ６０２及び／又はＳ６０３の機能を実行することが、本明細書においてチャネルから対応する命令を取得することを参照すること、及び命令の指示に従って実行されるさらなる機能が引き続きプロセッサによって実行されることを理解されたい。
【０１３５】
この実施形態における方法を使用することにより、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１３６】
当業者であれば、方法実施形態のステップの全部又は一部は、プログラムが関連ハードウェアに指示することによって実施されてもよいことを理解することができる。プログラムは、コンピュータ可読ストレージ媒体に格納されてもよい。プログラムが実行する場合、方法実施形態のステップが実行される。前述のストレージ媒体は、ＲＯＭ、ＲＡＭ、磁気ディスク、又は光ディスクのような、プログラムコードを格納することができる任意の媒体を含む。
【０１３７】
最後に、前述の実施形態は、本発明の技術的解決策を説明することを単に意図されており、本発明を限定するものではないことに留意されたい。本明細書は、前述の実施形態を参照して詳細に説明されるが、当業者であれば、前述の実施形態において説明される技術的解決策に変更をさらに加えること、又はその一部若しくは全部の技術的特徴に等価の置き換えを行なうことは、そのような変更又は置き換えが対応する技術的解決策の本質的要素を、本発明の実施形態の技術的解決策の範囲から逸脱させるようなことがない限り、可能であることを理解されたい。
【図１】
2017507577.tif 000003
【図２】
2017507577.tif 000004
【図３Ａ】
2017507577.tif 000005
【図３Ｂ】
2017507577.tif 000006
【図４】
2017507577.tif 000007
【図５】
2017507577.tif 000008
【図６】
2017507577.tif 000009
【図７】
2017507577.tif 000010
【図８】
2017507577.tif 000011
【図９】
2017507577.tif 000012
【図１０】
2017507577.tif 000013
【図１１】
2017507577.tif 000014
【図１２】
2017507577.tif 000015
【図１３】
2017507577.tif 000016
【手続補正書】
【提出日】平成28年9月8日(2016.9.8)
【手続補正１】
【補正対象書類名】明細書
【補正対象項目名】全文
【補正方法】変更
【補正の内容】
【発明の詳細な説明】
【技術分野】
【０００１】
本出願は、参照によりその全体を本明細書に援用する、２０１４年１月２９日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＶＡＬＵＥ  ＡＮＤ  ＵＳＥＲ  ＥＱＵＩＰＭＥＮＴ」と題する中国特許出願第ＣＮ２０１４１００４３９２３．５号、２０１４年４月１日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＶＡＬＵＥ  ＡＮＤ  ＵＳＥＲ  ＥＱＵＩＰＭＥＮＴ」と題する中国特許出願第ＣＮ２０１４１０１３０００１．８号、２０１４年５月８日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＶＡＬＵＥ  ＡＮＤ  ＵＳＥＲ  ＥＱＵＩＰＭＥＮＴ」と題する中国特許出願第ＣＮ２０１４１０１９３７９９．０号、及び２０１４年５月１６日に中国特許庁に出願された「ＭＥＴＨＯＤ  ＦＯＲ  ＴＲＡＮＳＭＩＴＴＩＮＧ  ＡＢＳＯＬＵＴＥ  ＧＲＡＮＴ  ＶＡＬＵＥ  ＡＮＤ  ＵＳＥＲ  ＥＱＵＩＰＭＥＮＴ」と題する中国特許出願第ＣＮ２０１４１０２０８８０７．４号の優先権を主張するものである。
【０００２】
本発明は、通信技術の分野に関し、特に、絶対許可値を送信するための方法及びユーザ機器に関する。
【背景技術】
【０００３】
従来の広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，略してＷＣＤＭＡ）システムにおいて、ネットワーク側デバイスは、ユーザのアップリンク送信電力をスケジュールする目的を達成するためにスケジューリング許可（Ｓｃｈｅｄｕｌｉｎｇ  Ｇｒａｎｔ，略してＳＧ）値を配信し、スケジューリング許可値の物理的な意味は、拡張専用物理データチャネル（Ｅｎｈａｎｃｅｄ−Ｄｅｄｉｃａｔｅｄ  Ｐｈｙｓｉｃａｌ  Ｄａｔａ  Ｃｈａｎｎｅｌ，略してＥ−ＤＰＤＣＨ）対専用物理制御チャネル（Ｄｅｄｉｃａｔｅｄ  Ｐｈｙｓｉｃａｌ  Ｃｏｎｔｒｏｌ  Ｃｈａｎｎｅｌ，略してＤＰＣＣＨ）の送信電力オフセットである。スケジューリング許可値は、絶対許可（Ａｂｓｏｌｕｔｅ  Ｇｒａｎｔ，略してＡＧ）値及び相対許可（Ｒｅｌａｔｉｖｅ  Ｇｒａｎｔ，略してＲＧ）値という２つのタイプに分類されてもよく、拡張絶対許可チャネル（Ｅｎｈａｎｃｅｄ−Ａｂｓｏｌｕｔｅ  Ｇｒａｎｔ  Ｃｈａｎｎｅｌ，略してＥ−ＡＧＣＨ）はＡＧ値を搬送するために使用され、拡張相対許可チャネル（Ｅｎｈａｎｃｅｄ−Ｒｅｌａｔｉｖｅ  Ｇｒａｎｔ  Ｃｈａｎｎｅｌ，略してＥ−ＲＧＣＨ）はＲＧ値を搬送するために使用される。
【０００４】
従来技術において、ネットワーク側デバイスは、ある時点において、ユーザ機器（Ｕｓｅｒ  Ｅｑｕｉｐｍｅｎｔ，略してＵＥ）のＡＧを従来型Ｅ−ＡＧＣＨ又は新しいＥ−ＡＧＣＨ上で配信することができ、各ＵＥは前述の２つのチャネル上で同時にリッスンし、従来型Ｅ−ＡＧＣＨ又は新しいＥ−ＡＧＣＨ上でＵＥ自身に属するＡＧを検出すると、ＵＥは、チャネル上のＡＧに従ってネットワーク側デバイスにデータを送信し、新しいＥ−ＡＧＣＨ上で別のＵＥのＡＧを検出すると、ＵＥは、現在実行されているデータ送信を停止する。
【０００５】
しかし、従来技術において、ネットワーク側デバイスは、新しいＥ−ＡＧＣＨを通じてＡＧをＵＥ１に送信した後すべてのＵＥの送信を停止し、次いで、次の時点においてＡＧを別のＵＥ２に送信することによってデータ送信を開始するが、これはＵＥ２のデータ送信中断を生じることがある。
【発明の概要】
【課題を解決するための手段】
【０００６】
本発明は、絶対許可値を送信するための方法及びユーザ機器を提供し、これらは、ネットワーク側デバイスが、ＡＧを新しいＥ−ＡＧＣＨを通じてＵＥ１に送信した後すべてのＵＥの送信を停止し、次いで、次の時点においてＡＧを別のＵＥ２に送信することによってデータ送信を開始するので、ＵＥ２のデータ送信中断が生じる可能性があるという従来技術における問題を解決するために使用される。
【０００７】
本発明の第１の態様は、絶対許可値を送信するための方法であって、
ユーザ機器により、ネットワーク側デバイスによって送信される従来型拡張絶対許可チャネルＥ−ＡＧＣＨ、及び新たに追加された許可値検出Ｅ−ＡＧＣＨを受信するステップと、
ユーザ機器により、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってユーザ機器のデータ送信を制御するステップとを含む方法を提供する。
【０００８】
第１の可能な実施方法において、第１の態様によれば、ユーザ機器により、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってユーザ機器の現在のデータ送信を制御するステップは、
ユーザ機器が、従来型Ｅ−ＡＧＣＨ及び許可値検出Ｅ−ＡＧＣＨのうちの少なくとも１つのチャネルがユーザ機器の第１のＡＧ情報を搬送することを検出する場合、
ユーザ機器により、ユーザ機器の第１のＡＧ情報に従ってデータ送信を制御するステップを含む。
【０００９】
第２の可能な実施方法において、第１の可能な実施方法によれば、ユーザ機器が、従来型Ｅ−ＡＧＣＨ及び許可値検出Ｅ−ＡＧＣＨのうちの少なくとも１つのチャネルがユーザ機器の第１のＡＧ情報を搬送することを検出する場合、ユーザ機器により、ユーザ機器の第１のＡＧ情報に従ってデータ送信を制御するステップは、
ユーザ機器が、従来型Ｅ−ＡＧＣＨがユーザ機器の第１のＡＧ情報を搬送することを検出する場合、ユーザ機器により、ユーザ機器の第１のＡＧ情報に従ってデータ送信を制御するステップと、
ユーザ機器が、従来型Ｅ−ＡＧＣＨがユーザ機器の第１のＡＧ情報を搬送しないことを検出し、許可値検出Ｅ−ＡＧＣＨがユーザ機器の第１のＡＧ情報を搬送することを検出する場合、ユーザ機器により、第１のＡＧ情報に従ってデータ送信を制御するステップとを含む。
【００１０】
第３の可能な実施方法において、第１の態様によれば、ユーザ機器により、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってユーザ機器の現在のデータ送信を制御するステップは、
ユーザ機器が、従来型Ｅ−ＡＧＣＨがユーザ機器の第１のＡＧ情報を搬送しないことを検出し、許可値検出Ｅ−ＡＧＣＨがそのユーザ機器以外の別のユーザ機器の第２のＡＧ情報を搬送することを検出する場合、
ユーザ機器により、データ送信の実行をスキップするステップを含む。
【００１１】
本発明の第２の態様は、
ネットワーク側デバイスによって送信される従来型拡張絶対許可チャネルＥ−ＡＧＣＨ、及び新たに追加された許可値検出Ｅ−ＡＧＣＨを受信するように構成された受信モジュールと、
従来型Ｅ−ＡＧＣＨ及び許可値検出Ｅ−ＡＧＣＨのうちの少なくとも１つのチャネル上で搬送される絶対許可ＡＧ情報を検出し、検出結果に従ってユーザ機器のデータ送信を制御するように構成された検出モジュールとを含むユーザ機器を提供する。
【００１２】
第１の可能な実施方法において、第２の態様によれば、検出モジュールは、特に、
従来型Ｅ−ＡＧＣＨ及び許可値検出Ｅ−ＡＧＣＨのうちの少なくとも１つのチャネルがユーザ機器の第１のＡＧ情報を搬送することが検出される場合、
ユーザ機器の第１のＡＧ情報に従ってデータ送信を制御するように構成される。
【００１３】
第２の可能な実施方法において、第１の可能な実施方法によれば、検出モジュールは、特に、
従来型Ｅ−ＡＧＣＨがユーザ機器の第１のＡＧ情報を搬送することが検出される場合、ユーザ機器の第１のＡＧ情報に従ってデータ送信を制御するように構成され、及び
従来型Ｅ−ＡＧＣＨがユーザ機器の第１のＡＧ情報を搬送しないことが検出され、許可値検出Ｅ−ＡＧＣＨがユーザ機器の第１のＡＧ情報を搬送することが検出される場合、第１のＡＧ情報に従ってデータ送信を制御するように構成される。
【００１４】
第３の可能な実施方法において、第２の態様によれば、検出モジュールは、特に、
従来型Ｅ−ＡＧＣＨがユーザ機器の第１のＡＧ情報を搬送しないことが検出され、許可値検出Ｅ−ＡＧＣＨがそのユーザ機器以外の別のユーザ機器の第２のＡＧ情報を搬送することが検出される場合、
データ送信の実行をスキップするように構成される。
【００１５】
本発明の実施形態における絶対許可値を送信するための方法及びユーザ機器によれば、ユーザ機器は、ネットワーク側デバイスによって送信される従来型拡張絶対許可チャネルＥ−ＡＧＣＨを受信し、ネットワーク側デバイスによって送信される許可値検出Ｅ−ＡＧＣＨを受信し、ユーザ機器が、従来型Ｅ−ＡＧＣＨ及び許可値検出Ｅ−ＡＧＣＨのうちの少なくとも１つのチャネルがユーザ機器の絶対許可ＡＧ値を搬送することを決定する場合、ユーザ機器は、ＡＧに従ってデータ送信操作を実行する。本発明の実施形態によって提供される技術的解決策を使用することにより、ユーザ機器のデータ送信の継続性を確保することができ、送信効率が改善される。
【図面の簡単な説明】
【００１６】
本発明の実施形態又は従来技術における技術的解決策をさらに明確に説明するため、後段において、実施形態又は従来技術を説明するために必要な添付の図面を簡単に紹介する。明らかに、以下の説明における添付の図面は、本発明の一部の実施形態を示すものであり、当業者であれば、創造的な取り組みを伴うことなく、これらの添付の図面からその他の図面をさらに導き出すことができるであろう。
【図１】本発明の実施形態による絶対許可値を送信するための方法を示す流れ図である。
【図２】本発明の実施形態によるネットワーク側デバイスとユーザ機器との間の対話プロセスを示す図である。
【図３Ａ】従来技術における４つのユーザ機器のスケジューリングを示す概略図である。
【図３Ｂ】本発明の実施形態による４つのユーザ機器のスケジューリングを示す概略図である。
【図４】本発明の実施形態によるユーザ機器を示す概略構造図である。
【図５】本発明の実施形態によるもう１つのユーザ機器を示す概略構造図である。
【図６】本発明の実施形態による絶対許可値を送信するためのもう１つの方法を示す流れ図である。
【図７】本発明の実施形態によるさらにもう１つのユーザ機器を示す概略構造図である。
【図８】本発明の実施形態によるさらにもう１つのユーザ機器を示す概略構造図である。
【図９】本発明の実施形態による絶対許可値を送信するためのさらにもう１つの方法を示す流れ図である。
【図１０】本発明の実施形態によるさらになおもう１つのユーザ機器を示す概略構造図である。
【図１１】本発明の実施形態による絶対許可値を送信するためのさらにもう１つの方法を示す流れ図である。
【図１２】本発明の実施形態による絶対許可値を送信するためのさらになおもう１つの方法を示す流れ図である。
【図１３】本発明の実施形態による絶対許可値を送信するためのさらなる方法を示す流れ図である。
【発明を実施するための形態】
【００１７】
本発明の実施形態の目的、技術的解決策、及び利点をさらに明確なものにするため、後段では、本発明の実施形態の添付の図面を参照して、本発明の実施形態における技術的解決策を明確に説明する。明らかに、説明される実施形態は、本発明の実施形態の一部分に過ぎず、実施形態の全体を示すものではない。創造的な取り組みを伴うことなく、本発明の実施形態に基づいて当業者によって得られるすべてのその他の実施形態は、本発明の保護適用範囲に含まれるものとする。
【００１８】
本明細書において説明される技術は、さまざまな通信システム、たとえば、現行の２Ｇ及び３Ｇ通信システム、及び次世代通信システムに適用されてもよく、例をあげると、汎欧州デジタル移動電話方式（ＧＳＭ，Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多元接続（ＣＤＭＡ，Ｃｏｄｅ  Ｄｉｖｉｓｉｏｎ  Ｍｕｌｔｉｐｌｅ  Ａｃｃｅｓｓ）システム、時分割多元接続（ＴＤＭＡ，Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ，Ｗｉｄｅｂａｎｄ  Ｃｏｄｅ  Ｄｉｖｉｓｉｏｎ  Ｍｕｌｔｉｐｌｅ  Ａｃｃｅｓｓ）システム、周波数分割多元接続（ＦＤＭＡ，Ｆｒｅｑｕｅｎｃｙ  Ｄｉｖｉｓｉｏｎ  Ｍｕｌｔｉｐｌｅ  Ａｃｃｅｓｓ）システム、直交周波数分割多元接続（ＯＦＤＭＡ，Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、シングルキャリアＦＤＭＡ（ＳＣ−ＦＤＭＡ）システム、汎用パケット無線サービス（ＧＰＲＳ，Ｇｅｎｅｒａｌ  Ｐａｃｋｅｔ  Ｒａｄｉｏ  Ｓｅｒｖｉｃｅ）システム、ロングタームエボリューション（ＬＴＥ，Ｌｏｎｇ  Ｔｅｒｍ  Ｅｖｏｌｕｔｉｏｎ）システム、及びその他の通信システムがある。
【００１９】
本願に含まれるユーザ機器は、無線端末又は有線端末であってもよい。無線端末は、ユーザ、無線接続機能を備えるハンドヘルドデバイス、又は無線モデムに接続されている別の処理デバイスに、音声及び／又はデータ接続を提供するデバイスを示すことができる。無線端末は、無線アクセスネットワーク（ＲＡＮ，Ｒａｄｉｏ  Ａｃｃｅｓｓ  Ｎｅｔｗｏｒｋ）を通じて１つ又は複数のコアネットワークと通信することができる。無線端末は、たとえば、携帯電話（「セルラー」電話とも称される）、又はモバイル端末を備えるコンピュータのような、モバイル端末であってもよく、たとえば、音声及び／又はデータを無線アクセスネットワークと交換する、ポータブル、ポケットサイズ、ハンドヘルド、コンピュータ内蔵又は車載のモバイル装置であってもよい。たとえば、無線端末は、パーソナル通信サービス（ＰＣＳ，Ｐｅｒｓｏｎａｌ  Ｃｏｍｍｕｎｉｃａｔｉｏｎ  Ｓｅｒｖｉｃｅ）電話、コードレス電話セット、セッション開始プロトコル（ＳＩＰ）電話、ワイヤレスローカルループ（ＷＬＬ，Ｗｉｒｅｌｅｓｓ  Ｌｏｃａｌ  Ｌｏｏｐ）ステーション、又は携帯情報端末（ＰＤＡ）のようなデバイスであってもよい。無線端末はまたシステムとして、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイル端末（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ）と称されてもよい。
【００２０】
本願に含まれるネットワーク側デバイスは、基地局、無線ネットワークコントローラ（Ｒａｄｉｏ  Ｎｅｔｗｏｒｋ  Ｃｏｎｔｒｏｌｌｅｒ，  ＲＮＣ）などであってもよいか、又は無線アクセスネットワーク側の前述のさまざまなデバイス内の機能モジュールであってもよい。
【００２１】
基地局（たとえば、アクセスポイント）は、アクセスネットワーク上のエアインターフェイスの１つ又は複数のセクタを通じて無線端末と通信するデバイスであってもよい。基地局は、受信したエアフレームとＩＰパケットとの間の相互変換を実行するように構成されてもよく、無線端末とアクセスネットワークの別の部分との間のルータとしての役割を果たし、ここでアクセスネットワークの別の部分はインターネットプロトコル（ＩＰ）ネットワークを含むことができる。基地局は、エアインターフェイス上の属性管理をさらに調整することができる。たとえば、基地局は、ＧＳＭ又はＣＤＭＡの基地通信局（ＢＴＳ，Ｂａｓｅ  Ｔｒａｎｓｃｅｉｖｅｒ  Ｓｔａｔｉｏｎ）であってもよいか、又はＷＣＤＭＡの基地局（ＮｏｄｅＢ）であってもよいか、又はＬＴＥの進化型基地局（ＮｏｄｅＢ、ｅＮＢ，又はｅ−ＮｏｄｅＢ、ｅｖｏｌｖｅｄ  Ｎｏｄｅ  Ｂ）であってもよく、本願において限定されることはない。
【００２２】
基地局コントローラは、ＧＳＭ又はＣＤＭＡの基地局コントローラ（ＢＳＣ，ｂａｓｅ  ｓｔａｔｉｏｎ  ｃｏｎｔｒｏｌｌｅｒ）であってもよいか、ＷＣＤＭＡの無線ネットワークコントローラ（ＲＮＣ，Ｒａｄｉｏ  Ｎｅｔｗｏｒｋ  Ｃｏｎｔｒｏｌｌｅｒ）であってもよく、本願において限定されることはない。
【００２３】
図１は、本発明の実施形態による絶対許可値を送信するための方法を示す流れ図である。この実施形態において、ユーザ機器は、ネットワーク側デバイスによって送信された２つのチャネル、つまり従来型Ｅ−ＡＧＣＨ及び許可値検出Ｅ−ＡＧＣＨを受信し、従来型Ｅ−ＡＧＣＨ及び許可値検出Ｅ−ＡＧＣＨのうちの少なくとも１つのチャネルがユーザ機器のＡＧを搬送することを決定する場合、ユーザ機器は、ＡＧに従ってデータ送信操作を実行する。図１に示されるように、絶対許可値を送信するための方法は、以下のステップを含む。
【００２４】
ステップＳ１００：  ユーザ機器は、ネットワーク側デバイスによって送信される従来型拡張絶対許可チャネルＥ−ＡＧＣＨ、及び新たに追加された許可値検出Ｅ−ＡＧＣＨを受信する。
【００２５】
ステップＳ１０１：  ユーザ機器は、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってユーザ機器のデータ送信を制御する。
【００２６】
特に、ＵＥは、ネットワーク側デバイスによって送信された従来型拡張絶対許可チャネルＥ−ＡＧＣＨを最初に受信することができるが、ここで従来型拡張絶対許可チャネルＥ−ＡＧＣＨは、後段において略して従来型Ｅ−ＡＧＣＨと称される、及びネットワーク側デバイスによって送信された新たに追加された許可値検出Ｅ−ＡＧＣＨを受信することができるが、ここで新たに追加された許可値検出Ｅ−ＡＧＣＨは、後段において略して許可値検出Ｅ−ＡＧＣＨと称される。本明細書において従来型Ｅ−ＡＧＣＨは従来技術における従来型Ｅ−ＡＧＣＨであり、許可値検出Ｅ−ＡＧＣＨは背景技術において新しいＥ−ＡＧＣＨであることに留意されたい。前述の従来型Ｅ−ＡＧＣＨ及び許可値検出Ｅ−ＡＧＣＨは、ＡＧ情報をＵＥに送信するためにネットワーク側デバイスによって使用されるチャネルであり、同じ時間−周波数リソースを占有することも、又は異なる時間−周波数リソースを占有することもあり、それについては本明細書において限定されることはない。
【００２７】
さらに、前述の２つのチャネル、つまり従来型Ｅ−ＡＧＣＨ及び許可値検出Ｅ−ＡＧＣＨを受信した後、ＵＥは、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってＵＥのデータ送信を制御することができる。
【００２８】
オプションとして、ＵＥが、従来型Ｅ−ＡＧＣＨが第１のＡＧ情報を搬送することを検出する場合、ただし前述の第１のＡＧ情報はＵＥのＡＧ情報を表す場合、ＵＥは従来型Ｅ−ＡＧＣＨの第１のＡＧ情報に従ってデータ送信を制御し、ＵＥが、従来型Ｅ−ＡＧＣＨ上で第１のＡＧ情報を検出せず、許可値検出Ｅ−ＡＧＣＨが第１のＡＧ情報を搬送することを検出する場合、ＵＥは、許可値検出Ｅ−ＡＧＣＨ上の第１のＡＧ情報に従ってデータ送信を制御し、ＵＥが、従来型Ｅ−ＡＧＣＨ及び許可値検出Ｅ−ＡＧＣＨが共にＵＥ自身のＡＧ情報を搬送することを検出する場合、ＵＥは、２つのＥ−ＡＧＣＨ上で搬送される第１のＡＧ情報に従って別個にデータ送信を制御することができるか、又は従来型Ｅ−ＡＧＣＨ上で搬送される第１のＡＧ情報に従ってのみデータ送信を制御することができ、ＵＥがデータ送信を実行している場合、ＵＥはまた、ＵＥによって現在実行されているデータ送信が開始されるＥ−ＡＧＣＨ上で搬送される第１のＡＧ情報に従ってデータ送信を制御することができる。
【００２９】
この実施形態において、ＵＥは、ネットワーク側デバイスによって送信される従来型拡張絶対許可チャネルＥ−ＡＧＣＨ及び新たに追加された許可値検出Ｅ−ＡＧＣＨを受信し、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってＵＥのデータ送信を制御する。したがって、データ送信の継続性を確保することができ、送信効率が改善される。
【００３０】
図２は、本発明の実施形態によるネットワーク側デバイスとユーザ機器との間の対話プロセスを示す図である。この実施形態において、ネットワーク側デバイスは、従来型Ｅ−ＡＧＣＨ及び許可値検出Ｅ−ＡＧＣＨのうちの少なくとも１つのチャネルを通じてＡＧ情報をユーザ機器に送信し、ユーザ機器は前述の２つのＥ−ＡＧＣＨ上で同時にリッスンして、前述の２つのＥ−ＡＧＣＨを検出し、検出結果に従ってユーザ機器のデータ送信を制御する。図２に示されているように、対話プロセスは、以下のステップを含む。
【００３１】
ステップＳ２００：  ネットワーク側デバイスは、従来型Ｅ−ＡＧＣＨ及び許可値検出Ｅ−ＡＧＣＨのうちの少なくとも１つのチャネルを通じてＡＧ情報をＵＥに送信する。
【００３２】
前述のステップは、ネットワーク側デバイスによって実行される。実際には、ネットワーク側デバイスは、基地局又はリレーのような、ＵＥと通信することができるデバイスであってもよい。
【００３３】
特に、ＵＥをスケジュールする場合、ネットワーク側デバイスは、スケジューリング許可値をＵＥに配信して、ＵＥのアップリンク送信電力をスケジューリングする目的を達成することができる。この実施形態において、任意のＵＥについて、ネットワーク側デバイスは、従来型Ｅ−ＡＧＣＨ及び許可値検出Ｅ−ＡＧＣＨのうちの少なくとも１つのチャネルを通じてＡＧ情報をＵＥに配信することができる。つまり、ネットワーク側デバイスは、従来型Ｅ−ＡＧＣＨを通じてＡＧ情報をＵＥに配信することができるか、許可値検出Ｅ−ＡＧＣＨを通じてＡＧ情報をＵＥに配信することができるか、又は従来型Ｅ−ＡＧＣＨ及び許可値検出Ｅ−ＡＧＣＨを通じてＡＧ情報をＵＥに配信することができる。
【００３４】
さらに、任意のＵＥについて、前述のＡＧ情報はＵＥ自身のＡＧ情報であってもよいか、又はそのＵＥ以外の別のＵＥのＡＧ情報であってもよい。
【００３５】
実際に、前述の２つのＥ−ＡＧＣＨは、ＡＧ情報をＵＥに送信するためにネットワーク側デバイスによって使用されるチャネルであり、同じ時間−周波数リソースを占有することも、又は異なる時間−周波数リソースを占有することもあり、それについては本明細書において限定されることはないことに留意されたい。オプションとして、ＷＣＤＭＡシステムにおいて、ネットワーク側デバイスは、アップリンクの高ライズオーバーサーマル（Ｒｉｓｅ  Ｏｖｅｒ  Ｔｈｅｒｍａｌ，略してＲｏＴ）専用のセカンダリキャリアを使用して前述の従来型Ｅ−ＡＧＣＨ及び許可値検出Ｅ−ＡＧＣＨを送信することができる。
【００３６】
ステップＳ２０１：  ＵＥは、ネットワーク側デバイスによって送信される従来型拡張絶対許可チャネルＥ−ＡＧＣＨ及び新たに追加された許可値検出Ｅ−ＡＧＣＨを受信する。
【００３７】
ステップの説明はステップＳ１００と同じであり、本明細書において詳細について再度説明されることはない。
【００３８】
ステップＳ２０２：  ＵＥは、従来型Ｅ−ＡＧＣＨ及び許可値検出Ｅ−ＡＧＣＨのうちの少なくとも１つのチャネル上で搬送されるＡＧ情報を検出する。
【００３９】
特に、ネットワーク側デバイスが、従来型Ｅ−ＡＧＣＨ及び許可値検出Ｅ−ＡＧＣＨのうちの少なくとも１つのチャネルを通じてＡＧ情報をＵＥに送信するので、前述の２つのＥ−ＡＧＣＨを受信した後、ＵＥは、前述の２つのＥ−ＡＧＣＨ上でＡＧ情報を検出することができる。
【００４０】
さらに、各ＵＥは、ＵＥのＡＧを検出するために専用の識別（Ｉｄｅｎｔｉｔｙ，略してＩＤ）を有するので、ＵＥは、前述の２つのＥ−ＡＧＣＨをデコードして、２つのＥ−ＡＧＣＨ上でＵＥに属するＡＧ情報があるかどうかを検出することができる。特に、検出中に、ＵＥは、従来型Ｅ−ＡＧＣＨ及び許可値検出Ｅ−ＡＧＣＨを個別に検出することができる。
【００４１】
従来型Ｅ−ＡＧＣＨについて、ＵＥは、従来型Ｅ−ＡＧＣＨ上でＵＥに属するＡＧ情報があるかどうかを検出する必要があるだけである。ＵＥがデコーディングに失敗する場合、それは従来型Ｅ−ＡＧＣＨがＵＥの第１のＡＧ情報を搬送しないことを示し、ＵＥがデコーディングに成功する場合、それは従来型Ｅ−ＡＧＣＨがＵＥの第１のＡＧ情報を搬送することを示す。従来型Ｅ−ＡＧＣＨがユーザ機器の第１のＡＧ情報を搬送しないことをＵＥが検出するということは、従来型Ｅ−ＡＧＣＨがＡＧ情報を搬送しないか、又は従来型Ｅ−ＡＧＣＨがＡＧ情報を搬送するが、ＡＧ情報は前述の第１のＡＧ情報ではなく、そのＵＥ以外の別のＵＥの第２のＡＧ情報である、という２つの状況を含むことに留意されたい。
【００４２】
許可値検出Ｅ−ＡＧＣＨについて、ＵＥは、許可値検出Ｅ−ＡＧＣＨ上にＡＧ情報があるかどうかを最初に検出することができ、許可値検出Ｅ−ＡＧＣＨ上にＡＧ情報がある場合、ＵＥは、ＡＧ情報がＵＥ自身の第１のＡＧ情報であるかどうかをさらに検出する。
【００４３】
特に、ＵＥは、たとえば、許可値検出Ｅ−ＡＧＣＨの信号対雑音比を検出するなど、許可値検出Ｅ−ＡＧＣＨ上で情報の検出を最初に実行することができる。信号対雑音比が事前設定のしきい値よりも高い場合、許可値検出Ｅ−ＡＧＣＨがＡＧ情報を搬送すると見なされ、信号対雑音比が前述の事前設定のしきい値よりも低い場合、許可値検出Ｅ−ＡＧＣＨがＡＧ情報を搬送しないと見なされる。許可値検出Ｅ−ＡＧＣＨがＡＧ情報を搬送することをＵＥが検出する場合、ＵＥは許可値検出Ｅ−ＡＧＣＨをデコードする。ＵＥがデコーディングに失敗する場合、それは許可値検出Ｅ−ＡＧＣＨがＵＥの第１のＡＧ情報を搬送しないことを示す。この場合、許可値検出Ｅ−ＡＧＣＨがＡＧ情報を搬送するので、ＵＥはこの場合、許可値検出Ｅ−ＡＧＣＨがそのＵＥ以外の別のＵＥの第２のＡＧ情報を搬送することを決定することができる。ＵＥがデコーディングに成功する場合、それは許可値検出Ｅ−ＡＧＣＨがＵＥの第１のＡＧ情報を搬送することを示す。
【００４４】
許可値検出Ｅ−ＡＧＣＨについて、ＵＥはまた、許可値検出Ｅ−ＡＧＣＨ上のＡＧ情報がＵＥの第１のＡＧ情報であるかどうかを最初に検出することができ、許可検出Ｅ−ＡＧＣＨ上のＡＧ情報がＵＥ自身の第１のＡＧ情報ではない場合、ＵＥは、ＡＧ情報がそのＵＥ以外の別のＵＥの第２のＡＧ情報であるかどうかをさらに検出する。
【００４５】
特に、ＵＥは、許可値検出Ｅ−ＡＧＣＨを最初にデコードすることができ、ＵＥがデコーディングに成功する場合、それは許可値検出Ｅ−ＡＧＣＨがＵＥの第１のＡＧ情報を搬送することを示し、ＵＥがデコーディングに失敗する場合、それは許可値検出Ｅ−ＡＧＣＨがＵＥの第１のＡＧ情報を搬送しないことを示す。この場合、ＵＥは、ＡＧ情報がそのＵＥ以外の別のＵＥの第２のＡＧ情報であるかどうかをさらに検出することができる。たとえば、ＵＥは、たとえば許可値検出Ｅ−ＡＧＣＨの信号対雑音比を検出するなど、許可値検出Ｅ−ＡＧＣＨで情報の検出をさらに実行することができる。信号対雑音比が事前設定のしきい値よりも高い場合、それは許可値検出Ｅ−ＡＧＣＨ上のＡＧ情報がそのＵＥ以外の別のＵＥの第２のＡＧ情報であることを示し、信号対雑音比が前述の事前設定のしきい値よりも低い場合、それは許可値検出Ｅ−ＡＧＣＨがＡＧ情報を搬送しないことを示す。
【００４６】
言うまでもなく、ＵＥが前述の２つのＥ−ＡＧＣＨチャネルを検出する順序は、本明細書において限定されることはない。オプションとして、実際には、ＵＥは、従来型Ｅ−ＡＧＣＨ及び許可値検出Ｅ−ＡＧＣＨの優先度の降順に従って、従来型Ｅ−ＡＧＣＨ上で搬送されるＡＧ情報を最初に検出し、次いで許可値検出Ｅ−ＡＧＣＨ上で搬送されるＡＧ情報を検出することができ、検出結果が、従来型Ｅ−ＡＧＣＨがＵＥに属する第１のＡＧ情報を搬送することである場合、ＵＥは、第１のＡＧ情報のＡＧ索引値に従ってデータ送信を直接制御し、検出結果が、従来型Ｅ−ＡＧＣＨがＵＥに属する第１のＡＧ情報を搬送しないことである場合、ＵＥは、許可値検出Ｅ−ＡＧＣＨ上で検出結果に従ってデータ送信を制御する。
【００４７】
オプションとして、ＵＥはまた、２つのＥ−ＡＧＣＨ上のＡＧ情報を別個に検出して、検出結果に従ってＵＥのデータ送信操作を決定し、実行シーケンスは本明細書において限定されることはない。ＵＥが、２つのＥ−ＡＧＣＨの両方でＵＥのＡＧ情報を検出するか、又は従来型Ｅ−ＡＧＣＨ上でＵＥのＡＧ情報を検出して、許可値検出Ｅ−ＡＧＣＨ上で別のＵＥのＡＧ情報を検出するか、又は従来型Ｅ−ＡＧＣＨ上でＵＥのＡＧ情報を検出して、許可値検出Ｅ−ＡＧＣＨ上でＡＧ情報を検出しない場合、ＵＥは、許可値検出Ｅ−ＡＧＣＨでの検出結果には注意を払うことなく従来型Ｅ−ＡＧＣＨ上のＡＧ情報に従ってデータ送信操作を実行する。
【００４８】
ステップＳ２０３：  ＵＥは、検出結果に従ってＵＥのデータ送信を制御する。
【００４９】
特に、従来型Ｅ−ＡＧＣＨ及び許可値検出Ｅ−ＡＧＣＨを検出した後、ＵＥは、検出結果に従ってＵＥのデータ送信を制御することができる。
【００５０】
後段では、ステップＳ２０２において前述の２つのＥ−ＡＧＣＨ上でＵＥによって実行された検出のさまざまな結果に従って、ＵＥのデータ送信を、ＵＥによって制御するプロセスを詳細に説明する。
【００５１】
（１）  ＵＥが、従来型Ｅ−ＡＧＣＨ及び許可検出Ｅ−ＡＧＣＨのうちの少なくとも１つのチャネルがＵＥの第１のＡＧ情報を搬送することを検出する場合、ＵＥは、前述の第１のＡＧ情報に従ってデータ送信を制御する。
【００５２】
特に、ＵＥが、従来型Ｅ−ＡＧＣＨがＵＥの第１のＡＧ情報を搬送することを検出する場合、ＵＥは、前述の第１のＡＧ情報に従ってデータ送信を制御し、ＵＥが、従来型Ｅ−ＡＧＣＨが前述の第１のＡＧ情報を搬送しないことを検出し、許可値検出Ｅ−ＡＧＣＨが前述の第１のＡＧ情報を搬送することを検出する場合、ＵＥは、前述の第１のＡＧ情報に従ってデータ送信を制御し、ＵＥが、従来型Ｅ−ＡＧＣＨがＵＥの第１のＡＧ情報を搬送することを検出し、許可値検出Ｅ−ＡＧＣＨもまたＵＥの第１のＡＧ情報を搬送することを検出する場合、オプションとして、ＵＥは、許可値検出Ｅ−ＡＧＣＨでの検出結果に注意を払うことなく従来型Ｅ−ＡＧＣＨ上で搬送される第１のＡＧ情報に従ってデータ送信を制御することができる。
【００５３】
たとえば、第１のＡＧ情報に従ってデータ送信を制御するということは次のような意味があり、第１のＡＧ情報のＡＧ索引値が０又は１である場合、これはデータ送信を停止することを示す、つまり、ＵＥがデータ送信を現在実行している場合、データ送信は停止され、ＵＥがデータ送信を実行していない場合、データ送信は引き続き実行されないことを示し、第１のＡＧ情報のＡＧ索引値が２から３１の間の任意の整数である場合、これは異なる送信電力オフセットを指示し、ＵＥがデータ送信を実行している場合、ＵＥは前述の第１のＡＧ情報に従って現在のデータ送信の送信電力オフセットを調整し、ＵＥがデータ送信を実行していない場合、ＵＥは前述のＡＧに対応する送信電力オフセットに従ってデータ送信を開始する。
【００５４】
（２）  ＵＥが、従来型Ｅ−ＡＧＣＨがＵＥの第１のＡＧ情報を搬送しないこと、及び許可値検出Ｅ−ＡＧＣＨがそのＵＥ以外の別のＵＥの第２のＡＧ情報を搬送することを検出する場合、ＵＥはデータ送信を実行しない。
【００５５】
特に、ＵＥが、ＵＥの許可値検出Ｅ−ＡＧＣＨがそのＵＥ以外の別のＵＥの第２のＡＧ情報を搬送し、従来型Ｅ−ＡＧＣＨがＡＧ情報を搬送しないことを検出する場合、ＵＥはデータ送信を実行せず、ＵＥが、ＵＥの許可値検出Ｅ−ＡＧＣＨがそのＵＥ以外の別のＵＥの第２のＡＧ情報を搬送し、従来型Ｅ−ＡＧＣＨがそのＵＥ以外の別のＵＥの第２のＡＧ情報を搬送することを検出する場合、ＵＥはデータ送信を実行しない。
【００５６】
ＵＥがデータ送信を実行しないということは、ＵＥがデータ送信を現在実行している場合、データ送信は停止され、ＵＥがデータ送信を実行していない場合、データ送信は引き続き実行されないことを意味することに留意されたい。ネットワーク側デバイスとユーザ機器との間の前述の対話プロセスについては、例を使用して以下で説明される。図３Ａは、従来技術における４つのユーザ機器のスケジューリングを示す概略図であり、図３Ｂは、本発明の実施形態による４つのユーザ機器のスケジューリングを示す概略図である。図３Ａ及び図３Ｂにおいて、図面内の横軸上の１から１２は、異なるタイムスロットを表し、ネットワーク側デバイスは、４つのＵＥ、すなわちＵＥ１、ＵＥ２、ＵＥ３、及びＵＥ４をスケジュールする必要があり、従来型Ｅ−ＡＧＣＨから受信したＡＧ情報に対応するデータ送信は、斜線縞の四角形を使用することにより表され、許可値検出Ｅ−ＡＧＣＨから受信したＡＧ情報に対応するデータ送信は、縦縞の四角形を使用することにより表され、Ｅ−ＤＰＤＣＨ上の空白四角形は、ＵＥがデータを送信しないことを表し、Ｅ−ＡＧＣＨ上の空白四角形は、ネットワーク側デバイスがＡＧ情報を送信しないことを表す。斜線縞の四角形は、ＵＥのデータ送信が、従来型Ｅ−ＡＧＣＨから受信されたＵＥのＡＧ情報によって開始されることを表すのみであって、そのＥ−ＤＰＤＣＨからＤＰＣＣＨへの送信電力オフセットが不変のままであることを表すわけではないことに留意されたい。同様に、縦縞の四角形は、ＵＥのデータ送信が、許可値検出Ｅ−ＡＧＣＨから受信されたＵＥのＡＧ情報によって開始されることを表すのみであって、そのＥ−ＤＰＤＣＨからＤＰＣＣＨへの送信電力オフセットが不変のままであることを表すわけではないことに留意されたい。当初は、４つのＵＥはすべて、従来型Ｅ−ＡＧＣＨから受信されたそれぞれのＡＧ情報に従ってデータ送信を開始する。つまり、第１のタイムスロット及び第２のタイムスロットにおいて、前述の４つのすべてのＵＥのデータ送信は、斜線縞の四角形を使用することによって表される。
【００５７】
図３Ａに示されるように、第２のタイムスロットにおいて、ネットワーク側デバイスは、許可値検出Ｅ−ＡＧＣＨを通じてＵＥ４のＡＧ情報を送信する。背景技術における説明によれば、第３のタイムスロットにおいて、ＵＥ１、ＵＥ２、及びＵＥ３は、許可値検出Ｅ−ＡＧＣＨ、つまり新しいＥ−ＡＧＣＨから別のＵＥのＡＧ情報を受信し、ＵＥ１、ひいてはＵＥ２、及びＵＥ３は各自のデータ送信を停止することが理解される。したがって、第３のタイムスロットにおいて、ＵＥ４のみが、第２のタイムスロットでＵＥ４によって受信されたＡＧ情報に従ってデータ送信を実行する。この事例において、ネットワーク側デバイスがＵＥ２をスケジュールする必要がある場合、ネットワーク側デバイスは、従来型Ｅ−ＡＧＣＨを通じて第３のタイムスロットにおいてＵＥ２のＡＧ情報を配信することによってのみ、ＵＥ２のデータ送信を再開することができる。しかし、ＵＥ２については、第３のタイムスロットにおいてＵＥ２はデータ送信を実行しない。したがって、データ送信中断の問題が発生する。
【００５８】
ネットワーク側デバイスは、後続の第３から第７のタイムスロットにおいてＡＧ情報を送信しないので、ＵＥは各自の現在のデータ送信操作を変更しないままである。
【００５９】
第８のタイムスロットにおいて、ネットワーク側デバイスは、許可値検出Ｅ−ＡＧＣＨを通じてＵＥ１のＡＧ情報を送信し続け、ＵＥ１のデータ送信は次のタイムスロットにおいて再開されてもよい。同時に、ＵＥ２及びＵＥ４は許可値検出Ｅ−ＡＧＣＨから別のＵＥのＡＧ情報を受信し、したがってＵＥ２及びＵＥ４は、各自のデータ送信を停止する。加えて、この事例において、ネットワーク側デバイスがＵＥ３をスケジュールする必要がさらにある場合、ＵＥ３のＡＧ情報は、従来型Ｅ−ＡＧＣＨを通じて第９のタイムスロットにおいてのみ配信されうる。しかし、ＵＥ３については、第９のタイムスロットにおいてＵＥ３はデータ送信を実行しない。つまり、１つのＵＥのみが、このタイムスロットにおいてデータ送信を実行する。要するに、ネットワーク側デバイスが第３のタイムスロット及び第９のタイムスロットにおいてＵＥの切替えを実行する場合、つまりＵＥ２及びＥＵ４が第３のタイムスロットにおいてスケジュールされ、ＵＥ１及びＵＥ３が第９のタイムスロットにおいてスケジュールされる場合、ＵＥのデータ送信は中断される。
【００６０】
これとは相対的に、図３Ｂに示されるように、第２のタイムスロットにおいて、ネットワーク側デバイスは、従来型Ｅ−ＡＧＣＨを通じてＵＥ２のＡＧ情報を送信し、許可値検出Ｅ−ＡＧＣＨを通じてＵＥ４のＡＧ情報を送信する。次いで、この場合４つのＵＥが前述の２つのＡＧ情報を受信すると、ＵＥは個別に異なるデータ送信操作を有する。ＵＥ１及びＵＥ３について、２つのチャネル上のＡＧ情報はＵＥ１又はＵＥ３に属していないので、ＵＥ１及びＵＥ３が共に次のタイムスロットにおいてデータ送信を停止することがステップＳ２０３の（２）の説明から理解される。ＵＥ２について、この場合ＵＥ２が自身のＡＧ情報を従来型Ｅ−ＡＧＣＨから受信し、許可値検出Ｅ−ＡＧＣＨ上のＡＧ情報がＵＥ２に属していない、したがって、ＵＥ２は、従来型Ｅ−ＡＧＣＨ上のＡＧ情報に従ってデータ送信を実行する、つまり、次のタイムスロットにおいて、第２のタイムスロットで実行されたデータ送信を続行することが、ステップＳ２０３の（１）の説明から理解される。しかし、データ送信中のＵＥ２の送信電力オフセットは、第２のタイムスロットにおいてＵＥ２によって受信されたＡＧ情報に対応する送信電力オフセットである。ＵＥ４については、ＵＥ４が自身のＡＧ情報を許可値検出Ｅ−ＡＧＣＨから受信し、したがって、ＵＥ４が、第２のタイムスロットにおいてＵＥ４によって受信されたＡＧ情報に従って、次のタイムスロットにおいてデータ送信を実行することが、ステップＳ２０３の（１）の説明から理解される。
【００６１】
ネットワーク側デバイスは、後続の第３から第７のタイムスロットにおいてＡＧ情報を送信しないので、ＵＥは各自の現行のデータ送信操作を変更しないままである。
【００６２】
第８のタイムスロットにおいて、ネットワーク側デバイスは、従来型Ｅ−ＡＧＣＨを通じてＵＥ３のＡＧ情報を送信し、許可値検出Ｅ−ＡＧＣＨを通じてＵＥ１のＡＧ情報を送信する。次いで、この場合４つのＵＥが前述の２つのＡＧ情報を受信すると、ＵＥは個別に異なるデータ送信操作を有する。ＵＥ１について、ＵＥ１は自身のＡＧ情報を許可値検出Ｅ−ＡＧＣＨから受信するのみで、第３のタイムスロットにおいてデータ送信を停止するので、ＵＥ１は、ＡＧ情報に従って次のタイムスロットにおいてデータ送信を再開する。ＵＥ２及びＵＥ４については、この場合２つのチャネル上のＡＧ情報はＵＥ２又はＵＥ４に属していないので、ＵＥ２が次のタイムスロットにおいてデータ送信を停止することが前述の説明から理解される。ＵＥ３については、ＵＥ３が自身のＡＧ情報を従来型Ｅ−ＡＧＣＨから受信し、許可値検出Ｅ−ＡＧＣＨ上のＡＧ情報がＵＥ３に属しておらず、ＵＥ３が第３のタイムスロットにおいてデータ送信を停止し、したがって、ＵＥ３は、従来型Ｅ−ＡＧＣＨ上のＡＧ情報に従ってデータ送信を実行する、つまり、ＡＧ情報に従って次のタイムスロットにおいてデータ送信を再開する。
【００６３】
前述の例における４つのＵＥは、ネットワーク内の任意のＵＥであってもよく、本明細書において限定されないことに留意されたい。加えて、例において説明される解決策では、ネットワーク側デバイスは第３のタイムスロットにおいてＵＥ２及びＵＥ４をスケジュールすることができるか、又は第９のタイムスロットにおいてＵＥ２及びＵＥ４をＵＥ３及びＵＥ１に切替えることができる。実際には、ネットワーク側デバイスは、実際の状況に応じて、前述の２つのＥ−ＡＧＣＨ上のＵＥのＡＧ情報を送信するよう選択して、ＵＥを柔軟にスケジュールするという目的を達成することができる。
【００６４】
ネットワーク側デバイスが、従来型Ｅ−ＡＧＣＨ及び許可値検出Ｅ−ＡＧＣＨを通じて第２のタイムスロットにおいて、ＵＥ２のＡＧ情報をＵＥ２に、及びＵＥ４のＡＧ情報をＵＥ４にそれぞれ送信し、さまざまなＥ−ＡＧＣＨの間の優先度ルールは、ＵＥ２及びＵＥ４が、データ送信中断を生じることなく共に各自のＡＧ情報に従ってデータ送信を実行することができるように、あらかじめ定義されることが前述の例から分かる。つまり、ＵＥ２及びＵＥ４のデータ送信中には、アイドル状態のタイムスロットはない。同様に、ネットワーク側デバイスは、第８のタイムスロットにおいて、従来型Ｅ−ＡＧＣＨ及び許可値検出Ｅ−ＡＧＣＨを通じて、ＵＥ３のＡＧ情報をＵＥ３に、ＵＥ１のＡＧ情報をＵＥ１にそれぞれ送信して、ユーザ機器がＵＥ２及びＵＥ４からＵＥ３及びＵＥ１に切替えられる場合に、ＵＥ３及びＵＥ１が共にデータ送信中断を生じることなく各自のＡＧ情報に従ってデータ送信を確実に実行することができるようにし、それによりユーザ機器のデータ送信の継続性を確保して、送信効率を改善する。
【００６５】
図４は、本発明の実施形態によるユーザ機器を示す概略構造図である。図４に示されるように、ユーザ機器１は、受信モジュール１０及び検出モジュール１１を含む。
【００６６】
特に、受信モジュール１０は、ネットワーク側デバイスによって送信される従来型拡張絶対許可チャネルＥ−ＡＧＣＨ、及び新たに追加された許可値検出Ｅ−ＡＧＣＨを受信するように構成され、検出モジュール１１は、従来型Ｅ−ＡＧＣＨ及び許可値検出Ｅ−ＡＧＣＨのうちの少なくとも１つのチャネル上で搬送される絶対許可ＡＧ情報を検出して、検出結果に従ってユーザ機器のデータ送信を制御するように構成される。
【００６７】
さらに、検出モジュール１１は、特に、従来型Ｅ−ＡＧＣＨ及び許可値検出Ｅ−ＡＧＣＨのうちの少なくとも１つのチャネルがユーザ機器の第１のＡＧ情報を搬送することが検出される場合、ユーザ機器の第１のＡＧ情報に従ってデータ送信を制御するように構成される。
【００６８】
さらに、検出モジュール１１は、特に、従来型Ｅ−ＡＧＣＨがユーザ機器の第１のＡＧ情報を搬送することが検出される場合、ユーザ機器の第１のＡＧ情報に従ってデータ送信を制御するように構成され、及び従来型Ｅ−ＡＧＣＨがユーザ機器の第１のＡＧ情報を搬送せず、許可値検出Ｅ−ＡＧＣＨがユーザ機器の第１のＡＧ情報を搬送することが検出される場合、第１のＡＧ情報に従ってデータ送信を制御するように構成される。
【００６９】
さらに、検出モジュール１１は、特に、従来型Ｅ−ＡＧＣＨがユーザ機器の第１のＡＧ情報を搬送せず、許可値検出Ｅ−ＡＧＣＨがそのユーザ機器以外の別のユーザ機器の第２のＡＧ情報を搬送することが検出される場合、データ送信の実行をスキップするように構成される。
【００７０】
さらに、検出モジュール１１は、特に、従来型Ｅ−ＡＧＣＨ及び許可値検出Ｅ−ＡＧＣＨの優先度の降順に従って、従来型Ｅ−ＡＧＣＨ上で搬送されるＡＧ情報を最初に検出し、次いで許可値検出Ｅ−ＡＧＣＨ上で搬送されるＡＧ情報を検出するように構成される。
【００７１】
この実施形態において、ユーザ機器１は、ネットワーク側デバイスによって送信される従来型拡張絶対許可チャネルＥ−ＡＧＣＨ、及び新たに追加された許可値検出Ｅ−ＡＧＣＨを受信し、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってユーザ機器１のデータ送信を制御する。したがって、データ送信の継続性を確保することができ、送信効率が改善される。
【００７２】
図５は、本発明の実施形態によるもう１つのユーザ機器を示す概略構造図である。図５に示されるように、ユーザ機器２は、メモリ２０及びプロセッサ２１を含む。
【００７３】
特に、メモリ２０は、命令を格納するように構成され、プロセッサ２１は、メモリ２０に格納されている命令を実行して、図１に対応する実施形態による絶対許可値を送信するための方法を実行するように構成される。
【００７４】
この実施形態において、ユーザ機器２は、ネットワーク側デバイスによって送信される従来型拡張絶対許可チャネルＥ−ＡＧＣＨ、及び新たに追加された許可値検出Ｅ−ＡＧＣＨを受信し、従来型Ｅ−ＡＧＣＨ及び許可値検出Ｅ−ＡＧＣＨのうちの少なくとも１つのチャネル上で搬送される絶対許可ＡＧ情報を検出し、検出結果に従ってユーザ機器２のデータ送信を制御する。したがって、データ送信の継続性を確保することができ、送信効率が改善される。
【００７５】
図６は、本発明の実施形態による絶対許可値を送信するためのもう１つの方法を示す流れ図である。この実施形態において、ユーザ機器は、ネットワーク側デバイスによって送信された複数の新たに追加されたＥ−ＡＧＣＨチャネルを受信し、複数の新たに追加されたＥ−ＡＧＣＨのうちの少なくとも１つのチャネルがユーザ機器のＡＧを搬送することを決定し、ＡＧに従ってデータ送信操作を実行する。図６に示されるように、絶対許可値を送信するための前述の方法は、以下のステップを含む。
【００７６】
ステップＳ３００：  ユーザ機器は、ネットワーク側デバイスによって送信された複数の新たに追加されたＥ−ＡＧＣＨを受信する。
【００７７】
ステップＳ３０１：  ユーザ機器は、複数の新たに追加されたＥ−ＡＧＣＨのうちの１つのチャネル上で搬送される絶対許可ＡＧ情報を検出し、検出結果に従ってユーザ機器のデータ送信を制御する。
【００７８】
本明細書において新たに追加されたＥ−ＡＧＣＨは背景技術における新しいＥ−ＡＧＣＨであり、これはまた新たに追加された許可値検出Ｅ−ＡＧＣＨとなりうることに留意されたい。新たに追加されたＥ−ＡＧＣＨと従来型Ｅ−ＡＧＣＨとの相違点は、従来型Ｅ−ＡＧＣＨの場合、ＵＥが従来型Ｅ−ＡＧＣＨ上のＵＥに属するＡＧを検出すると、ＵＥは、チャネル上のＡＧに従ってＵＥのデータ送信を制御するが、一方、新たに追加されたＥ−ＡＧＣＨの場合、ＵＥは、新たに追加されたＥ−ＡＧＣＨ上のＵＥに属するＡＧを検出して、検出されたＡＧに従ってＵＥのデータ送信を制御することができるだけではなく、新たに追加されたＥ−ＡＧＣＨ上の別のＵＥのＡＧを検出して、別のＵＥのＡＧを検出すると、現在実行されているデータ送信を停止できることにある。前述の複数の新たに追加されたＥ−ＡＧＣＨは、ＡＧ情報をＵＥに送信するためにネットワーク側デバイスによって使用されるチャネルであり、同じ時間−周波数リソースを占有することも、又は異なる時間−周波数リソースを占有することもあり、それについては本明細書において限定されることはない。
【００７９】
さらに、前述の複数の新たに追加されたＥ−ＡＧＣＨを受信した後、ＵＥは、複数の新たに追加されたＥ−ＡＧＣＨのうちの１つのチャネル上で搬送される絶対許可ＡＧ情報を検出することができ、検出結果に従ってＵＥのデータ送信を制御する。
【００８０】
オプションとして、ＵＥが、複数の新たに追加されたＥ−ＡＧＣＨのうちの１つのチャネルが第１のＡＧ情報を搬送することを検出する場合、ただし第１のＡＧ情報はＵＥのＡＧ情報を表す場合、ＵＥは第１のＡＧ情報に従ってデータ送信を制御し、ユーザ機器が、複数の新たに追加されたＥ−ＡＧＣＨのいずれもユーザ機器の第１のＡＧ情報を搬送せず、複数の新たに追加された許可検出Ｅ−ＡＧＣＨのうちの１つのチャネルがそのユーザ機器以外の別のユーザ機器の第２のＡＧ情報を搬送することを検出する場合、ユーザ機器はデータ送信を実行しない。ＵＥがデータ送信を実行しないということは、ＵＥがデータ送信を現在実行している場合、データ送信は停止され、ＵＥがデータ送信を実行していない場合、データ送信は引き続き実行されないことを参照することに留意されたい。
【００８１】
この実施形態において、ＵＥは、ネットワーク側デバイスによって送信された複数の新たに追加されたＥ−ＡＧＣＨを受信し、複数の新たに追加されたＥ−ＡＧＣＨのうちの少なくとも１つのチャネル上で搬送される絶対許可ＡＧ情報を検出して、検出結果に従ってＵＥのデータ送信を制御する。したがって、データ送信の継続性を確保することができ、送信効率が改善される。
【００８２】
図７は、本発明の実施形態によるさらにもう１つのユーザ機器を示す概略構造図である。図７に示されるように、ユーザ機器３は、受信モジュール３０及び検出モジュール３１を含む。
【００８３】
受信モジュール３０は、ネットワーク側デバイスによって送信された複数の新たに追加されたＥ−ＡＧＣＨを受信するように構成される。
【００８４】
検出モジュール３１は、複数の新たに追加されたＥ−ＡＧＣＨのうちの１つのチャネル上で搬送される絶対許可ＡＧ情報を検出し、検出結果に従ってユーザ機器のデータ送信を制御するように構成される。
【００８５】
さらに、検出モジュール３１は、特に、複数の新たに追加されたＥ−ＡＧＣＨのうちの１つのチャネルがユーザ機器の第１のＡＧ情報を搬送することが検出される場合、第１のＡＧ情報に従ってユーザ機器のデータ送信を制御するように構成されるか、又は、複数の新たに追加されたＥ−ＡＧＣＨのいずれもユーザ機器の第１のＡＧ情報を搬送しないこと、及び複数の新たに追加されたＥ−ＡＧＣＨのうちの１つのチャネルがそのユーザ機器以外の別のユーザ機器の第２のＡＧ情報を搬送することが検出される場合、ユーザ機器を制御してデータ送信の実行をスキップするように構成される。
【００８６】
この実施形態において、ユーザ機器３は、ネットワーク側デバイスによって送信された複数の新たに追加されたＥ−ＡＧＣＨを受信し、複数の新たに追加されたＥ−ＡＧＣＨのうちの少なくとも１つのチャネル上で搬送される絶対許可ＡＧ情報を検出して、検出結果に従ってユーザ機器３のデータ送信を制御する。したがって、データ送信の継続性を確保することができ、送信効率が改善される。
【００８７】
図８は、本発明の実施形態によるさらにもう１つのユーザ機器を示す概略構造図である。図８に示されるように、ユーザ機器４は、メモリ４０及びプロセッサ４１を含む。
【００８８】
特に、メモリ４０は、命令を格納するように構成され、プロセッサ４１は、メモリ４０に格納されている命令を実行して、図６に対応する実施形態による絶対許可値を送信するための方法、つまりステップＳ３００、Ｓ３０１などを実行するように構成される。
【００８９】
この実施形態において、ユーザ機器４は、ネットワーク側デバイスによって送信された複数の新たに追加されたＥ−ＡＧＣＨを受信し、複数の新たに追加されたＥ−ＡＧＣＨのうちの１つのチャネル上で搬送される絶対許可ＡＧ情報を検出し、検出結果に従ってユーザ機器４のデータ送信を制御する。したがって、データ送信の継続性を確保することができ、送信効率が改善される。
【００９０】
図９は、本発明の実施形態による絶対許可値を送信するためのさらにもう１つの方法を示し、方法は以下のステップを含む。
【００９１】
ステップＳ４００：  ユーザ機器は、ネットワーク側デバイスによって送信される新たに追加された拡張絶対許可チャネルＥ−ＡＧＣＨ及び第１のチャネルを受信する。
【００９２】
ステップＳ４０１：  ユーザ機器は、新たに追加されたＥ−ＡＧＣＨ上で搬送される絶対許可ＡＧ情報、及び第１のチャネル上で搬送される許可情報を検出し、検出結果に従ってユーザ機器のデータ送信を制御する。
【００９３】
特に、本明細書において新たに追加されたＥ−ＡＧＣＨは背景技術における新しいＥ−ＡＧＣＨであることに留意されたい。新たに追加されたＥ−ＡＧＣＨ上で別のＵＥのＡＧを検出すると、ＵＥは、現在実行されているデータ送信を停止する。加えて、従来技術において、データ送信を制御する場合、ユーザ機器はサービング許可（Ｓｅｒｖｉｎｇ  Ｇｒａｎｔ，ＳＧ）値を保持し、次いでサービング許可値に従ってデータ送信を制御する。サービング許可値は一般に、ユーザ機器がスケジュールされたデータを送信することができる電力上限値を計算するために使用される。ネットワーク側デバイスがＡＧ値をユーザ機器に通知する場合、ユーザ機器は、ユーザ機器によって保持されているサービング許可値をＡＧ値で更新し、次いでデータ送信を制御する。ステップＳ４０１の検出結果は、以下の複数の状況を含むことができる。
【００９４】
Ｓ４０１Ａ：  ユーザ機器が、新たに追加されたＥ−ＡＧＣＨがユーザ機器の第１のＡＧ情報を搬送することを検出する場合、ユーザ機器は、第１のＡＧ情報に従ってデータ送信を制御する。
【００９５】
Ｓ４０１Ｂ：  ユーザ機器が、新たに追加されたＥ−ＡＧＣＨがそのユーザ機器以外の別のユーザ機器の第２のＡＧ情報を搬送することを検出する場合、ユーザ機器は、第１のチャネル上で搬送される許可情報の検出結果に従ってデータ送信を制御する。
【００９６】
Ｓ４０１Ｃ：  ユーザ機器が、新たに追加されたＥ−ＡＧＣＨがいかなる情報も搬送しないことを検出する場合、ユーザ機器は、第１のチャネル上で搬送される許可情報の検出結果に従ってデータ送信を制御する。
【００９７】
可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出する場合、ユーザ機器は、許可情報及び現在のサービング許可値に従って更新されたサービング許可値を取得し、更新されたサービング許可値に従ってデータ送信を制御する、及び
ユーザ機器が、新たに追加されたＥ−ＡＧＣＨがそのユーザ機器以外の別のユーザ機器の第２のＡＧ情報を搬送することを検出し、第１のチャネルが許可情報を搬送しないことを検出する場合、ユーザ機器は、データ送信を停止する、ただし
許可情報は、現在のサービング許可値を増大又は低減して、更新されたサービング許可値を取得するよう指示する。Ｅ−ＤＣＨ相対許可チャネル（Ｅ−ＲＧＣＨ，Ｅ−ＤＣＨ  Ｒｅｌａｔｉｖｅ  Ｇｒａｎｔ  Ｃｈａｎｎｅｌ）は、本明細書において第１のチャネルとして再使用されうることに留意されたい。たとえば、Ｅ−ＲＧＣＨによって搬送される許可情報は、指示情報、つまり「＋１」又は「−１」であってもよく、ここで＋１はユーザ機器によって現在保持されているサービング許可値を増大するよう指示し、−１はユーザ機器によって現在保持されているサービング許可値を低減するよう指示する。当業者であれば、増大又は低減の大きさはプロトコルで規定されてもよいことを理解されたい。Ｅ−ＲＧＣＨがチャネル化コード及びシグニチャシーケンスを使用することによって表されてもよく、異なるＥ−ＲＧＣＨが異なるチャネル化コードを使用することによって区別されてもよいか、又は異なるシグニチャシーケンスを使用することによって区別されてもよいか、又は異なるチャネル化コード及び異なるシグニチャシーケンスを同時に使用することによって区別されてもよいことを理解されたい。従来型Ｅ−ＲＧＣＨは、ＳＧの値を調整するために使用されてもよい。この実施方法において、従来型Ｅ−ＲＧＣＨが第１のチャネルとして再使用される場合、従来型Ｅ−ＲＧＣＨは、相対許可値に従って現在のＳＧを増大又は低減して、新しいＳＧ値を取得するようユーザ機器に指示することができる。加えて、新しいＥ−ＲＧＣＨは、第１のチャネルとしてさらに使用されてもよい、つまりネットワークは各ユーザ機器に２つのＥ−ＲＧＣＨを割り振り、その１つは従来型Ｅ−ＲＧＣＨであって、ＳＧの値を調整するために使用され、もう１つは新しいＥ−ＲＧＣＨであって、特に、ユーザ機器が、新たに追加されたＥ−ＡＧＣＨがそのユーザ機器以外の別のユーザ機器の第２のＡＧ情報を搬送することを検出する場合、ユーザ機器にデータ送信を停止しないよう、及びデータ送信が実行されるときに使用される許可の値を制御しないよう指示するために使用される。
【００９８】
もう１つの可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出する場合、ユーザ機器は、許可情報に従ってデータ送信を制御する、ただし許可情報はユーザ機器の現在のサービング許可値に従って送信の実行を継続するよう指示する、及び
ユーザ機器が、新たに追加されたＥ−ＡＧＣＨがそのユーザ機器以外の別のユーザ機器の第２のＡＧ情報を搬送することを検出し、第１のチャネルが許可情報を搬送しないことを検出する場合、ユーザ機器はデータ送信を停止する。
【００９９】
この事例において、第１のチャネルが従来型Ｅ−ＲＧＣＨチャネルである場合、ユーザ機器が、新たに追加されたＥ−ＡＧＣＨがそのユーザ機器以外の別のユーザ機器の第２のＡＧ情報を搬送することを検出すると、Ｅ−ＲＧＣＨは、ユーザ機器の現在のサービング許可値に従って送信の実行を継続するよう指示するために使用され、ユーザ機器が、新たに追加されたＥ−ＡＧＣＨがいかなる情報も搬送しないことを検出すると、Ｅ−ＲＧＣＨチャネルは元の定義を保持し、ＳＧの値を調整するために使用される。第１のチャネルが新しいＥ−ＲＧＣＨである場合、つまりネットワークは各ユーザ機器に２つのＥ−ＲＧＣＨチャネルを割り振り、その１つは従来型Ｅ−ＲＧＣＨであって、ＳＧの値を調整するために使用され、もう１つは新しいＥ−ＲＧＣＨであって、特に、ユーザ機器が、新たに追加されたＥ−ＡＧＣＨがそのユーザ機器以外の別のユーザ機器の第２のＡＧ情報を搬送することを検出すると、ユーザ機器の現在のサービング許可値に従って送信の実行を継続するようユーザ機器に指示するために使用され、ユーザ機器が、新たに追加されたＥ−ＡＧＣＨがいかなる情報も搬送しないことを検出すると、新しいＥ−ＲＧＣＨチャネルは無効であり、たとえユーザが新しいＥ−ＲＧＣＨチャネルを受信してもユーザは新しいＥ−ＲＧＣＨチャネル上で搬送された情報に注意を払わないこともある。
【０１００】
さらに、ネットワーク側デバイスが、そのユーザ機器以外の別のユーザ機器の第２のＡＧ情報を搬送するＥ−ＡＧＣＨを配信する場合、情報、すなわち「＋１」又は「−１」は固定された方式でＥ−ＲＧＣＨにマップされてもよく、ユーザ機器は、ネットワーク側上位レイヤシグナリングを使用することなどによりプロトコル事前定義又は配信の方法で、あらかじめ、情報がマップされているかどうかについて通知され、ユーザ機器がＥ−ＲＧＣＨ上の許可情報を検出する確率を高められるようになっている。本明細書においてＥ−ＲＧＣＨは、従来型Ｅ−ＲＧＣＨ又は新しいＥ−ＲＧＣＨを含む。
【０１０１】
さらにもう１つの可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出する場合、ユーザ機器は、データ送信を停止する、ただし許可情報はデータ送信を停止するよう指示する、
ユーザ機器が、新たに追加されたＥ−ＡＧＣＨがそのユーザ機器以外の別のユーザ機器の第２のＡＧ情報を搬送することを検出し、第１のチャネルが許可情報を搬送しないことを検出する場合、ユーザ機器は、現在のサービング許可値に従ってデータ送信の実行を継続する。
【０１０２】
この事例において、第１のチャネルが従来型Ｅ−ＲＧＣＨチャネルである場合、ユーザ機器が、新たに追加されたＥ−ＡＧＣＨがそのユーザ機器以外の別のユーザ機器の第２のＡＧ情報を搬送することを検出すると、Ｅ−ＲＧＣＨは、データ送信を停止するようユーザ機器に指示するために使用され、ユーザ機器が、新たに追加されたＥ−ＡＧＣＨがいかなる情報も搬送しないことを検出すると、Ｅ−ＲＧＣＨチャネルは元の定義を保持し、ＳＧの値を調整するために使用される。第１のチャネルが新しいＥ−ＲＧＣＨである場合、つまりネットワークは各ユーザ機器に２つのＥ−ＲＧＣＨチャネルを割り振り、その１つは従来型Ｅ−ＲＧＣＨであって、ＳＧの値を調整するために使用され、もう１つは新しいＥ−ＲＧＣＨチャネルであって、特に、ユーザ機器が、新たに追加されたＥ−ＡＧＣＨがそのユーザ機器以外の別のユーザ機器の第２のＡＧ情報を搬送することを検出すると、データ送信を停止するようユーザ機器に指示するために使用され、ユーザ機器が、新たに追加されたＥ−ＡＧＣＨがいかなる情報も搬送しないことを検出すると、新しいＥ−ＲＧＣＨチャネルは無効であり、たとえユーザが新しいＥ−ＲＧＣＨチャネルを受信してもユーザは新しいＥ−ＲＧＣＨチャネル上で搬送された情報に注意を払わないこともある。
【０１０３】
さらに、ネットワーク側デバイスが、そのユーザ機器以外の別のユーザ機器の第２のＡＧ情報を搬送するＥ−ＡＧＣＨを配信する場合、情報、すなわち「＋１」又は「−１」は固定された方式でＥ−ＲＧＣＨにマップされてもよく、ユーザ機器は、ネットワーク側上位レイヤシグナリングを使用することなどによりプロトコル事前定義又は配信の方法で、あらかじめ、情報がマップされているかどうかについて通知され、ユーザ機器がＥ−ＲＧＣＨ上の許可情報を検出する確率を高められるようになっている。本明細書においてＥ−ＲＧＣＨは、従来型Ｅ−ＲＧＣＨ又は新しいＥ−ＲＧＣＨを含む。
【０１０４】
さらにもう１つの可能な実施方法において、Ｓ４０１Ｂの状況は、特に以下の事項を含むことができる。
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出し、許可情報は第１の許可指示である場合、ユーザ機器は、現在のサービング許可値に従って送信の実行を継続する、及び
ユーザ機器が、新たに追加されたＥ−ＡＧＣＨがそのユーザ機器以外の別のユーザ機器の第２のＡＧ情報を搬送することを検出し、第１のチャネルが許可情報を搬送することを検出し、許可情報は第２の許可指示である場合、ユーザ機器は、データ送信を停止する、ただし
第１の許可指示は、現在のサービング許可値に従ってデータ送信の実行を継続するようユーザ機器に指示し、第２の許可指示は、データ送信の実行を停止するようユーザ機器に指示する。
【０１０５】
この事例において、第１のチャネルが従来型Ｅ−ＲＧＣＨチャネルである場合、ユーザ機器が、新たに追加されたＥ−ＡＧＣＨがそのユーザ機器以外の別のユーザ機器の第２のＡＧ情報を搬送することを検出すると、Ｅ−ＲＧＣＨは、データ送信を継続又は停止するようユーザ機器に指示するために使用され、ユーザ機器が、新たに追加されたＥ−ＡＧＣＨがいかなる情報も搬送しないことを検出すると、Ｅ−ＲＧＣＨチャネルは元の定義を保持し、ＳＧの値を調整するために使用される。第１のチャネルが新しいＥ−ＲＧＣＨである場合、つまりネットワークは各ユーザ機器に２つのＥ−ＲＧＣＨチャネルを割り振り、その１つは従来型Ｅ−ＲＧＣＨであって、ＳＧの値を調整するために使用され、もう１つは新しいＥ−ＲＧＣＨであって、特に、ユーザ機器が、新たに追加されたＥ−ＡＧＣＨがそのユーザ機器以外の別のユーザ機器の第２のＡＧ情報を搬送することを検出すると、データ送信を継続又は停止するようユーザ機器に指示するために使用され、ユーザ機器が、新たに追加されたＥ−ＡＧＣＨがいかなる情報も搬送しないことを検出すると、新しいＥ−ＲＧＣＨチャネルは無効であり、たとえユーザが新しいＥ−ＲＧＣＨチャネルを受信してもユーザは新しいＥ−ＲＧＣＨチャネル上で搬送された情報に注意を払わないこともある。
【０１０６】
特に、第１のチャネルがＥ−ＲＧＣＨチャネルである場合、Ｅ−ＲＧＣＨチャネルによって送信された許可情報は、第１の許可指示及び第２の許可指示に分割されてもよく、ユーザ機器は、ネットワーク側上位レイヤシグナリングを使用することよりプロトコル事前定義又は配信の方法で、あらかじめ第１の許可指示及び第２の許可指示について通知され、ユーザ機器がＥ−ＲＧＣＨ上で許可情報を検出する確率を高められるようになっている。例示的には、第１の許可指示が「＋１」である場合、これに相応して第２の許可指示は「−１」であるか、又は第１の許可指示が「−１」である場合、これに相応して第２の許可指示は「＋１」である。本明細書においてＥ−ＲＧＣＨは、従来型Ｅ−ＲＧＣＨ又は新しいＥ−ＲＧＣＨを含む。
【０１０７】
この実施形態における方法を使用することにより、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１０８】
図１０は、本発明の実施形態によるさらになおもう１つのユーザ機器５を示す図であり、ユーザ機器５は、
ネットワーク側デバイスによって送信される新たに追加された拡張絶対許可チャネルＥ−ＡＧＣＨ及び第１のチャネルを受信するように構成された受信機５０と、
新たに追加されたＥ−ＡＧＣＨ上で搬送される絶対許可ＡＧ情報、及び第１のチャネル上で搬送される許可情報を検出し、検出結果に従ってユーザ機器のデータ送信を制御するように構成されたプロセッサ５１とを含む。
【０１０９】
この実施形態において、プロセッサ５１は、特に、
新たに追加されたＥ−ＡＧＣＨがユーザ機器の第１のＡＧ情報を搬送することが検出される場合、第１のＡＧ情報に従ってデータ送信を制御するように構成され、
新たに追加されたＥ−ＡＧＣＨがそのユーザ機器以外の別のユーザ機器の第２のＡＧ情報を搬送することが検出される場合、第１のチャネル上で搬送される許可情報の検出結果に従ってデータ送信を制御するように構成され、及び
新たに追加されたＥ−ＡＧＣＨがいかなる情報も搬送しないことが検出される場合、第１のチャネル上で搬送される許可情報の検出結果に従ってデータ送信を制御するように構成される。
【０１１０】
実施方法において、プロセッサ５１が、新たに追加されたＥ−ＡＧＣＨがそのユーザ機器以外の別のユーザ機器の第２のＡＧ情報を搬送することを検出する場合、プロセッサ５１は、特に、
第１のチャネルが許可情報を搬送することが検出される場合、許可情報及び現在のサービング許可値に従って更新されたサービング許可値を取得し、更新されたサービング許可値に従ってデータ送信を制御するように構成されるか、又は
第１のチャネルが許可情報を搬送しないことが検出される場合、データ送信を停止するように構成されてもよく、ただし
許可情報は、現在のサービング許可値を増大又は低減するよう指示する。たとえば、Ｅ−ＲＧＣＨが第１のチャネルとして再使用される場合、Ｅ−ＲＧＣＨチャネルによって搬送される許可情報は、２つの部分の指示情報、つまり「＋１」又は「−１」であってもよく、ここで＋１はユーザ機器によって現在保持されているサービング許可値を増大するよう指示し、−１はユーザ機器によって現在保持されているサービング許可値を低減するよう指示する。
【０１１１】
もう１つの実施方法において、プロセッサ５１が、新たに追加されたＥ−ＡＧＣＨがそのユーザ機器以外の別のユーザ機器の第２のＡＧ情報を搬送することを検出する場合、プロセッサ５１は、特に、
第１のチャネルが許可情報を搬送することが検出される場合、許可情報に従ってデータ送信を制御するように構成されるか、又は
第１のチャネルが許可情報を搬送しないことが検出される場合、データ送信を停止するように構成されてもよく、ただし
許可情報は、ユーザ機器の現在のサービング許可値に従って送信の実行を継続するよう指示する。
【０１１２】
さらにもう１つの実施方法において、プロセッサ５１が、新たに追加されたＥ−ＡＧＣＨがそのユーザ機器以外の別のユーザ機器の第２のＡＧ情報を搬送することを検出する場合、プロセッサ５１は、特に、
第１のチャネルが許可情報を搬送することが検出される場合、データ送信を停止するように構成され、ただし許可情報はデータ送信を停止するよう指示する、
第１のチャネルが許可情報を搬送しないことが検出される場合、現在のサービング許可値に従ってデータ送信の実行を継続するように構成され、
第１のチャネルが許可情報を搬送することが検出される場合、許可情報が第１の許可指示である場合、現在のサービング許可値に従ってデータ送信を実行するように構成され、及び
第１のチャネルが許可情報を搬送することが検出される場合、許可情報が第２の許可指示である場合、データ送信を停止するように構成されてもよく、ただし
第１の許可指示は、現在のサービング許可値に従ってデータ送信の実行を継続するよう指示するために使用され、第２の許可指示は、データ送信の実行を停止するよう指示するために使用される。
【０１１３】
この実施形態により提供されるユーザ機器によれば、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１１４】
図１１は、本発明の実施形態による絶対許可値を送信するためのさらにもう１つの方法を示し、方法は以下のステップを含む。
【０１１５】
ステップＳ５００：  ユーザ機器は、ネットワーク側デバイスによって送信される新たに追加された拡張絶対許可チャネルＥ−ＡＧＣＨ及びダウンリンク高速共有制御チャネル（Ｈｉｇｈ  Ｓｐｅｅｄ−Ｓｈａｒｅｄ  Ｃｏｎｔｒｏｌ  Ｃｈａｎｎｅｌ，ＨＳ−ＳＣＣＨ）を受信する。
【０１１６】
ステップＳ５０１：  ユーザ機器は、新たに追加されたＥ−ＡＧＣＨ上で搬送される絶対許可ＡＧ情報、及びＨＳ−ＳＣＣＨ上で搬送されるＨＳ−ＳＣＣＨ命令（Ｏｒｄｅｒ）情報を検出し、検出結果に従ってユーザ機器のデータ送信を制御する。
【０１１７】
実施方法において、ステップＳ５０１は、特に以下の事項を含むことができる。
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨ上で搬送されるＨＳ−ＳＣＣＨ命令情報が送信を継続するようユーザ機器に指示することを検出する場合、ユーザ機器により、現在のサービング許可値に従ってデータ送信の実行を継続すること、並びに
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨがＨＳ−ＳＣＣＨ命令情報を搬送しないことを検出する場合、ユーザ機器により、データ送信を停止すること。
【０１１８】
もう１つの実施方法において、Ｓ５０１は、特に以下の事項を含むことができる。
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨ上で搬送されるＨＳ−ＳＣＣＨ命令情報がデータ送信を停止するようユーザ機器に指示することを検出する場合、ユーザ機器により、データ送信を停止すること、並びに
ユーザ機器が、新たに追加されたＥ−ＡＧＣＨがそのユーザ機器以外の別のユーザ機器の第２のＡＧ情報を搬送することを検出する場合、及びユーザ機器が、ＨＳ−ＳＣＣＨがＨＳ−ＳＣＣＨ命令情報を搬送しないことを検出する場合、ユーザ機器により、現在のサービング許可値に従ってデータ送信の実行を継続すること。この実施方法と以前の実施方法との相違点は、ＨＳ−ＳＣＣＨ命令情報が送信を継続するよう指示するか、又は送信を停止するよう指示するかにあることが理解されよう。
【０１１９】
この実施形態において、ユーザ機器が、特に、受信機及びプロセッサを含むことができ、その各々がステップＳ５００及びＳ５０１の機能を実行することに留意されたい。図１０においてユーザ機器の部分が参照されてもよく、詳細については、本明細書において再度説明されない。
【０１２０】
この実施形態における方法を使用することにより、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１２１】
図１２は、本発明の実施形態による絶対許可値を送信するためのさらになおもう１つの方法を示し、方法は以下のステップを含む。
【０１２２】
ステップＳ６００：  ユーザ機器は、ネットワーク側デバイスによって送信されたＥ−ＡＧＣＨチャネルの構成情報を受信し、構成情報は、Ｅ−ＡＧＣＨチャネルのチャネル化コード情報及び属性情報を含み、属性情報は、Ｅ−ＡＧＣＨチャネルが従来型Ｅ−ＡＧＣＨ又は新たに追加されたＥ−ＡＧＣＨのいずれであるかを表す。
【０１２３】
ステップＳ６０１：  ユーザ機器は、チャネル化コード情報に従って、Ｅ−ＡＧＣＨチャネル上で搬送される絶対許可（ＡＧ）情報を検出し、検出結果及び属性情報に従ってユーザ機器のデータ送信を制御する。
【０１２４】
ステップＳ６０１において、検出結果及び属性情報に従ってユーザ機器のデータ送信を制御することは、特に以下の事項を含むことができる。
属性情報が、Ｅ−ＡＧＣＨチャネルが従来型Ｅ−ＡＧＣＨチャネルであることを示し、ユーザ機器がＥ−ＡＧＣＨチャネル上でＡＧ情報を検出する場合、ＡＧ情報を使用することによって現在のサービング許可値を更新し、更新されたサービング許可値に従ってデータ送信を実行すること、
属性情報が、Ｅ−ＡＧＣＨチャネルが従来型Ｅ−ＡＧＣＨチャネルであることを示し、ユーザ機器がＥ−ＡＧＣＨチャネル上でＡＧ情報を検出しない場合、現在のサービング許可値に従ってデータ送信の実行を継続すること、及びデータ送信が現在実行されていない場合、データ送信なしの状態を不変のままにすること、
属性情報が、Ｅ−ＡＧＣＨチャネルが新たに追加されたＥ−ＡＧＣＨチャネルであることを示し、ユーザ機器がＥ−ＡＧＣＨチャネル上でユーザ機器のＡＧ情報を検出する場合、ＡＧ情報を使用することによって現在のサービング許可値を更新し、更新されたサービング許可値に従ってデータ送信を実行すること、
属性情報が、Ｅ−ＡＧＣＨチャネルが新たに追加されたＥ−ＡＧＣＨチャネルであることを示し、ユーザ機器がＥ−ＡＧＣＨチャネル上でそのユーザ機器以外の別のユーザ機器のＡＧ情報を検出する場合、データ送信を停止すること、及びデータ送信が現在実行されていない場合、データ送信なしの状態を不変のままにすること、並びに
属性情報が、Ｅ−ＡＧＣＨチャネルが新たに追加されたＥ−ＡＧＣＨチャネルであることを示し、ユーザ機器がＥ−ＡＧＣＨチャネル上でＡＧ情報を検出しない場合、現在のサービング許可値に従ってデータ送信の実行を継続すること、及びデータ送信が現在実行されていない場合、データ送信なしの状態を不変のままにすること。
【０１２５】
さらに、方法は次のステップをさらに含むことができる。ステップＳ６０２：  ユーザ機器は、ネットワーク側デバイスによって送信される指示命令を受信し、指示命令に従ってＥ−ＡＧＣＨチャネルの属性情報を変更し、指示命令は、属性情報を変更するようユーザ機器に指示するために使用される。
【０１２６】
具体的な実施態様において、属性情報は２つの方法で変更されてもよい。
【０１２７】
１．  指示命令は、変更されたＥ−ＡＧＣＨチャネルの属性情報が従来型Ｅ−ＡＧＣＨチャネル又は新たに追加されたＥ−ＡＧＣＨチャネルのいずれであるかを明示的に指示し、指示命令を受信した後、ユーザ機器は、指示命令に従ってＥ−ＡＧＣＨチャネルの元の属性情報を変更する。
【０１２８】
２．  指示命令は、Ｅ−ＡＧＣＨチャネルの元の属性情報が変更される必要があることを示する、つまり、変更されていないＥ−ＡＧＣＨチャネルが従来型Ｅ−ＡＧＣＨチャネルである場合、従来型Ｅ−ＡＧＣＨチャネルは新たに追加されたＥ−ＡＧＣＨチャネルに変更される、及び／又は、変更されていないＥ−ＡＧＣＨチャネルが新たに追加されたＥ−ＡＧＣＨチャネルである場合、新たに追加されたＥ−ＡＧＣＨチャネルは従来型Ｅ−ＡＧＣＨチャネルに変更される、
【０１２９】
この実施形態のもう１つの実施方法において、図１３に示されるように、方法は次のステップをさらに含むことができる。ステップＳ６０３：  ユーザ機器は、Ｅ−ＡＧＣＨチャネル以外のチャネルを通じてネットワーク側デバイスによって送信されるデータ送信停止命令を受信し、データ送信停止命令の指示に従ってデータ送信を停止する。
【０１３０】
具体的な実施態様において、Ｅ−ＡＧＣＨチャネル以外のチャネルは、Ｅ−ＲＧＣＨ又はＨＳ−ＳＣＣＨであってもよい。
【０１３１】
チャネルがＥ−ＲＧＣＨである場合、これは従来型Ｅ−ＲＧＣＨ又は新しいＥ−ＲＧＣＨを含むことができ、Ｅ−ＲＧＣＨ上で搬送される情報は「＋１」又は「−１」であってもよい。ユーザ機器は、ユーザ機器がデータ送信停止命令を転送するための対応するＥ−ＲＧＣＨを受信する限り、データ送信を停止する。加えて、ネットワーク側デバイスはまた、情報、すなわち「＋１」又は「−１」を固定された方式でＥ−ＲＧＣＨにマップすることもでき、ユーザ機器は、ネットワーク側上位レイヤシグナリングを使用することなどによりプロトコル事前定義又は配信の方法で、あらかじめ、情報がマップされているかどうかについて通知され、ユーザ機器がＥ−ＲＧＣＨ上でデータ送信停止命令を検出する確率を高められるようになっている。
【０１３２】
チャネルがＨＳ−ＳＣＣＨである場合、データ送信停止命令は、ＨＳ−ＳＣＣＨ命令の方法で配信されてもよい。
【０１３３】
前述の実施方法において、ステップＳ６０２及びステップＳ６０３は必要ではなく、ステップＳ６０２及びステップＳ６０３は、別々にステップＳ６００及びＳ６０１と組み合わされてもよいか、又はステップＳ６００、ステップＳ６０１、ステップＳ６０２、及びステップＳ６０３のすべてが実施方法に含まれてもよく、この実施形態において限定されないことに留意されたい。
【０１３４】
この実施形態において、ユーザ機器が、特に、ステップＳ６００、Ｓ６０２、及び／又はＳ６０３の対応する機能を実行する受信機と、Ｓ６０１の機能を実行するプロセッサとを含むことができることに留意されたい。図１０においてユーザ機器の部分が参照されてもよく、詳細については、本明細書において再度説明されない。当業者であれば、受信機が複数の機能又はＳ６０２及び／又はＳ６０３の機能を実行することが、本明細書においてチャネルから対応する命令を取得することを参照すること、及び命令の指示に従って実行されるさらなる機能が引き続きプロセッサによって実行されることを理解されたい。
【０１３５】
この実施形態における方法を使用することにより、マルチユーザ送信がサポートされる場合、ＡＧがユーザ機器の中断されたデータ送信を再開するために頻繁に配信されることが回避され、ダウンリンクシグナリングオーバーヘッドが低減され、複数のＡＧが同時に配信されないために生じるユーザ機器のデータ送信間隔が回避されて、アップリンクネットワーク容量が改善される。
【０１３６】
当業者であれば、方法実施形態のステップの全部又は一部は、プログラムが関連ハードウェアに指示することによって実施されてもよいことを理解することができる。プログラムは、コンピュータ可読ストレージ媒体に格納されてもよい。プログラムが実行する場合、方法実施形態のステップが実行される。前述のストレージ媒体は、ＲＯＭ、ＲＡＭ、磁気ディスク、又は光ディスクのような、プログラムコードを格納することができる任意の媒体を含む。
【０１３７】
最後に、前述の実施形態は、本発明の技術的解決策を説明することを単に意図されており、本発明を限定するものではないことに留意されたい。本明細書は、前述の実施形態を参照して詳細に説明されるが、当業者であれば、前述の実施形態において説明される技術的解決策に変更をさらに加えること、又はその一部若しくは全部の技術的特徴に等価の置き換えを行なうことは、そのような変更又は置き換えが対応する技術的解決策の本質的要素を、本発明の実施形態の技術的解決策の範囲から逸脱させるようなことがない限り、可能であることを理解されたい。
【手続補正２】
【補正対象書類名】特許請求の範囲
【補正対象項目名】全文
【補正方法】変更
【補正の内容】
【特許請求の範囲】
【請求項１】
絶対許可値を送信するための方法であって、
ユーザ機器により、ネットワーク側デバイスによって送信される従来型拡張絶対許可チャネル（Ｅ−ＡＧＣＨ）及び新たに追加された許可値検出Ｅ−ＡＧＣＨを受信するステップと、
前記ユーザ機器により、前記従来型Ｅ−ＡＧＣＨ及び前記許可値検出Ｅ−ＡＧＣＨのうちの少なくとも１つのチャネル上で搬送される絶対許可（ＡＧ）情報を検出し、検出結果に従って前記ユーザ機器のデータ送信を制御するステップとを含む方法。
【請求項２】
前記ユーザ機器により、前記従来型Ｅ−ＡＧＣＨ及び前記許可値検出Ｅ−ＡＧＣＨのうちの少なくとも１つのチャネル上で搬送される絶対許可ＡＧ情報を検出し、検出結果に従って前記ユーザ機器の現在のデータ送信を制御する前記ステップは、
前記ユーザ機器が、前記従来型Ｅ−ＡＧＣＨ及び前記許可値検出Ｅ−ＡＧＣＨのうちの前記少なくとも１つのチャネルが前記ユーザ機器の第１のＡＧ情報を搬送することを検出する場合、
前記ユーザ機器により、前記ユーザ機器の前記第１のＡＧ情報に従って前記データ送信を制御するステップを含む請求項１に記載の方法。
【請求項３】
前記ユーザ機器が、前記従来型Ｅ−ＡＧＣＨ及び前記許可値検出Ｅ−ＡＧＣＨのうちの前記少なくとも１つのチャネルが前記ユーザ機器の第１のＡＧ情報を搬送することを検出する場合、前記ユーザ機器により、前記ユーザ機器の前記第１のＡＧ情報に従って前記データ送信を制御する前記ステップは、
前記ユーザ機器が、前記従来型Ｅ−ＡＧＣＨが前記ユーザ機器の前記第１のＡＧ情報を搬送することを検出する場合、前記ユーザ機器により、前記ユーザ機器の前記第１のＡＧ情報に従って前記データ送信を制御するステップと、
前記ユーザ機器が、前記従来型Ｅ−ＡＧＣＨが前記ユーザ機器の前記第１のＡＧ情報を搬送しないことを検出し、前記許可許可値検出Ｅ−ＡＧＣＨが前記ユーザ機器の前記第１のＡＧ情報を搬送することを検出する場合、前記ユーザ機器により、前記第１のＡＧ情報に従って前記データ送信を制御するステップとを含む請求項２に記載の方法。
【請求項４】
前記ユーザ機器により、前記従来型Ｅ−ＡＧＣＨ及び前記許可値検出Ｅ−ＡＧＣＨのうちの少なくとも１つのチャネル上で搬送される絶対許可（ＡＧ）情報を検出し、検出結果に従って前記ユーザ機器の現在のデータ送信を制御する前記ステップは、
前記ユーザ機器が、前記従来型Ｅ−ＡＧＣＨが前記ユーザ機器の前記第１のＡＧ情報を搬送しないことを検出し、前記許可値検出Ｅ−ＡＧＣＨが前記ユーザ機器以外の別のユーザ機器の第２のＡＧ情報を搬送することを検出する場合、
前記ユーザ機器により、前記データ送信の実行をスキップするステップを含む請求項１に記載の方法。
【請求項５】
ネットワーク側デバイスによって送信される従来型拡張絶対許可チャネル（Ｅ−ＡＧＣＨ）及び新たに追加された許可値検出Ｅ−ＡＧＣＨを受信するように構成された受信モジュールと、
前記従来型Ｅ−ＡＧＣＨ及び前記許可値検出Ｅ−ＡＧＣＨのうちの少なくとも１つのチャネル上で搬送される絶対許可（ＡＧ）情報を検出し、検出結果に従って前記ユーザ機器のデータ送信を制御するように構成された検出モジュールとを含むユーザ機器。
【請求項６】
前記検出モジュールは、特に、
前記従来型Ｅ−ＡＧＣＨ及び前記許可値検出Ｅ−ＡＧＣＨのうちの前記少なくとも１つのチャネルが前記ユーザ機器の第１のＡＧ情報を搬送することが検出される場合、
前記ユーザ機器の前記第１のＡＧ情報に従って前記データ送信を制御するように構成される請求項５に記載のユーザ機器。
【請求項７】
前記検出モジュールは、特に、
前記従来型Ｅ−ＡＧＣＨが前記ユーザ機器の前記第１のＡＧ情報を搬送することが検出される場合、前記ユーザ機器の前記第１のＡＧ情報に従って前記データ送信を制御するように構成され、
前記従来型Ｅ−ＡＧＣＨが前記ユーザ機器の前記第１のＡＧ情報を搬送しないことが検出され、前記許可値検出Ｅ−ＡＧＣＨが前記ユーザ機器の前記第１のＡＧ情報を搬送することが検出される場合、前記第１のＡＧ情報に従って前記データ送信を制御するように構成される請求項６に記載のユーザ機器。
【請求項８】
前記検出モジュールは、特に、
前記従来型Ｅ−ＡＧＣＨが前記ユーザ機器の前記第１のＡＧ情報を搬送しないことが検出され、前記許可値検出Ｅ−ＡＧＣＨが前記ユーザ機器以外の別のユーザ機器の第２のＡＧ情報を搬送することが検出される場合、
前記データ送信の実行をスキップするように構成される請求項５に記載のユーザ機器。
【請求項９】
絶対許可値を送信するための方法であって、
前記ユーザ機器により、ネットワーク側デバイスによって送信される新たに追加された拡張絶対許可チャネルＥ−ＡＧＣＨ及び第１のチャネルを受信するステップと、
前記ユーザ機器により、前記新たに追加されたＥ−ＡＧＣＨ上で搬送される絶対許可（ＡＧ）情報、及び前記第１のチャネル上で搬送される許可情報を検出し、検出結果に従って前記ユーザ機器のデータ送信を制御するステップとを含む方法。
【請求項１０】
前記ユーザ機器により、前記新たに追加されたＥ−ＡＧＣＨ上で搬送されるＡＧ情報、及び前記第１のチャネル上で搬送される許可情報を検出し、検出結果に従って前記ユーザ機器の現在のデータ送信を制御する前記ステップは、
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御するステップを含む請求項９に記載の方法。
【請求項１１】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送することを検出する場合、前記ユーザ機器により、前記許可情報及び現在のサービング許可値に従って更新されたサービング許可値を取得し、前記更新されたサービング許可値に従って前記データ送信を制御するステップと、
前記ユーザ機器が、前記第１のチャネルが前記許可情報を搬送しないことを検出する場合、前記ユーザ機器により、前記データ送信を停止するステップとを備え、
前記許可情報は前記現在のサービング許可値を増大又は低減するよう指示する請求項１０に記載の方法。
【請求項１２】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送することを検出する場合、前記ユーザ機器により、前記許可情報に従って前記データ送信を制御するステップであって、前記許可情報は、前記ユーザ機器の現在のサービング許可値に従って前記データ送信の実行を継続するよう指示するステップ、又は
前記ユーザ機器が、前記第１のチャネルが前記許可情報を搬送しないことを検出する場合、前記ユーザ機器により、前記データ送信を停止するステップを含む請求項１０に記載の方法。
【請求項１３】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送することを検出する場合、前記ユーザ機器により、前記データ送信を停止するステップであって、前記許可情報は前記データ送信を停止するよう指示するステップ、又は
前記ユーザ機器が、前記第１のチャネルが前記許可情報を搬送しないことを検出する場合、前記ユーザ機器により、現在のサービング許可値に従って前記データ送信の実行を継続するステップを含む請求項１０に記載の方法。
【請求項１４】
前記ユーザ機器が、前記新たに追加されたＥ−ＡＧＣＨが前記ユーザ機器以外の別のユーザ機器の第２のＡＧ情報を搬送することを検出する場合、前記ユーザ機器により、前記第１のチャネル上で搬送される前記許可情報の検出結果に従って前記データ送信を制御する前記ステップは、
前記ユーザ機器が、前記第１のチャネルが前記許可情報を搬送し、前記許可情報が第１の許可指示であることを検出する場合、前記ユーザ機器により、現在のサービング許可値に従って前記データ送信の実行を継続するステップと、
前記ユーザ機器が、前記第１のチャネルが前記許可情報を搬送し、前記許可情報が第２の許可指示であることを検出する場合、前記ユーザ機器により、前記データ送信を停止するステップとを備え、
前記第１の許可指示は、前記現在のサービング許可値に従って前記データ送信の実行を継続するよう前記ユーザ機器に指示し、前記第２の許可指示は、前記データ送信の実行を停止するよう前記ユーザ機器に指示する請求項１０に記載の方法。
【請求項１５】
ネットワーク側デバイスによって送信される新たに追加された拡張絶対許可チャネル（Ｅ−ＡＧＣＨ）及び第１のチャネルを受信するように構成された受信機と、
前記新たに追加されたＥ−ＡＧＣＨ上で搬送される絶対許可（ＡＧ）情報、及び前記第１のチャネル上で搬送される許可情報を検出し、検出結果に従って前記ユーザ機器のデータ送信を制御するように構成されたプロセッサとを含むユーザ機器。
【請求項１６】
前記プロセッサは、特に、
前記新たに追加されたＥ−ＡＧＣＨが前記ユーザ機器以外の別のユーザ機器の第２のＡＧ情報を搬送することが検出される場合、前記第１のチャネル上で搬送される前記許可情報の検出結果に従って前記データ送信を制御するように構成される請求項１５に記載のユーザ機器。
【請求項１７】
前記プロセッサが、前記新たに追加されたＥ−ＡＧＣＨが前記ユーザ機器以外の別のユーザ機器の前記第２のＡＧ情報を搬送することを検出する場合、前記プロセッサは、特に、
前記第１のチャネルが前記許可情報を搬送することが検出される場合、前記許可情報及び現在のサービング許可値に従って更新されたサービング許可を取得し、前記更新されたサービング許可値に従って前記データ送信を制御するように構成されるか、又は
前記第１のチャネルが前記許可情報を搬送しないことが検出される場合、前記データ送信を停止するように構成され、
前記許可情報は前記現在のサービング許可値を増大又は低減するよう指示する請求項１６に記載のユーザ機器。
【請求項１８】
前記プロセッサが、前記新たに追加されたＥ−ＡＧＣＨが前記ユーザ機器以外の前記別のユーザ機器の前記第２のＡＧ情報を搬送することを検出する場合、前記プロセッサは、特に、
前記第１のチャネルが前記許可情報を搬送することが検出される場合、前記許可情報に従って前記データ送信を制御するように構成されるか、又は
前記第１のチャネルが前記許可情報を搬送しないことが検出される場合、前記データ送信を停止するように構成され、
前記許可情報は前記ユーザ機器の現在のサービング許可値に従って前記送信の実行を継続するよう指示する請求項１６に記載のユーザ機器。
【請求項１９】
前記プロセッサが、前記新たに追加されたＥ−ＡＧＣＨが前記ユーザ機器以外の前記別のユーザ機器の前記第２のＡＧ情報を搬送することを検出する場合、前記プロセッサは、特に、
前記第１のチャネルが前記許可情報を搬送することが検出される場合、前記データ送信を停止するように構成され、前記許可情報は前記データ送信を停止するよう指示し、
前記第１のチャネルが前記許可情報を搬送しないことが検出される場合、現在のサービング許可値に従って前記データ送信の実行を継続するように構成される請求項１６に記載のユーザ機器。
【請求項２０】
前記プロセッサが、前記新たに追加されたＥ−ＡＧＣＨが前記ユーザ機器以外の前記別のユーザ機器の前記第２のＡＧ情報を搬送することを検出する場合、前記プロセッサは、特に、
前記第１のチャネルが前記許可情報を搬送し、前記許可情報が第１の許可指示であることを検出する場合、現在のサービング許可値に従って前記データ送信の実行を継続するように構成され、
前記第１のチャネルが前記許可情報を搬送し、前記許可情報が第２の許可指示であることを検出する場合、前記データ送信を停止するように構成され、
前記第１の許可指示は、前記現在のサービング許可値に従って前記データ送信の実行を継続するよう指示するために使用され、前記第２の許可指示は、前記データ送信の実行を停止するよう指示するために使用される請求項１６に記載のユーザ機器。
【請求項２１】
絶対許可値を送信するための方法であって、
ユーザ機器により、ネットワーク側デバイスによって送信されたＥ−ＡＧＣＨの構成情報を受信するステップであり、前記構成情報は前記Ｅ−ＡＧＣＨのチャネル化コード情報及び属性情報を備え、前記属性情報は前記Ｅ−ＡＧＣＨが従来型Ｅ−ＡＧＣＨ又は新たに追加されたＥ−ＡＧＣＨのいずれであるかを表すステップと、
前記ユーザ機器により、前記チャネル化コード情報に従って、前記Ｅ−ＡＧＣＨ上で搬送される絶対許可（ＡＧ）情報を検出し、検出結果及び前記属性情報に従って前記ユーザ機器のデータ送信を制御するステップとを含む方法。
【請求項２２】
検出結果及び前記属性情報に従って前記ユーザ機器のデータ送信を制御する前記ステップは、
前記属性情報が、前記Ｅ−ＡＧＣＨが従来型Ｅ−ＡＧＣＨであることを示し、前記ユーザ機器が前記Ｅ−ＡＧＣＨ上で前記ＡＧ情報を検出する場合、前記ＡＧ情報を使用することによって現在のサービング許可を更新し、更新されたサービング許可値に従って前記データ送信を実行するステップと、
前記属性情報が、前記Ｅ−ＡＧＣＨが従来型Ｅ−ＡＧＣＨであることを示し、前記ユーザ機器が前記Ｅ−ＡＧＣＨチャネル上で前記ＡＧ情報を検出しない場合、前記現在のサービング許可値に従って前記データ送信の実行を継続するステップとを含む請求項２１に記載の方法。
【請求項２３】
検出結果及び前記属性情報に従って前記ユーザ機器のデータ送信を制御する前記ステップは、
前記属性情報が、前記Ｅ−ＡＧＣＨが新たに追加されたＥ−ＡＧＣＨであることを示し、前記ユーザ機器が前記Ｅ−ＡＧＣＨ上で前記ユーザ機器の前記ＡＧ情報を検出する場合、前記ＡＧ情報を使用することによって現在のサービング許可値を更新し、更新されたサービング許可値に従って前記データ送信を実行するステップと、
前記属性情報が、前記Ｅ−ＡＧＣＨが新たに追加されたＥ−ＡＧＣＨであることを示し、前記ユーザ機器が前記Ｅ−ＡＧＣＨ上で前記ユーザ機器以外の別のユーザ機器のＡＧ情報を検出する場合、前記データ送信を停止するステップと、
前記属性情報が、前記Ｅ−ＡＧＣＨが新たに追加されたＥ−ＡＧＣＨであることを示し、前記ユーザ機器が前記Ｅ−ＡＧＣＨ上で前記ＡＧ情報を検出しない場合、前記現在のサービング許可値に従って前記データ送信の実行を継続するステップとを含む請求項２１に記載の方法。
【請求項２４】
前記ユーザ機器により、前記ネットワーク側デバイスによって送信される指示命令を受信し、前記指示命令に従って前記Ｅ−ＡＧＣＨの前記属性情報を変更するステップであって、前記指示命令は前記属性情報を変更するよう前記ユーザ機器に指示するために使用されるステップをさらに含む請求項２１に記載の方法。
【国際調査報告】
2017507577.tif 000017
2017507577.tif 000018
2017507577.tif 000019
2017507577.tif 000020